(57)【要約】  本開示は、データ伝送方法、端末、及び、ネットワーク機器を提供する。本開示の方法では、複数の伝送キャリアに対応するハイブリッド自動再送要求ＨＡＲＱエンティティーおよびメディアアクセス制御ＭＡＣエンティティーを取得することと、前記伝送キャリアと、前記伝送キャリアに対応するＨＡＲＱエンティティーおよびＭＡＣエンティティーとの間にデータ伝送を行うこととを含む。
2022500948.tif 000002
【特許請求の範囲】
【請求項１】
端末に適用されるデータ伝送方法であって、
ビーム又は伝送ノードを含む複数の伝送キャリアに対応するハイブリッド自動再送要求（ＨＡＲＱ）エンティティーおよびメディアアクセス制御（ＭＡＣ）エンティティーを取得するステップと、
前記伝送キャリアと、前記伝送キャリアに対応するＨＡＲＱエンティティーおよびＭＡＣエンティティーとの間にデータ伝送を行うステップとを含むデータ伝送方法。
【請求項２】
前記複数の伝送キャリアに対応するＨＡＲＱエンティティーおよびＭＡＣエンティティーを取得するステップは、
ＨＡＲＱと伝送キャリアとの対応関係情報に基づいて、複数の前記伝送キャリアに対して対応するＨＡＲＱエンティティーおよびＭＡＣエンティティーを設定すること、又は、
ネットワーク機器が複数の前記伝送キャリアに対して設定したＨＡＲＱエンティティーおよびＭＡＣエンティティーを取得することを含む、請求項１に記載のデータ伝送方法。
【請求項３】
前記ＨＡＲＱと伝送キャリアとの対応関係情報は、
伝送キャリアの関連情報と、
伝送キャリアの関連情報に対応するＨＡＲＱ設定情報とを、含み、
前記伝送キャリアの関連情報は、伝送キャリア識別子、伝送キャリアに対応するセル識別子、伝送キヤリアに対応する周波数ビン識別子、伝送キャリアに対応する帯域幅部分（ＢＷＰ）識別子、伝送キャリアに対応する制御チャネル情報識別子、および、伝送キャリアに対応するＭＡＣエンティティー識別子のうちの少なくとも１つを含む、請求項２に記載のデータ伝送方法。
【請求項４】
複数の伝送キャリアに対して対応するＨＡＲＱエンティティーおよびＭＡＣエンティティーを設定するステップは、
異なる伝送キャリアに対して異なるＨＡＲＱエンティティーを設定することを含む、請求項３に記載のデータ伝送方法。
【請求項５】
前記伝送キャリアの関連情報に対応するＨＡＲＱ設定情報は、ＨＡＲＱプロセスの数を含む、請求項４に記載のデータ伝送方法。
【請求項６】
複数の伝送キャリアに対して対応するＨＡＲＱエンティティーおよびＭＡＣエンティティーを設定するステップは、
前記複数の伝送キャリアに対して同一のＨＡＲＱエンティティーを設定し、かつ、異なる前記伝送キャリアに対して異なるＨＡＲＱプロセス番号を設定することを含む、請求項３に記載のデータ伝送方法。
【請求項７】
前記伝送キャリアの関連情報に対応するＨＡＲＱ設定情報は、伝送キャリアに対応するＨＡＲＱエンティティー識別子、伝送キャリアが利用可能なＨＡＲＱプロセス番号、伝送キャリアに対応するＨＡＲＱエンティティーの利用可能なＨＡＲＱプロセスの合計数、および、前記伝送キャリアが利用可能なＨＡＲＱプロセスの数のうちの少なくとも１つを含む、請求項６に記載のデータ伝送方法。
【請求項８】
複数の伝送キャリアに対して対応するＨＡＲＱエンティティーおよびＭＡＣエンティティーを設定するステップは、
異なる前記伝送キャリアに対して異なるＨＡＲＱエンティティーを設定し、かつ、異なる前記伝送キャリアに対して異なるＭＡＣエンティティーを設定することを含む、請求項３に記載のデータ伝送方法。
【請求項９】
前記ＨＡＲＱと伝送キャリアとの対応関係情報は、さらに、伝送キャリアに対応するＭＡＣ設定情報を含み、かつ、前記伝送キャリアの関連情報に対応するＨＡＲＱ設定情報はＨＡＲＱプロセスの数を含む、請求項８に記載のデータ伝送方法。
【請求項１０】
前記伝送キャリアに対応するＭＡＣ設定情報は、
ＭＡＣエンティティーの識別子情報、
ＭＡＣエンティティーの識別子情報に対応する１つまたは複数の論理チャネルＩＤ、
ＭＡＣエンティティーの識別子情報に対応する１つまたは複数のデータ無線ベアラ（ＤＲＢ）ＩＤ、
ＭＡＣエンティティーの識別子情報に対応する１つまたは複数のデータストリームＩＤ、および、
ＭＡＣエンティティーの識別子情報に対応する１つまたは複数のセッションＩＤ、のうちの少なくとも１つを含む、請求項９に記載のデータ伝送方法。
【請求項１１】
前記伝送キャリア識別子は、同期信号ブロックＳＳＢ識別子、チャネル状態情報基準信号（ＣＳＩ−ＲＳ）識別子、および、基準信号に対応するポート番号識別子のうちの少なくとも１つを含み、前記基準信号がＳＳＢ及び／又はＣＳＩ−ＲＳを含む、請求項３に記載のデータ伝送方法。
【請求項１２】
前記伝送キャリアに対応する制御チャネル識別子は、制御チャネルタイプ識別子、制御チャネルのリソース位置識別子、制御チャネルの基準信号識別子、および、制御チャネルの基準信号に対応するポート番号識別子のうちの少なくとも１つを含む、請求項３に記載のデータ伝送方法。
【請求項１３】
前記伝送キャリアと、前記伝送キャリアに対応するＨＡＲＱエンティティーおよびＭＡＣエンティティーとの間にデータ伝送を行うステップは、
下りリンクデータの受信を行う場合、各前記伝送キャリアが受信したデータを、前記伝送キャリアに対応するＭＡＣエンティティー及びＨＡＲＱエンティティーに伝送して処理する段階、及び／又は、
上りリンクデータの送信を行う場合、各前記伝送キャリアに対して送信されるデータを、前記伝送キャリアに対応するＭＡＣエンティティー及びＨＡＲＱエンティティーに伝送して処理する段階、を含む、
請求項３に記載のデータ伝送方法。
【請求項１４】
下りリンクデータの受信を行う場合、各前記伝送キャリアが受信したデータを、前記伝送キャリアに対応するＭＡＣエンティティー及びＨＡＲＱエンティティーに伝送して処理する段階は、
下りリンクデータの受信を行う場合、第１のターゲット伝送キャリアの関連情報を取得することと、
前記第１のターゲット伝送キャリアの関連情報に基づいて、第１のターゲット伝送キャリアを特定するとともに、前記第１の伝送キャリアが受信したデータを、前記第１の伝送キャリアに対応するＭＡＣエンティティー及びＨＡＲＱエンティティーに伝送して処理することとを含み、
上りリンクデータの送信を行う場合、各前記伝送キャリアに対して送信されるデータを、前記伝送キャリアに対応するＭＡＣエンティティー及びＨＡＲＱエンティティーに伝送して処理する段階は、
上りリンクデータの送信を行う場合、第２のターゲット伝送キャリアの関連情報を取得することと、
前記第２のターゲット伝送キャリアの関連情報に基づいて、第２のターゲット伝送キャリアを特定するとともに、前記第２の伝送キャリアに対して送信されるデータを、前記第２の伝送キャリアに対応するＭＡＣエンティティー及びＨＡＲＱエンティティーに伝送して処理することとを含む、請求項１３に記載のデータ伝送方法。
【請求項１５】
ネットワーク機器に適用されるデータ伝送方法であって、
ビーム又は伝送ノードを含む複数の伝送キャリアに対応するハイブリッド自動再送要求ＨＡＲＱエンティティーおよびメディアアクセス制御ＭＡＣエンティティーを取得するステップと、
前記伝送キャリアと、前記伝送キャリアに対応するＨＡＲＱエンティティーおよびＭＡＣエンティティーとの間にデータ伝送を行うステップとを含むデータ伝送方法。
【請求項１６】
前記複数の伝送キャリアに対応するＨＡＲＱエンティティーおよびＭＡＣエンティティーを取得するステップは、
ＨＡＲＱと伝送キャリアとの対応関係情報に基づいて、複数の前記伝送キャリアに対して対応するＨＡＲＱエンティティーおよびＭＡＣエンティティーを設定すること、又は、
端末が複数の前記伝送キャリアに対して設定したＨＡＲＱエンティティーおよびＭＡＣエンティティーを取得することを含む、請求項１５に記載のデータ伝送方法。
【請求項１７】
前記ＨＡＲＱと伝送キャリアとの対応関係情報は、
伝送キャリアの関連情報と、
伝送キャリアの関連情報に対応するＨＡＲＱ設定情報とを含み、
前記伝送キャリアの関連情報は、伝送キャリア識別子、伝送キャリアに対応するセル識別子、伝送キヤリアに対応する周波数ビン識別子、伝送キャリアに対応する帯域幅部分（ＢＷＰ）識別子、伝送キャリアに対応する制御チャネル情報識別子、および、伝送キャリアに対応するＭＡＣエンティティー識別子のうちの少なくとも１つを含む、請求項１６に記載のデータ伝送方法。
【請求項１８】
複数の伝送キャリアに対して対応するＨＡＲＱエンティティーおよびＭＡＣエンティティーを設定することは、
異なる伝送キャリアに対して異なるＨＡＲＱエンティティーを設定することを含む、請求項１７に記載のデータ伝送方法。
【請求項１９】
前記伝送キャリアの関連情報に対応するＨＡＲＱ設定置情報は、ＨＡＲＱプロセスの数を含む、請求項１８に記載のデータ伝送方法。
【請求項２０】
複数の伝送キャリアに対して対応するＨＡＲＱエンティティーおよびＭＡＣエンティティーを設定することは、
前記複数の伝送キャリアに対して同一のＨＡＲＱエンティティーを設定し、かつ、異なる前記伝送キャリアに対して異なるＨＡＲＱプロセス番号を設定することを含む、請求項１７に記載のデータ伝送方法。
【請求項２１】
前記伝送キャリアの関連情報に対応するＨＡＲＱ設定情報は、伝送キャリアに対応するＨＡＲＱエンティティー識別子、伝送キャリアが利用可能なＨＡＲＱプロセス番号、伝送キャリアに対応するＨＡＲＱエンティティーの利用可能なＨＡＲＱプロセスの合計数、および、前記伝送キャリアが利用可能なＨＡＲＱプロセスの数のうちの少なくとも１つを含む、請求項２０に記載のデータ伝送方法。
【請求項２２】
複数の伝送キャリアに対して対応するＨＡＲＱエンティティーおよびＭＡＣエンティティーを設定することは、
異なる前記伝送キャリアに対して異なるＨＡＲＱエンティティーを設定し、かつ、異なる前記伝送キャリアに対して異なるＭＡＣエンティティーを設定することを含む、請求項１７に記載のデータ伝送方法。
【請求項２３】
前記ＨＡＲＱと伝送キャリアとの対応関係情報は、さらに、伝送キャリアに対応するＭＡＣ設定情報を含み、かつ、前記伝送キャリアの関連情報に対応するＨＡＲＱ設定情報はＨＡＲＱプロセスの数を含む、請求項２２に記載のデータ伝送方法。
【請求項２４】
前記伝送キャリアに対応するＭＡＣ設定情報は、
ＭＡＣエンティティーのＩＤ識別子、
ＭＡＣエンティティーのＩＤ識別子に対応する１つまたは複数の論理チャネルＩＤ、
ＭＡＣエンティティーのＩＤ識別子に対応する１つまたは複数のデータ無線ベアラＤＲＢ識別子、
ＭＡＣエンティティーのＩＤ識別子に対応する１つまたは複数のデータストリーム識別子、および、
ＭＡＣエンティティーのＩＤ識別子に対応する１つまたは複数のセッション識別子、のうちの少なくとも１つを含む、請求項２３に記載のデータ伝送方法。
【請求項２５】
前記伝送キャリア識別子は、同期信号ブロックＳＳＢ識別子、チャネル状態情報基準信号ＣＳＩ−ＲＳ識別子、および、基準信号に対応するポート番号識別子のうちの少なくとも１つを含み、前記基準信号がＳＳＢ及び／又はＣＳＩ−ＲＳを含む、請求項１７に記載のデータ伝送方法。
【請求項２６】
前記伝送キャリアに対応する制御チャネル識別子は、制御チャネルタイプ識別子、制御チャネルのリソース位置識別子、制御チャネルの基準信号識別子、および、制御チャネルの基準信号に対応するポート番号識別子のうちの少なくとも１つを含む、請求項１７に記載のデータ伝送方法。
【請求項２７】
前記伝送キャリアと、前記伝送キャリアに対応するＨＡＲＱエンティティーおよびＭＡＣエンティティーとの間にデータ伝送を行うステップは、
下りリンクデータの送信を行う場合、各前記伝送キャリアに対して送信されるデータを、前記伝送キャリアに対応するＭＡＣエンティティー及びＨＡＲＱエンティティーに伝送して処理すること、及び／又は、
上りリンクデータの受信を行う場合、各前記伝送キャリアが受信したデータを、前記伝送キャリアに対応するＭＡＣエンティティー及びＨＡＲＱエンティティーに伝送して処理すること、を含む、請求項１７に記載のデータ伝送方法。
【請求項２８】
下りリンクデータの受信を行う場合、各前記伝送キャリアが受信したデータを、前記伝送キャリアに対応するＭＡＣエンティティー及びＨＡＲＱエンティティーに伝送して処理するステップは、
下りリンクデータの送信を行う場合、各前記伝送キャリアに対して送信されるデータを、前記伝送キャリアに対応するＭＡＣエンティティー及びＨＡＲＱエンティティーに伝送して処理段階であって、
下りリンクデータの送信を行う場合、第３のターゲット伝送キャリアの関連情報を取得することと、
前記第３のターゲット伝送キャリアの関連情報に基づいて、第３のターゲット伝送キャリアを特定するとともに、前記第３の伝送キャリアに対して送信されるデータを、前記第３の伝送キャリアに対応するＭＡＣエンティティー及びＨＡＲＱエンティティーに伝送して処理することとを含む段階、上りリンクデータの受信を行う場合、各前記伝送キャリアが受信したデータを、前記伝送キャリアに対応するＭＡＣエンティティー及びＨＡＲＱエンティティーに伝送して処理する段階であって、
上りリンクデータの受信を行う場合、第４のターゲット伝送キャリアの関連情報を取得することと、
前記第４のターゲット伝送キャリアの関連情報に基づいて、第４のターゲット伝送キャリアを特定するとともに、前記第４の伝送キャリアが受信したデータを、前記第４の伝送キャリアに対応するＭＡＣエンティティー及びＨＡＲＱエンティティーに伝送して処理することとを含む段階、を含む、請求項２７に記載のデータ伝送方法。
【請求項２９】
ビーム又は伝送ノードを含む複数の伝送キャリアに対応するハイブリッド自動再送要求ＨＡＲＱエンティティーおよびメディアアクセス制御ＭＡＣエンティティーを取得するための第１の取得モジュールと、
前記伝送キャリアと、前記伝送キャリアに対応するＨＡＲＱエンティティーおよびＭＡＣエンティティーとの間にデータ伝送を行うための第１の伝送モジュールと、を備える端末。
【請求項３０】
前記第１の取得モジュールは、ＨＡＲＱと伝送キャリアとの対応関係情報に基づいて、複数の前記伝送キャリアに対して対応するＨＡＲＱエンティティーおよびＭＡＣエンティティーを設定するために用いられ、又は、
ネットワーク機器が複数の前記伝送キャリアに対して設定したＨＡＲＱエンティティーおよびＭＡＣエンティティーを取得するために用いられる、請求項２９に記載の端末。
【請求項３１】
前記ＨＡＲＱと伝送キャリアとの対応関係情報は、
伝送キャリアの関連情報と、
伝送キャリアの関連情報に対応するＨＡＲＱ設定情報とを含み、
前記伝送キャリアの関連情報は、伝送キャリア識別子、伝送キャリアに対応するセル識別子、伝送キヤリアに対応する周波数ビン識別子、伝送キャリアに対応する帯域幅部分（ＢＷＰ）識別子、伝送キャリアに対応する制御チャネル情報識別子、および、伝送キャリアに対応するＭＡＣエンティティー識別子のうちの少なくとも１つを含む、請求項３０に記載の端末。
【請求項３２】
前記第１の取得モジュールは、ＨＡＲＱと伝送キャリアとの対応関係情報に基づいて、異なる伝送キャリアに対して異なるＨＡＲＱエンティティーを設定するために用いられる、請求項３１に記載の端末。
【請求項３３】
前記第１の取得モジュールは、ＨＡＲＱと伝送キャリアとの対応関係情報に基づいて、前記複数の伝送キャリアに対して同一のＨＡＲＱエンティティーを設定し、かつ、異なる前記伝送キャリアに対して異なるＨＡＲＱプロセス番号を設定するために用いられる、請求項３１に記載の端末。
【請求項３４】
前記第１の取得モジュールは、ＨＡＲＱと伝送キャリアとの対応関係情報に基づいて、異なる伝送キャリアに対して異なるＨＡＲＱエンティティーを設定し、かつ、異なる前記伝送キャリアに対して異なるＭＡＣエンティティーを設定するために用いられる、請求項３１に記載の端末。
【請求項３５】
前記ＨＡＲＱと伝送キャリアとの対応関係情報は、さらに、伝送キャリアに対応するＭＡＣ設定情報を含み、かつ、前記伝送キャリアの関連情報に対応するＨＡＲＱ設定情報はＨＡＲＱプロセスの数を含む、請求項３４に記載の端末。
【請求項３６】
前記第１の伝送モジュールは、下りリンクデータの受信を行う場合、各前記伝送キャリアが受信したデータを、前記伝送キャリアに対応するＭＡＣエンティティー及びＨＡＲＱエンティティーに伝送して処理するために用いられ、及び／又は、
上りリンクデータの送信を行う場合、各前記伝送キャリアに対して送信されるデータを、前記伝送キャリアに対応するＭＡＣエンティティー及びＨＡＲＱエンティティーに伝送して処理するために用いられる、請求項３１に記載の端末。
【請求項３７】
前記第１の伝送モジュールは、下りリンクデータの受信を行う場合、第１のターゲット伝送キャリアの関連情報を取得し、前記第１のターゲット伝送キャリアの関連情報に基づいて、第１のターゲット伝送キャリアを特定するとともに、前記第１の伝送キャリアが受信したデータを、前記第１の伝送キャリアに対応するＭＡＣエンティティー及びＨＡＲＱエンティティーに伝送して処理するために用いられ、及び／又は、
上りリンクデータの送信を行う場合、第２のターゲット伝送キャリアの関連情報を取得し、前記第２のターゲット伝送キャリアの関連情報に基づいて、第２のターゲット伝送キャリアを特定するとともに、前記第２の伝送キャリアに対して送信されるデータを、前記第２の伝送キャリアに対応するＭＡＣエンティティー及びＨＡＲＱエンティティーに伝送して処理するために用いられる、請求項３６に記載の端末。
【請求項３８】
メモリと、プロセッサと、メモリに記憶されているとともに、プロセッサにて運行できるコンピュータプログラムと、を含み、前記コンピュータプログラムが前記プロセッサによって実行されると、請求項１〜１４のいずれか１項に記載のデータ伝送方法のステップを実現させる、端末。
【請求項３９】
ビーム又は伝送ノードを含む複数の伝送キャリアに対応するハイブリッド自動再送要求ＨＡＲＱエンティティーおよびメディアアクセス制御ＭＡＣエンティティーを取得するための第２の取得モジュールと、
前記伝送キャリアと、前記伝送キャリアに対応するＨＡＲＱエンティティーおよびＭＡＣエンティティーとの間にデータ伝送を行うための第２の伝送モジュールと、を備えるネットワーク機器。
【請求項４０】
前記第２の取得モジュールは、ネットワーク機器によって設定され、又は、プロトコルによって約束された、ＨＡＲＱと伝送キャリアとの対応関係情報に基づいて、複数の前記伝送キャリアに対して対応するＨＡＲＱエンティティーおよびＭＡＣエンティティーを設定するために用いられ、
又は、前記第２の取得モジュールは、端末が複数の前記伝送キャリアに対して設定したＨＡＲＱエンティティーおよびＭＡＣエンティティーを取得するために用いられる、請求項３９に記載のネットワーク機器。
【請求項４１】
前記ＨＡＲＱと伝送キャリアとの対応関係情報は、
伝送キャリアの関連情報と、
伝送キャリアの関連情報に対応するＨＡＲＱ設定情報とを含み、
前記伝送キャリアの関連情報は、伝送キャリア識別子、伝送キャリアに対応するセルＩＤ、伝送キヤリアに対応する周波数ビン識別子、伝送キャリアに対応する帯域幅部分（ＢＷＰ）識別子、伝送キャリアに対応する制御チャネル情報識別子、および、伝送キャリアに対応するＭＡＣエンティティー識別子のうちの少なくとも１つを含む、請求項４０に記載のネットワーク機器。
【請求項４２】
前記第２の取得モジュールは、ＨＡＲＱと伝送キャリアとの対応関係情報に基づいて、異なる伝送キャリアに対して異なるＨＡＲＱエンティティーを設定するために用いられる、請求項４１に記載のネットワーク機器。
【請求項４３】
前記伝送キャリアの関連情報に対応するＨＡＲＱ設定情報は、ＨＡＲＱプロセスの数を含む、請求項４２に記載のネットワーク機器。
【請求項４４】
前記第２の取得モジュールは、ＨＡＲＱと伝送キャリアとの対応関係情報に基づいて、前記複数の伝送キャリアに対して同一のＨＡＲＱエンティティーを設定し、かつ、異なる前記伝送キャリアに対して異なるＨＡＲＱプロセス番号を設定するために用いられる、請求項４１に記載のネットワーク機器。
【請求項４５】
前記第２の取得モジュールは、ＨＡＲＱと伝送キャリアとの対応関係情報に基づいて、異なる伝送キャリアに対して異なるＨＡＲＱエンティティーを設定し、かつ、異なる前記伝送キャリアに対して異なるＭＡＣエンティティーを設定するために用いられる、請求項４１に記載のネットワーク機器。
【請求項４６】
前記ＨＡＲＱと伝送キャリアとの対応関係情報は、さらに、伝送キャリアに対応するＭＡＣ設定情報を含み、かつ、前記伝送キャリアの関連情報に対応するＨＡＲＱ設定情報はＨＡＲＱプロセスの数を含む、請求項４５に記載のネットワーク機器。
【請求項４７】
前記第２の伝送モジュールは、下りリンクデータの送信を行う場合、各前記伝送キャリアに対して送信されるデータを、前記伝送キャリアに対応するＭＡＣエンティティー及びＨＡＲＱエンティティーに伝送して処理するために用いられ、及び／又は、
上りリンクデータの受信を行う場合、各前記伝送キャリアが受信したデータを、前記伝送キャリアに対応するＭＡＣエンティティー及びＨＡＲＱエンティティーに伝送して処理するために用いられる、請求項４１に記載のネットワーク機器。
【請求項４８】
前記第２の伝送モジュールは、下りリンクデータの送信を行う場合、第３のターゲット伝送キャリアの関連情報を取得し、前記第３のターゲット伝送キャリアの関連情報に基づいて、第３のターゲット伝送キャリアを特定するとともに、前記第３の伝送キャリアに対して送信されるデータを、前記第３の伝送キャリアに対応するＭＡＣエンティティー及びＨＡＲＱエンティティーに伝送して処理するために用いられ、及び／又は、
上りリンクデータの受信を行う場合、第４のターゲット伝送キャリアの関連情報を取得し、前記第４のターゲット伝送キャリアの関連情報に基づいて、第４のターゲット伝送キャリアを特定するとともに、前記第４の伝送キャリアが受信したデータを、前記第４の伝送キャリアに対応するＭＡＣエンティティー及びＨＡＲＱエンティティーに伝送して処理するために用いられる、請求項４７に記載のネットワーク機器。
【請求項４９】
メモリと、プロセッサと、メモリに記憶されているとともに、プロセッサにて運行できるコンピュータプログラムと、を含み、前記コンピュータプログラムが前記プロセッサによって実行されると、請求項１５〜２８のいずれか１項に記載のデータ伝送方法のステップを実現させる、ネットワーク機器。
【請求項５０】
コンピュータプログラムが記憶されており、前記コンピュータプログラムがプロセッサによって実行されると、請求項１〜１４のいずれか１項、又は、請求項１５〜２８のいずれか１項に記載のデータ伝送方法のステップを実現させる、コンピュータ可読記憶媒体。
【発明の詳細な説明】
【技術分野】
【０００１】
本開示は、通信応用の技術分野に関し、特に、データ伝送方法、端末、及び、ネットワーク機器に関する。
【背景技術】
【０００２】
長期進化（Ｌｏｎｇ  Ｔｅｒｍ  Ｅｖｏｌｕｔｉｏｎ、ＬＴＥ）又は５Ｇ新無線アクセス技術（Ｎｅｗ  ＲＡＴ、ＮＲ）システムにおいて、上りリンクデータと下りリンクデータの伝送は、ハイブリッド自動再送要求（Ｈｙｂｒｉｄ  Ａｕｔｏｍａｔｉｃ  Ｒｅｐｅａｔ  Ｒｅｑｕｅｓｔ、ＨＡＲＱ）によって実現される。図１に示されるように、ユーザ機器又は端末（Ｕｓｅｒ  Ｅｑｕｉｐｍｅｎｔ、ＵＥ）は、複数のメディアアクセス制御（Ｍｅｄｉｕｍ  Ａｃｃｅｓｓ  Ｃｏｎｔｒｏｌ、ＭＡＣ）エンティティー（例えば、マスタセル（Ｍａｓｔｅｒ  Ｃｅｌｌ  Ｇｒｏｕｐ、ＭＣＧ）ＭＡＣ及びセカンドセル（Ｓｅｃｏｎｄａｒｙ  Ｃｅｌｌ  Ｇｒｏｕｐ、ＳＣＧ）ＭＡＣ）を有してもよく、各ＭＡＣエンティティーが自体の独立したＨＡＲＱエンティティー（Ｅｎｔｉｔｙ）を有する。各ＨＡＲＱエンティティーは、１つのセル又は周波数ビン（例えば、図１におけるユニットキャリアＣＣ１）のデータの送受信を制御するために用いられ、すなわち１つのＣＣのデータの送信及び再送は、何れもＨＡＲＱエンティティーによって実現される。各ＨＡＲＱエンティティーは、複数のＨＡＲＱプロセス（ｐｒｏｃｅｓｓ）を有し、異なるデータが異なるＨＡＲＱプロセスによって送受信される。ここで、各ＣＣにおけるＨＡＲＱ  ｐｒｏｃｅｓｓの数は、ＨＡＲＱラウンドトリップタイム（Ｒｏｕｎｄ  Ｔｒｉｐ  Ｔｉｍｅ、ＲＴＴ）によって決められる（すなわち、データの送信から当該データに対するフィードバックの受信までの時間である。例えば、ラウンドトリップタイムが８ミリ秒で、各データの送信時間が１ミリ秒であれば、各時点でのデータ送信を可能にするために、ＨＡＲＱ  ｐｒｏｃｅｓｓの数を８にする）。ここで、ＭＡＣエンティティーと上位レイヤエンティティーとの間のデータインタフェースは、論理チャネル（Ｌｏｇｉｃａｌ  Ｃｈａｎｎｅｌ、ＬＣＨ）であり、例えば、図１におけるＬＣＨ１が考えられる。また、複数の論理チャネルのデータは、多重化（すなわち、ｍｕｌｔｉｐｌｅｘｉｎｇ）機能により、同一のＭＡＣプロトコルデータユニット（Ｐｒｏｔｏｃｏｌ  Ｄａｔａ  Ｕｎｉｔ、ＰＤＵ）として、ＨＡＲＱ  ｐｒｏｃｅｓｓにて送信されることができる。
【０００３】
５Ｇ（５  Ｇｅｎｅｒａｔｉｏｎ、第５世代）移動通信システムにおいて、下りリンク伝送速度を２０Ｇｂｐｓに、上りリンク伝送速度を１０Ｇｂｐｓにする目標を達成させるために、高周波通信や大規模アンテナ技術が導入される。高周波通信は、より広いシステム帯域幅を提供することができ、アンテナのサイズもより小さくすることができ、基地局やＵＥにおける大規模アンテナの配置により有利なである。基地局側は、Ｍｕｌｔｉ−ｂｅａｍ（マルチビーム）又はＭｕｌｔｉ−ＴＲＰ  Ｔｒａｎｓｍｉｓｓｉｏｎ  Ｐｏｉｎｔ（マルチ送受信ポイント）を用いてデータの送受信を行い、ＵＥ側におけるＭｕｌｔｉ−ｂｅａｍ又はＭｕｌｔｉ−ＴＲＰ  Ｔｒａｎｓｍｉｓｓｉｏｎ  Ｐｏｉｎｔの送受信は、幅広く適用されつつある。
【０００４】
しかしながら、複数の異なるビーム又は伝送ノードを用いてＵＥに対するデータの送受信を行う場合、どのようなＨＡＲＱによる伝送方式が用いられるかについては、明確な方法がまだない。
【発明の概要】
【発明が解決しようとする課題】
【０００５】
本開示は、複数の異なるビーム又は伝送ノードを用いてＵＥに対するデータの送受信を行う場合、どのようなＨＡＲＱによる伝送方式が用いられるかについての明確な手段がまだないという問題を解決する、データ伝送方法、端末、及びネットワーク機器を提供することを目的にしている。
【課題を解決するための手段】
【０００６】
第１の態様では、本開示の実施例は、端末に用いられるデータ伝送方法であって、
複数の、ビーム又は伝送ノードを含む伝送キャリアに対応するハイブリッド自動再送要求ＨＡＲＱエンティティーおよびメディアアクセス制御ＭＡＣエンティティーを取得することと、
前記伝送キャリアと、前記伝送キャリアに対応するＨＡＲＱエンティティーおよびＭＡＣエンティティーとの間にデータ伝送を行うこととを含むデータ伝送方法を提供する。
【０００７】
第２の態様では、本開示の実施例は、さらに、ネットワーク機器に用いられるデータ伝送方法であって、
複数の、ビーム又は伝送ノードを含む伝送キャリアに対応するハイブリッド自動再送要求ＨＡＲＱエンティティーおよびメディアアクセス制御ＭＡＣエンティティーを取得することと、
前記伝送キャリアと、前記伝送キャリアに対応するＨＡＲＱエンティティーおよびＭＡＣエンティティーとの間にデータ伝送を行うこととを含むデータ伝送方法を提供する。
【０００８】
第３の態様では、本開示の実施例は、さらに、
複数の、ビーム又は伝送ノードを含む伝送キャリアに対応するハイブリッド自動再送要求ＨＡＲＱエンティティーおよびメディアアクセス制御ＭＡＣエンティティーを取得するための第１の取得モジュールと、
前記伝送キャリアと、前記伝送キャリアに対応するＨＡＲＱエンティティーおよびＭＡＣエンティティーとの間にデータ伝送を行うための第１の伝送モジュールと、を備える端末を提供する。
【０００９】
第４の態様では、本開示の実施例は、さらに、メモリと、プロセッサと、メモリに記憶されているとともに、プロセッサにて運行できるコンピュータプログラムと、を含み、前記コンピュータプログラムが前記プロセッサによって実行されると、上述したようなデータ伝送方法のステップを実現させる、端末を提供する。
【００１０】
第５の態様では、本開示の実施例は、さらに、
複数の、ビーム又は伝送ノードを含む伝送キャリアに対応するハイブリッド自動再送要求ＨＡＲＱエンティティーおよびメディアアクセス制御ＭＡＣエンティティーを取得するための第２の取得モジュールと、
前記伝送キャリアと、前記伝送キャリアに対応するＨＡＲＱエンティティーおよびＭＡＣエンティティーとの間にデータ伝送を行うための第２の伝送モジュールと、を備えるネットワーク機器を提供する。
【００１１】
第６の態様では、本開示の実施例は、さらに、メモリと、プロセッサと、メモリに記憶されているとともに、プロセッサにて運行できるコンピュータプログラムと、を含み、前記コンピュータプログラムが前記プロセッサによって実行されると、上述したようなデータ伝送方法のステップを実現させる、ネットワーク機器を提供する。
【００１２】
第７の態様では、本発明の実施例は、さらに、コンピュータプログラムが記憶されており、前記コンピュータプログラムがプロセッサによって実行されると、上述したようなデータ伝送方法のステップを実現させる、コンピュータ可読記憶媒体を提供する。
【発明の効果】
【００１３】
本開示の実施例は、以下のような有益な効果を有する。
【００１４】
本開示の実施例における上記技術案では、複数の、ビーム又は伝送ノードを含む伝送キャリアに対応するハイブリッド自動再送要求ＨＡＲＱエンティティーおよびメディアアクセス制御ＭＡＣエンティティーを取得し、前記伝送キャリアと、前記伝送キャリアに対応するＨＡＲＱエンティティーおよびＭＡＣエンティティーとの間にデータ伝送を行うことにより、端末が複数の異なる伝送キャリアによって異なるＨＡＲＱプロセスを用いてデータの送受信を行うことを可能にし、ＨＡＲＱプロセスの数が足りないことに起因した呼び出し遅延を回避するとともに、異なる伝送キャリアをサポートできるＨＡＲＱ伝送によれば、データ伝送の確実性が向上した。
【図面の簡単な説明】
【００１５】
【図１】ＭＡＣエンティティー及びＨＡＲＱエンティティーの構造ブロック図である。
【図２】本開示の実施例が応用できるネットワークシステムの構造図である。
【図３】本開示の実施例におけるデータ伝送方法のフローチャートである。
【図４】本開示の実施例における伝送キャリアと、対応するＭＡＣエンティティーおよびＨＡＲＱエンティティーとの第１の概略図である。
【図５】本開示の実施例における伝送キャリアと、対応するＭＡＣエンティティーおよびＨＡＲＱエンティティーとの第２の概略図である。
【図６】本開示の実施例における伝送キャリアと、対応するＭＡＣエンティティーおよびＨＡＲＱエンティティーとの第３の概略図である。
【図７】本開示の実施例における端末のブロック概略図である。
【図８】本発明の実施例における端末の構造ブロック図のその１である。
【図９】本発明の実施例における端末の構造ブロック図のその２である。
【図１０】本開示の実施例におけるネットワーク機器のブロック概略図である。
【図１１】本発明の実施例におけるネットワーク機器の構造ブロック図である。
【発明を実施するための形態】
【００１６】
本開示の実施例における技術案をさらに明確に説明するために、以下は、本開示における実施例の記述に使用すべき添付図面を簡単に紹介する。自明なことに、後述する添付図面はただ本開示のいくつかの実施例に過ぎず、当業者にとって、創造的な労力を払わないことを前提として、それらの添付図面に基づいて、他の添付図面を取得することができる。
【００１７】
以下は、添付図面を参照しながら、本開示の例示的な実施例をより詳しく説明する。添付図面には、本開示の例示的な実施例が示されたが、本開示は、種々な形式で実現することができ、ここに記載の実施例により限られたものではないと、理解すべきである。逆に、それらの実施例を提供する目的は、本開示をさらに明確に理解できるようにすることであって、本開示の範囲を当業者に完全に伝えることができることである。
【００１８】
本願の明細書及び特許請求の範囲における用語である「第１の」、「第２の」などは、類似した対象を区別させるためのものであり、必ずしも特定の順序又は前後順序を記述するために用いられるものではない。理解すべきなのは、そのように用いられるデータは、適宜な場合に交換されることが可能であり、それにより、ここに記載の本願の実施例が、例えば、ここに図示又は記述されたもの以外の順序に従って実施されることもできる。また、用語である「含む」、「備える」及びそれらの任意の変形は、非排他的な「含む」をカバーするためのものであり、例えば、一連のステップまたはユニットのプロセス、方法、システム、製品又は装置を含むことは、これらのステップまたはユニットを明確にリストすることに限らず、明確にリストされていない、または、これらのプロセス、方法、製品または装置の固有の他のステップまたはユニットを含んでもよいことを意味している。明細書及び特許請求の範囲における「及び／又は」は、接続される対象の少なくとも１つを表す。
【００１９】
以下に記載や提供された例示は、特許請求の範囲、適用性、または、配置を限定するためのものではない。本開示の精神や範囲から逸脱することなく、検討される要素の機能や配置を変化させることができる。各例示では、種々のルールやプロセス又はアセンブリを適切に省略、置き換え、又は、添加することができる。例えば、記述される順序とは異なる順序に従って記述される方法を実行するとともに、種々のステップを添加、省略、組み合わせすることができる。また、いくつかの例示を参照して記述される特徴は、他の例示に組み合わせられることも可能である。
【００２０】
図２を参照して、図２は、本開示の実施例が応用できるネットワークシステムの構造図である。図２に示されるように、ユーザ端末１１と基地局１２を含み、そのうち、ユーザ端末１１は、ユーザ機器（Ｕｓｅｒ  Ｅｑｕｉｐｍｅｎｔ、ＵＥ）であってもよく、例えば、携帯電話、タブレットパソコン（Ｔａｂｌｅｔ  Ｐｅｒｓｏｎａｌ  Ｃｏｍｐｕｔｅｒ）、ラップトップコンピュータ（Ｌａｐｔｏｐ  Ｃｏｍｐｕｔｅｒ）、パーソナルデジタルアシスタント（Ｐｅｒｓｏｎａｌ  Ｄｉｇｉｔａｌ  Ａｓｓｉｓｔａｎｔ、ＰＤＡと略称）、モバイルインターネット装置（Ｍｏｂｉｌｅ  Ｉｎｔｅｒｎｅｔ  Ｄｅｖｉｃｅ、ＭＩＤ）、又は、ウェアラブル装置（Ｗｅａｒａｂｌｅ  Ｄｅｖｉｃｅ）などの端末側機器であってもよい。ここに説明すべきなのは、本開示の実施例では、ユーザ端末１１の具体的なタイプについて限定されていない。上記基地局１２は、５Ｇ及びその後続のバージョンの基地局（例えば、ｇＮＢ、５Ｇ  ＮＲ  ＮＢ）であってもよく、又は、他の通信システムにおける基地局であってもよく、又は、ノードＢ、進化型ノードＢ、送受信ノード（ｔｒａｎｓｍｉｔｔｉｎｇ  ｒｅｃｅｉｖｉｎｇ  ｐｏｉｎｔ、ＴＲＰ）又は当分野における他の言葉として呼ばれてもよい。同様な技術的効果を実現できれば、上記基地局は必ずしも特定の技術用語で表されたものではない。ここに説明すべきなのは、本開示の実施例では、５Ｇ基地局のみを例として説明しているが、しかし、基地局１２の具体的なタイプについて限定されていない。
【００２１】
図３は、本開示の実施例におけるデータ伝送方法のフローチャートである。図３に示されるように、本開示の実施例は、端末に用いられるデータ伝送方法を提供し、以下のステップを含む。
【００２２】
ステップ３０１：複数の、ビーム又は伝送ノードを含む伝送キャリアに対応するハイブリッド自動再送要求ＨＡＲＱエンティティーおよびメディアアクセス制御ＭＡＣエンティティーを取得すること。
【００２３】
本開示の実施例では、異なる伝送キャリアは同一のＭＡＣエンティティーに対応するとともに、異なるＨＡＲＱエンティティーに対応することができる。その場合、ＨＡＲＱエンティティーによって、異なる伝送キャリアを区別させることができる。また、異なる伝送キャリアは同一のＭＡＣエンティティーに対応するとともに、同一のＨＡＲＱエンティティーに対応することもできる。その場合、ＨＡＲＱプロセス番号によって、異なる伝送キャリアのデータを区別させることができる。さらに、異なる伝送キャリアは異なるＭＡＣエンティティーに対応するとともに、異なるＨＡＲＱエンティティーに対応することができる。その場合、ＭＡＣエンティティーのＩＤ情報によって、異なる伝送キャリアのデータを区別させることができる。
【００２４】
しかも、本開示の実施例では、複数の伝送キャリアに対応するハイブリッド自動再送要求ＨＡＲＱエンティティーおよびメディアアクセス制御ＭＡＣエンティティーは、端末またはネットワーク機器がハイブリッド自動再送要求ＨＡＲＱと伝送キャリアとの対応関係情報に基づいて得られたものである。
【００２５】
そのうち、ハイブリッド自動再送要求ＨＡＲＱと伝送キャリアとの対応関係情報は、伝送キャリアの関連情報、および伝送キャリアの関連情報に対応するＨＡＲＱ配置情報を含む。
【００２６】
上記伝送キャリアの関連情報は、伝送キャリアＩＤ、伝送キャリアに対応するセルＩＤ、伝送キヤリアに対応する周波数ビンＩＤ、伝送キャリアに対応する帯域幅部分（Ｂａｎｄｗｉｄｔｈ  Ｐａｒｔ、ＢＷＰ）ＩＤ、伝送キャリアに対応する制御チャネル情報ＩＤ、および、伝送キャリアに対応するＭＡＣエンティティーＩＤのうちの少なくとも１つを含む。
【００２７】
ステップ３０２：前記伝送キャリアと、前記伝送キャリアに対応するＨＡＲＱエンティティーおよびＭＡＣエンティティーとの間にデータ伝送を行うこと。
【００２８】
具体的には、当該ステップ３０２では、下りリンクデータの受信を行う場合、各前記伝送キャリアが受信したデータを、前記伝送キャリアに対応するＭＡＣエンティティー及びＨＡＲＱエンティティーに伝送して処理すること、及び／又は、
上りリンクデータの送信を行う場合、各前記伝送キャリアに対して送信されるデータを、前記伝送キャリアに対応するＭＡＣエンティティー及びＨＡＲＱエンティティーに伝送して処理すること、を含む。
【００２９】
そのうち、下りリンクデータの受信を行う場合、各前記伝送キャリアが受信したデータを、前記伝送キャリアに対応するＭＡＣエンティティー及びＨＡＲＱエンティティーに伝送して処理することは、
下りリンクデータの受信を行う場合、第１のターゲット伝送キャリアの関連情報を取得することと、前記第１のターゲット伝送キャリアの関連情報に基づいて、第１のターゲット伝送キャリアを特定するとともに、前記第１の伝送キャリアが受信したデータを、前記第１の伝送キャリアに対応するＭＡＣエンティティー及びＨＡＲＱエンティティーに伝送して処理することとを含む。
【００３０】
ここでは、第１のターゲット伝送キャリアは、複数の伝送キャリアのうち、下りリンクデータの受信を行う任意の１つの伝送キャリアである。第１のターゲット伝送キャリアが受信したデータは、第１のターゲット伝送キャリアの関連情報によってＩＤを付けられ、さらに、当該第１のターゲット伝送キャリアの関連情報に基づいて、当該第１のターゲット伝送キャリアを識別するとともに、上記対応関係情報に基づいて、データを対応するＭＡＣエンティティー及びＨＡＲＱエンティティーに送信して処理する。
【００３１】
例えば、ＵＥは物理下りリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）の下りリンク制御情報（Ｄｏｗｎｌｉｎｋ  Ｃｏｎｔｒｏｌ  Ｉｎｆｏｒｍａｔｉｏｎ、ＤＣＩ）の下りリンクリソース割当情報における下りリンクデータに基づき、第１のターゲット伝送キャリアの関連情報を取得するとともに、データを当該第１のターゲット伝送キャリアに対応するＭＡＣエンティティー及びＨＡＲＱエンティティーに送信して処理する。又は、ＵＥは、物理下りリンク共有チャネル（Ｐｈｙｓｉｃａｌ  Ｄｏｗｎｌｉｎｋ  Ｓｈａｒｅｄ  Ｃｈａｎｎｅｌ、ＰＤＳＣＨ）の基準信号（例えば、同期信号ブロック（Ｓｙｎｃｈｒｏｎｉｚａｔｉｏｎ  Ｓｉｇｎａｌ  Ｂｌｏｃｋ、ＳＳＢ）及び／又はチャネル状態情報基準信号（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ、ＣＳＩ−ＲＳ）情報における下りリンクデータに基づき、第１のターゲット伝送キャリアの関連情報を取得するとともに、データを当該第１のターゲット伝送キャリアに対応するＭＡＣエンティティー及びＨＡＲＱエンティティーに送信して処理する。
【００３２】
そのうち、上りリンクデータの送信を行う場合、各前記伝送キャリアに対して送信されるデータを、前記伝送キャリアに対応するＭＡＣエンティティー及びＨＡＲＱエンティティーに伝送して処理することは、
上りリンクデータの送信を行う場合、第２のターゲット伝送キャリアの関連情報を取得することと、前記第２のターゲット伝送キャリアの関連情報に基づいて、第２のターゲット伝送キャリアを特定するとともに、前記第２の伝送キャリアに対して送信されるデータを、前記第２の伝送キャリアに対応するＭＡＣエンティティー及びＨＡＲＱエンティティーに伝送して処理することとを含む。
【００３３】
端末は、上りリンクデータの送信を行うとき、伝送キャリアの関連情報を所持することができ、それにより、ネットワーク機器は当該伝送キャリアの関連情報に基づいて相応な伝送キャリアを識別することができる。
【００３４】
ここでは、第２のターゲット伝送キャリアは、複数の伝送キャリアのうち、上りリンクデータの受信を行う任意の１つの伝送キャリアである。第２のターゲット伝送キャリアによって送信されたデータは、第２のターゲット伝送キャリアの関連情報によってＩＤを付けられる。
【００３５】
例えば、ＵＥは、物理下りリンク制御チャネルＰＤＣＣＨの下りリンク制御情報ＤＣＩの上りリンクリソース割当情報における上りリンクデータに基づき、第２のターゲット伝送キャリアの関連情報を取得するとともに、データを当該第２のターゲット伝送キャリアに対応するＭＡＣエンティティー及びＨＡＲＱエンティティーに送信して処理する。又は、ＵＥは、物理下りリンク共有チャネルＰＤＳＣＨの基準信号情報における上りリンクデータに基づき、第２のターゲット伝送キャリアの関連情報を取得するとともに、データを当該第２のターゲット伝送キャリアに対応するＭＡＣエンティティー及びＨＡＲＱエンティティーに送信して処理する。
【００３６】
本開示の実施例におけるデータ伝送方法では、複数の、ビーム又は伝送ノードを含む伝送キャリアに対応するハイブリッド自動再送要求ＨＡＲＱエンティティーおよびメディアアクセス制御ＭＡＣエンティティーを取得し、下りリンクデータの受信を行う場合、各前記伝送キャリアが受信したデータを、前記伝送キャリアに対応するＭＡＣエンティティー及びＨＡＲＱエンティティーに伝送して処理するが、上りリンクデータの送信を行う場合、各前記伝送キャリアに対して送信されるデータを、前記伝送キャリアに対応するＭＡＣエンティティー及びＨＡＲＱエンティティーに伝送して処理することにより、端末が複数の異なる伝送キャリアによって異なるＨＡＲＱプロセスを用いてデータの送受信を行うことを可能にし、ＨＡＲＱプロセスの数が足りないことに起因した呼び出し遅延を回避するとともに、異なる伝送キャリアをサポートできるＨＡＲＱ伝送によれば、データ伝送の確実性が向上した。
【００３７】
さらに、上記ステップ３０１における複数の伝送キャリアに対応するハイブリッド自動再送要求ＨＡＲＱエンティティーおよびメディアアクセス制御ＭＡＣエンティティーを取得することは、
ネットワーク機器によって配置され、又は、プロトコルによって約束された、ハイブリッド自動再送要求ＨＡＲＱと伝送キャリアとの対応関係情報に基づいて、複数の前記伝送キャリアに対して対応するＨＡＲＱエンティティーおよびＭＡＣエンティティーを配置すること、
又は、ネットワーク機器によって複数の前記伝送キャリアに対して配置されたＨＡＲＱエンティティーおよびＭＡＣエンティティーを取得することを含む。
【００３８】
具体的には、ネットワーク機器は、ハイブリッド自動再送要求ＨＡＲＱと伝送キャリアとの対応関係情報に基づいて、複数の伝送キャリアに対してＨＡＲＱエンティティーおよびＭＡＣエンティティーを配置する。
【００３９】
上記ＨＡＲＱと伝送キャリアとの対応関係情報は、
伝送キャリアの関連情報と、
伝送キャリアの関連情報に対応するＨＡＲＱ配置情報とを含み、
そのうち、伝送キャリアの関連情報は、伝送キャリアＩＤ、伝送キャリアに対応するセルＩＤ、伝送キヤリアに対応する周波数ビンＩＤ、伝送キャリアに対応する帯域幅部分ＢＷＰ  ＩＤ、伝送キャリアに対応する制御チャネル情報ＩＤ、および、伝送キャリアに対応するＭＡＣエンティティーＩＤのうちの少なくとも１つを含む。
【００４０】
例えば、上記伝送キャリアに対応するセルＩＤは、セル１として具体化され、上記伝送キャリアに対応する周波数ビンＩＤは、周波数ビン１として具体化され、上記伝送キャリアに対応する帯域幅部分ＢＷＰ  ＩＤは、ＢＷＰ＿１として具体化され、上記伝送キャリアに対応するＭＡＣエンティティーＩＤは、ＭＡＣ＿１として具体化されてもよい。
【００４１】
上記伝送キャリアＩＤは、同期信号ブロックＳＳＢ  ＩＤ、チャネル状態情報基準信号ＣＳＩ−ＲＳ  ＩＤ、および、基準信号に対応するポート番号ＩＤのうちの少なくとも１つを含み、前記基準信号がＳＳＢ及び／又はＣＳＩ−ＲＳを含む。
【００４２】
上記伝送キャリアＩＤは、ＳＳＢ  ＩＤ及び／又はＣＳＩ−ＲＳ  ＩＤ以外、他の信号ＩＤであってもよいが、ここでは具体的に限定されていない。
【００４３】
上記基準信号に対応するポート番号ＩＤは、ｐｏｒｔ＿１として具体化されてもよく、また、当該基準信号がＳＳＢとＣＳＩ−ＲＳ以外、他の基準信号であってもよいが、ここでは具体的に限定されていない。
【００４４】
上記伝送キャリアに対応する制御チャネルＩＤは、制御チャネルタイプＩＤ、制御チャネルのリソース位置ＩＤ、制御チャネルの基準信号ＩＤ、および、制御チャネルの基準信号に対応するポート番号ＩＤのうちの少なくとも１つを含む。
【００４５】
そのうち、制御チャネルタイプＩＤは、マスタセルセルＰＣｅｌｌのＰＤＣＣＨ＿１として具体化されてもよく、制御チャネルのリソース位置ＩＤは、制御リソースグループ（ＣＯＲＥＳＥＴ）及び／又は検索空間ＩＤ（ｓｅａｒｃｈ  ｓｐａｃｅ）であってもよく、制御チャネルの基準信号ＩＤはＳＳＢ  ＩＤ及び／又はＣＳＩ−ＲＳ  ＩＤであってもよい。
【００４６】
第１の選択肢である実現方式として、上記複数の伝送キャリアに対して対応するＨＡＲＱエンティティーおよびＭＡＣエンティティーを配置することは、
異なる伝送キャリアに対して異なるＨＡＲＱエンティティーを配置することを含む。
【００４７】
選択的に、上記配置された異なるＨＡＲＱエンティティーは同一のＭＡＣエンティティーに該当する。
【００４８】
当該実現方式では、上記伝送キャリアの関連情報に対応するＨＡＲＱ配置情報は、ＨＡＲＱプロセスの数を含み、例えば、上りリンクデータの送信及び／又は下りリンクデータの受信に対応するＨＡＲＱプロセスの数を含む。
【００４９】
図４に示されるように、ユニットキャリア１の伝送キャリア１（ＴＲＰ１  ｏｆ  ＣＣ１）とユニットキャリア１の伝送キャリア２（ＴＲＰ２  ｏｆ  ＣＣ１）は同一のＭＡＣエンティティー（ＭＣＧ  ＭＡＣ）に対応するとともに、異なるＨＡＲＱエンティティーに対応する。
【００５０】
第２の選択肢である実現方式として、
複数の伝送キャリアに対して対応するＨＡＲＱエンティティーおよびＭＡＣエンティティーを配置することは、
前記複数の伝送キャリアに対して同一のＨＡＲＱエンティティーを配置し、かつ、異なる前記伝送キャリアに対して異なるＨＡＲＱプロセス番号を配置することを含む。
【００５１】
当該実現方式では、上記伝送キャリアの関連情報に対応するＨＡＲＱ配置情報は、伝送キャリアに対応するＨＡＲＱエンティティーＩＤ、伝送キャリアが利用可能なＨＡＲＱプロセス番号、伝送キャリアに対応するＨＡＲＱエンティティーの利用可能なＨＡＲＱプロセスの合計数、および、前記伝送キャリアが利用可能なＨＡＲＱプロセスの数のうちの少なくとも１つを含む。
【００５２】
選択的に、上記伝送キャリアの関連情報に対応するＨＡＲＱ配置情報は、第１情報と第２情報のうちの少なくとも１つを含み、前記第１情報は伝送キャリアが利用可能なＨＡＲＱプロセス番号を含み、前記第２情報は伝送キャリアに対応するＨＡＲＱエンティティーの利用可能なＨＡＲＱプロセスの合計数、および、前記伝送キャリアが利用可能なＨＡＲＱプロセスの数を含む。
【００５３】
例えば、上記伝送キャリアが利用可能なＨＡＲＱプロセス番号はビーム１が利用可能なＨＡＲＱプロセス番号［０、３］であり、ビーム２が利用可能なＨＡＲＱプロセス番号［１、７］である。又は、ビットマップによって当該ビーム又は伝送ノードが利用可能なプロセス番号に対してＩＤを付け、上記伝送キャリアが利用可能なＨＡＲＱプロセスの数は上りリンクデータの送信及び／又は下りリンクデータの受信に対応するＨＡＲＱプロセスの数である。
【００５４】
図５に示されるように、ユニットキャリア１の伝送キャリア１と伝送キャリア２（ＴＲＰ１＋ＴＲＰ２  ｏｆ  ＣＣ１）は同一のＭＡＣエンティティー（ＭＣＧ  ＭＡＣ）に対応するとともに、同一のＨＡＲＱエンティティーに対応し、ユニットキャリア２の伝送キャリア３と伝送キャリア４（ＴＲＰ３＋ＴＲＰ４  ｏｆ  ＣＣ２）は同一のＭＡＣエンティティー（ＭＣＧ  ＭＡＣ）に対応するとともに、同一のＨＡＲＱエンティティーに対応する。
【００５５】
第３の選択肢である実現方式として、
複数の伝送キャリアに対して対応するＨＡＲＱエンティティーおよびＭＡＣエンティティーを配置することは、
異なる前記伝送キャリアに対して異なるＨＡＲＱエンティティーを配置し、かつ、異なる前記伝送キャリアに対して異なるＭＡＣエンティティーを配置することを含む。
【００５６】
当該実現方式では、上記ハイブリッド自動再送要求ＨＡＲＱと伝送キャリアとの対応関係情報は、さらに、伝送キャリアに対応するＭＡＣ配置情報を含み、かつ、前記伝送キャリアの関連情報に対応するＨＡＲＱ配置情報はＨＡＲＱプロセスの数を含む。
【００５７】
図６に示されるように、ユニットキャリア１の伝送キャリア１（ＴＲＰ１  ｏｆ  ＣＣ１）は１つのＭＡＣエンティティーに対応し、ユニットキャリア１の伝送キャリア２（ＴＲＰ２  ｏｆ  ＣＣ１）はもう１つのＭＡＣエンティティーに対応し、かつ、両者が異なるＨＡＲＱエンティティーに対応する。
【００５８】
上記伝送キャリアに対応するＭＡＣ配置情報は、
ＭＡＣエンティティーのＩＤ情報、
前記ＭＡＣエンティティーに対応する１つまたは複数の論理チャネルＩＤ（例えば、ＬＣＨ＿１）、
ＭＡＣエンティティーのＩＤ情報に対応する１つまたは複数のデータ無線ベアラ（Ｄａｔａ  Ｒａｄｉｏ  Ｂｅａｒｅｒ、ＤＲＢ）ＩＤ（例えば、ＤＲＢ＿１）、
前記ＭＡＣエンティティーのＩＤ情報に対応する１つまたは複数のデータストリームＩＤ、および、
前記ＭＡＣエンティティーのＩＤ情報に対応する１つまたは複数のセッションＩＤ（例えば、Ｓｅｓｓｉｏｎ＿１）、のうちの少なくとも１つを含む。
【００５９】
選択的に、上記伝送キャリアに対応するＭＡＣ配置情報は、ＭＡＣエンティティーのＩＤ情報を含む。
【００６０】
本開示の実施例におけるデータ伝送方法によれば、ＵＥが複数の異なる伝送キャリアによって異なるＨＡＲＱプロセスを用いてデータの送受信を行うことを可能にし、ＨＡＲＱプロセスの数が足りないことに起因した呼び出し遅延を回避するとともに、異なる伝送キャリアをサポートできるＨＡＲＱ伝送によれば、データ伝送の確実性が向上した。
【００６１】
図３に示されるように、本開示の実施例は、さらに、ネットワーク機器に用いられるデータ伝送方法を提供し、以下のステップが含まれる。
【００６２】
ステップ３０１：複数の、ビーム又は伝送ノードを含む伝送キャリアに対応するハイブリッド自動再送要求ＨＡＲＱエンティティーおよびメディアアクセス制御ＭＡＣエンティティーを取得すること。
【００６３】
本開示の実施例では、異なる伝送キャリアは同一のＭＡＣエンティティーに対応するとともに、異なるＨＡＲＱエンティティーに対応することができる。その場合、ＨＡＲＱエンティティーによって、異なる伝送キャリアを区別させることができる。また、異なる伝送キャリアは同一のＭＡＣエンティティーに対応するとともに、同一のＨＡＲＱエンティティーに対応することもできる。その場合、ＨＡＲＱプロセス番号によって、異なる伝送キャリアのデータを区別させることができる。さらに、異なる伝送キャリアは異なるＭＡＣエンティティーに対応するとともに、異なるＨＡＲＱエンティティーに対応することができる。その場合、ＭＡＣエンティティーのＩＤ情報によって、異なる伝送キャリアのデータを区別させることができる。
【００６４】
しかも、本開示の実施例では、複数の伝送キャリアに対応するハイブリッド自動再送要求ＨＡＲＱエンティティーおよびメディアアクセス制御ＭＡＣエンティティーは、端末またはネットワーク機器がハイブリッド自動再送要求ＨＡＲＱと伝送キャリアとの対応関係情報に基づいて得られたものである。
【００６５】
そのうち、ハイブリッド自動再送要求ＨＡＲＱと伝送キャリアとの対応関係情報は、伝送キャリアの関連情報、および伝送キャリアの関連情報に対応するＨＡＲＱ配置情報を含む。
【００６６】
上記伝送キャリアの関連情報は、伝送キャリアＩＤ、伝送キャリアに対応するセルＩＤ、伝送キヤリアに対応する周波数ビンＩＤ、伝送キャリアに対応する帯域幅部分（Ｂａｎｄｗｉｄｔｈ  Ｐａｒｔ、ＢＷＰ）ＩＤ、伝送キャリアに対応する制御チャネル情報ＩＤ、および、伝送キャリアに対応するＭＡＣエンティティーＩＤのうちの少なくとも１つを含む。
【００６７】
ステップ３０２：前記伝送キャリアと、前記伝送キャリアに対応するＨＡＲＱエンティティーおよびＭＡＣエンティティーとの間にデータ伝送を行うこと。
【００６８】
当該ステップ３０２では、具体的には、下りリンクデータの送信を行う場合、各前記伝送キャリアに対して送信されるデータを、前記伝送キャリアに対応するＭＡＣエンティティー及びＨＡＲＱエンティティーに伝送して処理すること、及び／又は、
上りリンクデータの受信を行う場合、各前記伝送キャリアが受信したデータを、前記伝送キャリアに対応するＭＡＣエンティティー及びＨＡＲＱエンティティーに伝送して処理すること、を含む。
【００６９】
そのうち、下りリンクデータの送信を行う場合、各前記伝送キャリアに対して送信されるデータを、前記伝送キャリアに対応するＭＡＣエンティティー及びＨＡＲＱエンティティーに伝送して処理することは、具体的に、
下りリンクデータの送信を行う場合、第３のターゲット伝送キャリアの関連情報を取得することと、前記第３のターゲット伝送キャリアの関連情報に基づいて、第３のターゲット伝送キャリアを特定するとともに、前記第３の伝送キャリアに対して送信されるデータを、前記第３の伝送キャリアに対応するＭＡＣエンティティー及びＨＡＲＱエンティティーに伝送して処理することとを含む。
【００７０】
ここでは、第３のターゲット伝送キャリアは、複数の伝送キャリアのうち、下りリンクデータの受信を行う任意の１つの伝送キャリアである。第３のターゲット伝送キャリアによって送信されたデータは、第３のターゲット伝送キャリアの関連情報によってＩＤを付けられる。
【００７１】
ネットワーク機器は、下りリンクデータの送信を行うとき、伝送キャリアの関連情報を所持することができ、それにより、端末は当該伝送キャリアの関連情報に基づいて相応な伝送キャリアを識別することができる。
【００７２】
そのうち、上りリンクデータの受信を行う場合、各前記伝送キャリアが受信したデータを、前記伝送キャリアに対応するＭＡＣエンティティー及びＨＡＲＱエンティティーに伝送して処理することは、
上りリンクデータの受信を行う場合、第４のターゲット伝送キャリアの関連情報を取得し、前記第４のターゲット伝送キャリアの関連情報に基づいて、第４のターゲット伝送キャリアを特定するとともに、前記第４の伝送キャリアが受信したデータを、前記第４の伝送キャリアに対応するＭＡＣエンティティー及びＨＡＲＱエンティティーに伝送して処理するために用いられる。
【００７３】
ここでは、第４のターゲット伝送キャリアは、複数の伝送キャリアのうち、上りリンクデータの受信を行う任意の１つの伝送キャリアである。第４のターゲット伝送キャリアが受信したデータは、第４のターゲット伝送キャリアの関連情報によってＩＤを付けられ、当該第４のターゲット伝送キャリアの関連情報に基づいて、当該第４のターゲット伝送キャリアを識別するとともに、上記対応関係情報に基づいて、データを対応するＭＡＣエンティティー及びＨＡＲＱエンティティーに送信して処理する。
【００７４】
本開示の実施例におけるデータ伝送方法では、複数の、ビーム又は伝送ノードを含む伝送キャリアに対応するハイブリッド自動再送要求ＨＡＲＱエンティティーおよびメディアアクセス制御ＭＡＣエンティティーを取得し、下りリンクデータの送信を行う場合、各前記伝送キャリアに対して送信されるデータを、前記伝送キャリアに対応するＭＡＣエンティティー及びＨＡＲＱエンティティーに伝送して処理するが、上りリンクデータの受信を行う場合、各前記伝送キャリアが受信したデータを、前記伝送キャリアに対応するＭＡＣエンティティー及びＨＡＲＱエンティティーに伝送して処理することにより、複数の異なる伝送キャリアによって異なるＨＡＲＱプロセスを用いてデータの送受信を行うことを可能にし、ＨＡＲＱプロセスの数が足りないことに起因した呼び出し遅延を回避するとともに、異なる伝送キャリアをサポートできるＨＡＲＱ伝送によれば、データ伝送の確実性が向上した。
【００７５】
さらに、上記ステップ３０１における複数の伝送キャリアに対応するハイブリッド自動再送要求ＨＡＲＱエンティティーおよびメディアアクセス制御ＭＡＣエンティティーを取得することは、
ネットワーク機器によって配置され、又は、プロトコルによって約束された、ハイブリッド自動再送要求ＨＡＲＱと伝送キャリアとの対応関係情報に基づいて、複数の前記伝送キャリアに対して対応するＨＡＲＱエンティティーおよびＭＡＣエンティティーを配置すること、
又は、端末によって複数の前記伝送キャリアに対して配置されたＨＡＲＱエンティティーおよびＭＡＣエンティティーを取得することを含む。
【００７６】
具体的には、端末は、ハイブリッド自動再送要求ＨＡＲＱと伝送キャリアとの対応関係情報に基づいて、複数の伝送キャリアに対してＨＡＲＱエンティティーおよびＭＡＣエンティティーを配置する。
【００７７】
上記ＨＡＲＱと伝送キャリアとの対応関係情報は、
伝送キャリアの関連情報と、
伝送キャリアの関連情報に対応するＨＡＲＱ配置情報とを含み、
そのうち、伝送キャリアの関連情報は、伝送キャリアＩＤ、伝送キャリアに対応するセルＩＤ、伝送キヤリアに対応する周波数ビンＩＤ、伝送キャリアに対応する帯域幅部分ＢＷＰ  ＩＤ、伝送キャリアに対応する制御チャネル情報ＩＤ、および、伝送キャリアに対応するＭＡＣエンティティーＩＤのうちの少なくとも１つを含む。
【００７８】
例えば、上記伝送キャリアに対応するセルＩＤは、セル１として具体化され、上記伝送キャリアに対応する周波数ビンＩＤは、周波数ビン１として具体化され、上記伝送キャリアに対応する帯域幅部分ＢＷＰ  ＩＤは、ＢＷＰ＿１として具体化され、上記伝送キャリアに対応するＭＡＣエンティティーＩＤは、ＭＡＣ＿１として具体化されてもよい。
【００７９】
上記伝送キャリアＩＤは、同期信号ブロックＳＳＢ  ＩＤ、チャネル状態情報基準信号ＣＳＩ−ＲＳ  ＩＤ、および、基準信号に対応するポート番号ＩＤのうちの少なくとも１つを含み、前記基準信号がＳＳＢ及び／又はＣＳＩ−ＲＳを含む。
【００８０】
上記伝送キャリアＩＤは、ＳＳＢ  ＩＤ及び／又はＣＳＩ−ＲＳ  ＩＤ以外、他の信号ＩＤであってもよいが、ここでは具体的に限定されていない。
【００８１】
上記基準信号に対応するポート番号ＩＤは、ｐｏｒｔ＿１として具体化されてもよく、また、当該基準信号がＳＳＢとＣＳＩ−ＲＳ以外、他の基準信号であってもよいが、ここでは具体的に限定されていない。
【００８２】
上記伝送キャリアに対応する制御チャネルＩＤは、制御チャネルタイプＩＤ、制御チャネルのリソース位置ＩＤ、制御チャネルの基準信号ＩＤ、および、制御チャネルの基準信号に対応するポート番号ＩＤのうちの少なくとも１つを含む。
【００８３】
そのうち、制御チャネルタイプＩＤは、一次セルＰＣｅｌｌのＰＤＣＣＨ＿１として具体化されてもよく、制御チャネルのリソース位置ＩＤは、制御リソースグループ（ＣＯＲＥＳＥＴ）及び／又は検索空間ＩＤ（ｓｅａｒｃｈ  ｓｐａｃｅ）であってもよく、制御チャネルの基準信号ＩＤはＳＳＢ  ＩＤ及び／又はＣＳＩ−ＲＳ  ＩＤであってもよい。
【００８４】
第１の選択肢である実現方式として、複数の伝送キャリアに対して対応するＨＡＲＱエンティティーおよびＭＡＣエンティティーを配置することは、
異なる伝送キャリアに対して異なるＨＡＲＱエンティティーを配置することを含む。
【００８５】
選択的に、上記配置された異なるＨＡＲＱエンティティーは同一のＭＡＣエンティティーに該当する。
【００８６】
当該実現方式では、上記伝送キャリアの関連情報に対応するＨＡＲＱ配置情報は、ＨＡＲＱプロセスの数を含み、例えば、上りリンクデータの送信及び／又は下りリンクデータの受信に対応するＨＡＲＱプロセスの数を含む。
【００８７】
第２の選択肢である実現方式として、
複数の伝送キャリアに対して対応するＨＡＲＱエンティティーおよびＭＡＣエンティティーを配置することは、
前記複数の伝送キャリアに対して同一のＨＡＲＱエンティティーを配置し、かつ、異なる前記伝送キャリアに対して異なるＨＡＲＱプロセス番号を配置することを含む。
【００８８】
当該実現方式では、上記伝送キャリアの関連情報に対応するＨＡＲＱ配置情報は、伝送キャリアに対応するＨＡＲＱエンティティーＩＤ、伝送キャリアが利用可能なＨＡＲＱプロセス番号、伝送キャリアに対応するＨＡＲＱエンティティーの利用可能なＨＡＲＱプロセスの合計数、および、前記伝送キャリアが利用可能なＨＡＲＱプロセスの数のうちの少なくとも１つを含む。
【００８９】
選択的に、上記伝送キャリアの関連情報に対応するＨＡＲＱ配置情報は、第１情報と第２情報のうちの少なくとも１つを含み、前記第１情報は伝送キャリアが利用可能なＨＡＲＱプロセス番号を含み、前記第２情報は伝送キャリアに対応するＨＡＲＱエンティティーの利用可能なＨＡＲＱプロセスの合計数、および、前記伝送キャリアが利用可能なＨＡＲＱプロセスの数を含む。
【００９０】
例えば、上記伝送キャリアが利用可能なＨＡＲＱプロセス番号はビーム１が利用可能なＨＡＲＱプロセス番号［０，  ３］であり、ビーム２が利用可能なＨＡＲＱプロセス番号［１，  ７］である。又は、ビットマップによって当該ビーム又は伝送ノードが利用可能なプロセス番号に対してＩＤを付け、上記伝送キャリアが利用可能なＨＡＲＱプロセスの数は上りリンクデータの送信及び／又は下りリンクデータの受信に対応するＨＡＲＱプロセスの数である。
【００９１】
第３の選択肢である実現方式として、上記複数の伝送キャリアに対して対応するＨＡＲＱエンティティーおよびＭＡＣエンティティーを配置することは、
異なる前記伝送キャリアに対して異なるＨＡＲＱエンティティーを配置し、かつ、異なる前記伝送キャリアに対して異なるＭＡＣエンティティーを配置することを含む。
【００９２】
当該実現方式では、上記ハイブリッド自動再送要求ＨＡＲＱと伝送キャリアとの対応関係情報は、さらに、伝送キャリアに対応するＭＡＣ配置情報を含み、かつ、前記伝送キャリアの関連情報に対応するＨＡＲＱ配置情報はＨＡＲＱプロセスの数を含む。
【００９３】
上記伝送キャリアに対応するＭＡＣ配置情報は、
ＭＡＣエンティティーのＩＤ情報、
前記ＭＡＣエンティティーに対応する１つまたは複数のロジックチャネルＩＤ（例えば、ＬＣＨ＿１）、
ＭＡＣエンティティーのＩＤ情報に対応する１つまたは複数のＤＲＢ  ＩＤ（例えば、ＤＲＢ＿１）、
前記ＭＡＣエンティティーのＩＤ情報に対応する１つまたは複数のデータストリームＩＤ、および、
前記ＭＡＣエンティティーのＩＤ情報に対応する１つまたは複数のセッションＩＤ（例えば、Ｓｅｓｓｉｏｎ＿１）、のうちの少なくとも１つを含む。
【００９４】
選択的に、上記伝送キャリアに対応するＭＡＣ配置情報は、ＭＡＣエンティティーのＩＤ情報を含む。
【００９５】
本開示の実施例におけるデータ伝送方法によれば、ＵＥが複数の異なる伝送キャリアによって異なるＨＡＲＱプロセスを用いてデータの送受信を行うことを可能にし、ＨＡＲＱプロセスの数が足りないことに起因した呼び出し遅延を回避するとともに、異なる伝送キャリアをサポートできるＨＡＲＱ伝送によれば、データ伝送の確実性が向上した。
【００９６】
図７は、本開示の実施例における端末のブロック概略図である。図７に示されるように、本開示の実施例は、端末８００をさらに提供し、
複数の、ビーム又は伝送ノードを含む伝送キャリアに対応するハイブリッド自動再送要求ＨＡＲＱエンティティーおよびメディアアクセス制御ＭＡＣエンティティーを取得するための第１の取得モジュール８０１と、
前記伝送キャリアと、前記伝送キャリアに対応するＨＡＲＱエンティティーおよびＭＡＣエンティティーとの間にデータ伝送を行うための第１の伝送モジュール８０２と、を備える。
【００９７】
本開示の実施例における端末では、前記第１の伝送モジュールは、下りリンクデータの受信を行う場合、各前記伝送キャリアが受信したデータを、前記伝送キャリアに対応するＭＡＣエンティティー及びＨＡＲＱエンティティーに伝送して処理するために用いられ、及び／又は、
上りリンクデータの送信を行う場合、各前記伝送キャリアに対して送信されるデータを、前記伝送キャリアに対応するＭＡＣエンティティー及びＨＡＲＱエンティティーに伝送して処理するために用いられる。
【００９８】
本開示の実施例における端末では、前記第１の取得モジュールは、ネットワーク機器によって配置され、又は、プロトコルによって約束された、ハイブリッド自動再送要求ＨＡＲＱと伝送キャリアとの対応関係情報に基づいて、複数の前記伝送キャリアに対して対応するＨＡＲＱエンティティーおよびＭＡＣエンティティーを配置するために用いられ、
又は、ネットワーク機器によって複数の前記伝送キャリアに対して配置されたＨＡＲＱエンティティーおよびＭＡＣエンティティーを取得するために用いられる。
【００９９】
本開示の実施例における端末では、前記ハイブリッド自動再送要求ＨＡＲＱと伝送キャリアとの対応関係情報は、
伝送キャリアの関連情報と、
伝送キャリアの関連情報に対応するＨＡＲＱ配置情報とを含み、
そのうち、伝送キャリアの関連情報は、伝送キャリアＩＤ、伝送キャリアに対応するセルＩＤ、伝送キャリアに対応する周波数ビンＩＤ、伝送キャリアに対応する帯域幅部分ＢＷＰ  ＩＤ、伝送キャリアに対応する制御チャネル情報ＩＤ、および、伝送キャリアに対応するＭＡＣエンティティーＩＤのうちの少なくとも１つを含む。
本開示の実施例における端末では、
前記第１の取得モジュールは、異なる伝送キャリアに対して異なるＨＡＲＱエンティティーを配置するために用いられる。
本開示の実施例における端末では、前記伝送キャリアの関連情報に対応するＨＡＲＱ配置情報は、ＨＡＲＱプロセスの数を含む。
本開示の実施例における端末では、前記第１の取得モジュールは、前記複数の伝送キャリアに対して同一のＨＡＲＱエンティティーを配置し、かつ、異なる前記伝送キャリアに対して異なるＨＡＲＱプロセス番号を配置するために用いられる。
本開示の実施例における端末では、前記伝送キャリアの関連情報に対応するＨＡＲＱ配置情報は、伝送キャリアに対応するＨＡＲＱエンティティーＩＤ、伝送キャリアが利用可能なＨＡＲＱプロセス番号、伝送キャリアに対応するＨＡＲＱエンティティーの利用可能なＨＡＲＱプロセスの合計数、および、前記伝送キャリアが利用可能なＨＡＲＱプロセスの数のうちの少なくとも１つを含む。
本開示の実施例における端末では、
前記第１の取得モジュールは、異なる前記伝送キャリアに対して異なるＨＡＲＱエンティティーを配置し、かつ、異なる前記伝送キャリアに対して異なるＭＡＣエンティティーを配置するために用いられる。
本開示の実施例における端末では、前記ハイブリッド自動再送要求ＨＡＲＱと伝送キャリアとの対応関係情報は、さらに、伝送キャリアに対応するＭＡＣ配置情報を含み、かつ、前記伝送キャリアの関連情報に対応するＨＡＲＱ配置情報はＨＡＲＱプロセスの数を含む。
本開示の実施例における端末では、前記伝送キャリアに対応するＭＡＣ配置情報は、
ＭＡＣエンティティーのＩＤ情報、
ＭＡＣエンティティーのＩＤ情報に対応する１つまたは複数の論理チャネルＩＤ、
ＭＡＣエンティティーのＩＤ情報に対応する１つまたは複数のＤＲＢ  ＩＤ、
ＭＡＣエンティティーのＩＤ情報に対応する１つまたは複数のデータストリームＩＤ、および、
ＭＡＣエンティティーのＩＤ情報に対応する１つまたは複数のセッションＩＤ、のうちの少なくとも１つを含む。
本開示の実施例における端末では、前記伝送キャリアＩＤは、同期信号ブロックＳＳＢ  ＩＤ、チャネル状態情報基準信号ＣＳＩ−ＲＳ  ＩＤ、および、基準信号に対応するポート番号ＩＤのうちの少なくとも１つを含み、前記基準信号がＳＳＢ及び／又はＣＳＩ−ＲＳを含む。
【０１００】
本開示の実施例における端末では、前記伝送キャリアに対応する制御チャネルＩＤは、制御チャネルタイプＩＤ、制御チャネルのリソース位置ＩＤ、制御チャネルの基準信号ＩＤ、および、制御チャネルの基準信号に対応するポート番号ＩＤのうちの少なくとも１つを含む。
【０１０１】
本開示の実施例における端末では、前記第１の伝送モジュールは、下りリンクデータの受信を行う場合、第１のターゲット伝送キャリアの関連情報を取得し、前記第１のターゲット伝送キャリアの関連情報に基づいて、第１のターゲット伝送キャリアを特定するとともに、前記第１の伝送キャリアが受信したデータを、前記第１の伝送キャリアに対応するＭＡＣエンティティー及びＨＡＲＱエンティティーに伝送して処理するために用いられ、及び／又は、
上りリンクデータの送信を行う場合、第２のターゲット伝送キャリアの関連情報を取得し、前記第２のターゲット伝送キャリアの関連情報に基づいて、第２のターゲット伝送キャリアを特定するとともに、前記第２の伝送キャリアに対して送信されるデータを、前記第２の伝送キャリアに対応するＭＡＣエンティティー及びＨＡＲＱエンティティーに伝送して処理するために用いられる。
【０１０２】
本開示の実施例は、メモリと、プロセッサと、メモリに記憶されているとともに、プロセッサにて運行できるコンピュータプログラムを含み、前記コンピュータプログラムが前記プロセッサによって実行されると、上記端末に用いられるデータ伝送方法についての実施例における各プロセスが実現され、かつ、同様な技術的効果が実現される、端末をさらに提供する。説明の重複を回避するために、ここでは説明を省略する。
【０１０３】
本開示の実施例は、コンピュータプログラムが記憶されており、前記コンピュータプログラムがプロセッサによって実行されると、上記端末に用いられるデータ伝送方法についての実施例における各プロセスが実現され、かつ、同様な技術的効果が実現される、コンピュータ可読記憶媒体をさらに提供する。説明の重複を回避するために、ここでは説明を省略する。ただし、上記コンピュータ可読記憶媒体は、例えば、リードオンリーメモリ（Ｒｅａｄ−Ｏｎｌｙ  Ｍｅｍｏｒｙ、ＲＯＭと略称）、ランダムアクセスメモリ（Ｒａｎｄｏｍ  Ａｃｃｅｓｓ  Ｍｅｍｏｒｙ、ＲＡＭと略称）、磁気ディスクまたは光ディスクなどであってもよい。
【０１０４】
上記目的をよりよく達成させるために、図８に示されるように、本開示の実施例は、メモリ９２０、プロセッサ９００、送受信機９１０、ユーザインタフェース９３０、バスインターフェース及びメモリ９２０に記憶されているとともに、プロセッサ９００にて運行できるコンピュータプログラムを含み、前記プロセッサ９００がメモリ９２０におけるプログラムを読み取るために用いられる端末であって、
複数の、ビーム又は伝送ノードを含む伝送キャリアに対応するハイブリッド自動再送要求ＨＡＲＱエンティティーおよびメディアアクセス制御ＭＡＣエンティティーを取得することと、
前記伝送キャリアと、前記伝送キャリアに対応するＨＡＲＱエンティティーおよびＭＡＣエンティティーとの間にデータ伝送を行うこととを実行する端末をさらに提供する。
【０１０５】
なお、図８では、バスアーキテクチャには、任意の数の相互接続されたバスとブリッジが含まれてもよい。具体的には、プロセッサ９００をはじめとする１つまたは複数のプロセッサは、メモリ９２０をはじめとするメモリの種々の回路と接続されている。バスアーキテクチャは、さらに、周辺デバイス、電圧調整器、および電力管理回路等のような種々の他の回路を接続することができる。それは、当分野で公知されたものであるため、本明細書では、更なる説明を省略する。バスインターフェースは、インターフェースを提供する。送受信機９１０は、複数の素子であってもよく、すなわち、送信機と送受信機を含み、伝送媒体において種々の他の装置と通信するためのユニットを提供する。異なるユーザ機器に対し、ユーザインタフェース９３０は、さらに、必要な機器との外部接続も内部接続も可能なインターフェースであってもよい。接続される機器は、キーパッド、ディスプレイ、スピーカ、マイクロホン、ジョイスティックなどを含んでもよいが、それらに限らない。
【０１０６】
プロセッサ９００は、バスアーキテクチャの管理や一般的な処理を行う役割を果たし、メモリ９２０は、プロセッサ９００の操作時に用いられるデータを記憶することができる。
【０１０７】
選択的に、前記プロセッサ９００は、メモリ９２０におけるプログラムを読み取ることによって、さらに、
ハイブリッド自動再送要求ＨＡＲＱと伝送キャリアとの対応関係情報に基づいて、複数の前記伝送キャリアに対して対応するＨＡＲＱエンティティーおよびＭＡＣエンティティーを配置すること、
又は、ネットワーク機器によって複数の前記伝送キャリアに対して配置されたＨＡＲＱエンティティーおよびＭＡＣエンティティーを取得することを実行するために用いられる。
【０１０８】
選択的に、前記ハイブリッド自動再送要求ＨＡＲＱと伝送キャリアとの対応関係情報は、
伝送キャリアの関連情報と、
伝送キャリアの関連情報に対応するＨＡＲＱ配置情報とを含み、
そのうち、伝送キャリアの関連情報は、伝送キャリアＩＤ、伝送キャリアに対応するセルＩＤ、伝送キヤリアに対応する周波数ビンＩＤ、伝送キャリアに対応する帯域幅部分ＢＷＰ  ＩＤ、伝送キャリアに対応する制御チャネル情報ＩＤ、および、伝送キャリアに対応するＭＡＣエンティティーＩＤのうちの少なくとも１つを含む。
【０１０９】
選択的に、前記プロセッサ９００は、メモリ９２０におけるプログラムを読み取ることによって、さらに、
異なる伝送キャリアに対して異なるＨＡＲＱエンティティーを配置することを実行するために用いられる。
【０１１０】
選択的に、前記伝送キャリアの関連情報に対応するＨＡＲＱ配置情報は、ＨＡＲＱプロセスの数を含む。
【０１１１】
選択的に、前記プロセッサ９００は、メモリ９２０におけるプログラムを読み取ることによって、さらに、
前記複数の伝送キャリアに対して同一のＨＡＲＱエンティティーを配置し、かつ、異なる前記伝送キャリアに対して異なるＨＡＲＱプロセス番号を配置することを実行するために用いられる。
【０１１２】
選択的に、前記伝送キャリアの関連情報に対応するＨＡＲＱ配置情報は、伝送キャリアに対応するＨＡＲＱエンティティーＩＤ、伝送キャリアが利用可能なＨＡＲＱプロセス番号、伝送キャリアに対応するＨＡＲＱエンティティーの利用可能なＨＡＲＱプロセスの合計数、および、前記伝送キャリアが利用可能なＨＡＲＱプロセスの数のうちの少なくとも１つを含む。
【０１１３】
選択的に、前記プロセッサ９００は、メモリ９２０におけるプログラムを読み取ることによって、さらに、
異なる前記伝送キャリアに対して異なるＨＡＲＱエンティティーを配置し、かつ、異なる前記伝送キャリアに対して異なるＭＡＣエンティティーを配置することを実行するために用いられる。
【０１１４】
選択的に、前記ハイブリッド自動再送要求ＨＡＲＱと伝送キャリアとの対応関係情報は、さらに、伝送キャリアに対応するＭＡＣ配置情報を含み、かつ、前記伝送キャリアの関連情報に対応するＨＡＲＱ配置情報はＨＡＲＱプロセスの数を含む。
【０１１５】
選択的に、前記伝送キャリアに対応するＭＡＣ配置情報は、
ＭＡＣエンティティーのＩＤ情報、
ＭＡＣエンティティーのＩＤ情報に対応する１つまたは複数の論理チャネルＩＤ、
ＭＡＣエンティティーのＩＤ情報に対応する１つまたは複数のＤＲＢ  ＩＤ、
ＭＡＣエンティティーのＩＤ情報に対応する１つまたは複数のデータストリームＩＤ、および、
ＭＡＣエンティティーのＩＤ情報に対応する１つまたは複数のセッションＩＤ、のうちの少なくとも１つを含む。
【０１１６】
選択的に、前記伝送キャリアＩＤは、同期信号ブロックＳＳＢ  ＩＤ、チャネル状態情報基準信号ＣＳＩ−ＲＳ  ＩＤ、および、基準信号に対応するポート番号ＩＤのうちの少なくとも１つを含み、前記基準信号がＳＳＢ及び／又はＣＳＩ−ＲＳを含む。
【０１１７】
選択的に、前記伝送キャリアに対応する制御チャネルＩＤは、制御チャネルタイプＩＤ、制御チャネルのリソース位置ＩＤ、制御チャネルの基準信号ＩＤ、および、制御チャネルの基準信号に対応するポート番号ＩＤのうちの少なくとも１つを含む。
【０１１８】
選択的に、前記プロセッサ９００は、メモリ９２０におけるプログラムを読み取ることによって、さらに、
下りリンクデータの受信を行う場合、各前記伝送キャリアが受信したデータを、前記伝送キャリアに対応するＭＡＣエンティティー及びＨＡＲＱエンティティーに伝送して処理すること、及び／又は、
上りリンクデータの送信を行う場合、各前記伝送キャリアに対して送信されるデータを、前記伝送キャリアに対応するＭＡＣエンティティー及びＨＡＲＱエンティティーに伝送して処理することを実行するために用いられる。
【０１１９】
選択的に、前記プロセッサ９００は、メモリ９２０におけるプログラムを読み取ることによって、さらに、
下りリンクデータの受信を行う場合、第１のターゲット伝送キャリアの関連情報を取得することと、
前記第１のターゲット伝送キャリアの関連情報に基づいて、第１のターゲット伝送キャリアを特定するとともに、前記第１の伝送キャリアが受信したデータを、前記第１の伝送キャリアに対応するＭＡＣエンティティー及びＨＡＲＱエンティティーに伝送して処理することとを実行するために用いられる。
【０１２０】
選択的に、前記プロセッサ９００は、メモリ９２０におけるプログラムを読み取ることによって、さらに、
上りリンクデータの送信を行う場合、第２のターゲット伝送キャリアの関連情報を取得することと、
端末１０００によって実行される特定の機能に関する音声（例えば、呼び信号受信音、メッセージ着信音など）の出力を提供することができる。音声出力ユニット１００３は、スピーカー、ブザー、および、受話器などを含む。
【０１２１】
入力ユニット１００４は、音声または映像信号を受信するために用いられる。入力ユニット１００４は、グラフィックスプロセッサ（Ｇｒａｐｈｉｃｓ  Ｐｒｏｃｅｓｓｉｎｇ  Ｕｎｉｔ、ＧＰＵ）１００４１とマイクロホン１００４２を含んでもよく、グラフィックスプロセッサ１００４１は、映像取得モードまたは画像取得モードにおいて、画像取得装置（例えば、カメラ）によって得られた静止画像又は映像の画像データを処理する。処理後の画像フレームは、表示ユニット１００６に表示されてもよい。グラフィックスプロセッサ１００４１によって処理された画像フレームは、メモリ１００９（又は他の記憶媒体）に記憶されてもよく、又は、無線周波数ユニット１００１又はネットワークモジュール１００２によって送信されてもよい。マイクロホン１００４２は、音響を受信するとともに、そのような音響を音声データとして処理することができる。処理後の音声データは、電話の通話モードにおいて、無線周波数ユニット１００１によって移動通信ネットワーク機器へ送信されることが可能な形式の出力として変換されてもよい。
【０１２２】
端末１０００は、さらに、少なくとも１つのセンサ１００５、例えば、光センサ、運動センサ、又は、他のセンサを含んでもよい。具体的には、光センサは、環境光センサと接近センサを含み、ただし、環境光センサは環境光の明暗に応じて表示パネル１００６１の輝度を調整することができ、接近センサは端末１０００が耳元に移動したとき、表示パネル１００６１及び／又はバックライトをオフにすることができる。運動センサの１種として、加速度計センサは、各方向（通常、３軸）での加速度の大きさを検出することができ、静止の場合、重力の大きさ及び方向を検出することができ、端末の姿勢（例えば、縦横画面切り替え、関連ゲーム、磁力計姿勢校正）への識別、関連機能への振動識別（例えば、歩数計、タップ）などのために用いられてもよい。センサ１００５は、さらに、指紋センサ、圧力センサ、虹彩センサ、分子センサ、ジャイロ、気圧計、湿度計、温度計、赤外線センサなどを含んでもよいが、ここではその説明を省略する。
【０１２３】
表示ユニット１００６は、ユーザによって入力された情報またはユーザのために提供される情報を表示するために用いられる。表示ユニット１００６は、表示パネル１００６１を含んでもよく、液晶ディスプレイ（Ｌｉｑｕｉｄ  Ｃｒｙｓｔａｌ  Ｄｉｓｐｌａｙ、ＬＣＤ）、有機発光ダイオード（Ｏｒｇａｎｉｃ  Ｌｉｇｈｔ−Ｅｍｉｔｔｉｎｇ  Ｄｉｏｄｅ、ＯＬＥＤ）などの形式で、表示パネル１００６１を配置してもよい。
【０１２４】
ユーザ入力ユニット１００７は、入力された数字または文字情報を受信し、端末でのユーザの設置や機能制御に関するキー信号入力を発生するために用いられてもよい。具体的には、ユーザ入力ユニット１００７は、タッチパネル１００７１及び他の入力機器１００７２を含む。タッチパネル１００７１は、タッチスクリーンとも呼ばれ、その上又はその近傍でのユーザによるタッチ操作（例えば、ユーザが指、タッチペンなどの任意の適切な物体又はアタッチメントを用いて、タッチパネル１００７１の上またはタッチパネル１００７１の近傍で行う操作）を収集することができる。タッチパネル１００７１は、タッチ検出装置とタッチコントローラの２部分を含んでもよい。そのうち、タッチ検出装置は、ユーザによるタッチの方向を検出するとともに、タッチ操作による信号を検出し、信号をタッチコントローラに伝送する。タッチコントローラは、タッチ検出装置からタッチ情報を受信して、タッチポイント座標に変換してから、プロセッサ１０１０に送信し、また、プロセッサ１０１０から送信されたコマンドを受信して実行する。また、タッチパネル１００７１は、抵抗式、静電容量式、赤外線及び表面音声波などの種々のタイプのものとして実現されてもよい。タッチパネル１００７１以外、ユーザ入力ユニット１００７は、他の入力機器１００７２をさらに含んでもよい。具体的には、他の入力機器１００７２は、物理的キーボード、機能キー（例えば、音量制御キー、スイッチキーなど）、トラックボール、マウス、操作レバーを含んでもよいが、それらに限らない。ここではその説明を省略する。
【０１２５】
さらに、タッチパネル１００７１は、表示パネル１００６１に覆われてもよい。タッチパネル１００７１は、その上または近傍でのタッチ操作を検出した場合、プロセッサ１０１０に送信してタッチイベントのタイプを特定し、その後、プロセッサ１０１０は、タッチイベントのタイプに応じて相応な視覚出力を表示パネル１００６１に提供する。図９では、タッチパネル１００７１と表示パネル１００６１は２つの独立した部材として、端末の入力と出力機能を実現するために用いられることが示されるが、しかし、いくつかの実施例では、タッチパネル１００７１と表示パネル１００６１を集積して端末の入力・出力機能を実現させてもよい。具体的には、ここでは限定しない。
【０１２６】
インターフェースユニット１００８は、外部装置と端末１０００との接続のためのインタフェースである。例えば、外部装置は、有線または無線頭部装着型ヘッドフォンポート、外部電源（またはバッテリ充電器）ポート、有線または無線データポート、メモリカードポート、識別モジュールを有する装置への接続用のポート、音声入力／出力（Ｉｎｐｕｔ／Ｏｕｔｐｕｔ、Ｉ／Ｏ）ポート、映像Ｉ／Ｏポート、ヘッドフォンポートなどを含んでもよい。インタフェースユニット１００８は、外部装置からの入力（例えば、データ情報、電力など）を受信するとともに、受信した入力を端末１０００内の１つまたは複数の素子に伝送し、または、端末１０００と外部装置の間にデータを伝送するために用いられてもよい。
【０１２７】
メモリ１００９は、ソフトウェアプログラム及び種々のデータを記憶するために用いられてもよい。メモリ１００９は、主に、オペレーティングシステム、少なくとも１つの機能に必要なアプリケーションプログラム（例えば、音響放送機能、画像放送機能など）などを記憶することができるプログラム記憶エリアと、携帯電話の利用によって作成したデータ（例えば、音声データ、電話帳など）などを記憶することができるデータ記憶エリアを含んでもよい。また、メモリ１００９は、高速ランダムアクセスメモリを含んでもよく、例えば、少なくとも１つのディスクメモリ、フラッシュメモリのような不揮発性メモリ、又は、他の揮発性固体記憶デバイスをさらに含んでもよい。
【０１２８】
プロセッサ１０１０は、端末の制御センターであり、種々のインターフェースや回線によって端末全体の各部分に接続され、メモリ１００９内に記憶されたソフトウェアプログラム及び／又はモジュールを運行または実行させること、および、メモリ１００９内に記憶されたデータを呼び出すことにより、端末の種々の機能を実行し、データを処理することで、端末全体をモニタする。プロセッサ１０１０は、１つまたは複数の処理ユニットを含んでもよい。選択的に、プロセッサ１０１０は、アプリケーションプロセッサと変復調プロセッサとを集積したものであってもよい。アプリケーションプロセッサは主にオペレーティングシステム、ユーザインタフェース、および、アプリケーションプログラムなどを処理するためのものであり、変復調プロセッサは主に無線通信を処理するためのものである。理解すべきなのは、上記変復調プロセッサは、プロセッサ１０１０に集積されなくてもよい。
【０１２９】
端末１０００は、各部材に対して電力を供給する電源１０１１（たとえば、バッテリー）をさらに含んでもよい。選択的に、電源１０１１は、電源管理システムによってプロセッサ１０１０に論理的に接続されてもよい。それにより、電源管理システムによって、充放電の管理や電力消耗管理などの機能を実現させることができる。
【０１３０】
また、端末１０００は、図示されない幾つかの機能モジュールを含んでもよいが、ここではその説明を省略する。
【０１３１】
図１０に示されるように、本開示の実施例は、さらに、
複数の、ビーム又は伝送ノードを含む伝送キャリアに対応するハイブリッド自動再送要求ＨＡＲＱエンティティーおよびメディアアクセス制御ＭＡＣエンティティーを取得するための第２の取得モジュール１１０１と、
前記伝送キャリアと、前記伝送キャリアに対応するＨＡＲＱエンティティーおよびＭＡＣエンティティーとの間にデータ伝送を行うための第２の伝送モジュール１１０２と、を備えるネットワーク機器１１００を提供する。
【０１３２】
本開示の実施例におけるネットワーク機器では、前記第２の取得モジュールは、ハイブリッド自動再送要求ＨＡＲＱと伝送キャリアとの対応関係情報に基づいて、複数の前記伝送キャリアに対して対応するＨＡＲＱエンティティーおよびＭＡＣエンティティーを配置するために用いられ、
又は、前記第２の取得モジュールは、端末によって複数の前記伝送キャリアに対して配置されたＨＡＲＱエンティティーおよびＭＡＣエンティティーを取得するために用いられる。
【０１３３】
本開示の実施例におけるネットワーク機器では、前記ハイブリット自動再送要求ＨＡＲＱと伝送キャリアとの対応関係情報は、
伝送キャリアの関連情報と、
伝送キャリアの関連情報に対応するＨＡＲＱ配置情報とを含み、
そのうち、伝送キャリアの関連情報は、伝送キャリアＩＤ、伝送キャリアに対応するセルＩＤ、伝送キヤリアに対応する周波数ビンＩＤ、伝送キャリアに対応する帯域幅部分ＢＷＰ  ＩＤ、伝送キャリアに対応する制御チャネル情報ＩＤ、および、伝送キャリアに対応するＭＡＣエンティティーＩＤのうちの少なくとも１つを含む。
【０１３４】
本開示の実施例におけるネットワーク機器では、前記第２の取得モジュールは、異なる伝送キャリアに対して異なるＨＡＲＱエンティティーを配置するために用いられる。
【０１３５】
本開示の実施例におけるネットワーク機器では、前記伝送キャリアの関連情報に対応するＨＡＲＱ配置情報は、ＨＡＲＱプロセスの数を含む。
【０１３６】
本開示の実施例におけるネットワーク機器では、前記第２の取得モジュールは、前記複数の伝送キャリアに対して同一のＨＡＲＱエンティティーを配置し、かつ、異なる前記伝送キャリアに対して異なるＨＡＲＱプロセス番号を配置するために用いられる。
【０１３７】
本開示の実施例におけるネットワーク機器では、前記伝送キャリアの関連情報に対応するＨＡＲＱ配置情報は、伝送キャリアに対応するＨＡＲＱエンティティーＩＤ、伝送キャリアが利用可能なＨＡＲＱプロセス番号、伝送キャリアに対応するＨＡＲＱエンティティーの利用可能なＨＡＲＱプロセスの合計数、および、前記伝送キャリアが利用可能なＨＡＲＱプロセスの数のうちの少なくとも１つを含む。
【０１３８】
本開示の実施例におけるネットワーク機器では、前記第２の取得モジュールは、異なる前記伝送キャリアに対して異なるＨＡＲＱエンティティーを配置し、かつ、異なる前記伝送キャリアに対して異なるＭＡＣエンティティーを配置するために用いられる。
【０１３９】
前記ハイブリッド自動再送要求ＨＡＲＱと伝送キャリアとの対応関係情報は、さらに、伝送キャリアに対応するＭＡＣ配置情報を含み、かつ、前記伝送キャリアの関連情報に対応するＨＡＲＱ配置情報はＨＡＲＱプロセスの数を含む。
【０１４０】
本開示の実施例におけるネットワーク機器では、前記伝送キャリアに対応するＭＡＣ配置情報は、
ＭＡＣエンティティーのＩＤ情報、
ＭＡＣエンティティーのＩＤ情報に対応する１つまたは複数の論理チャネルＩＤ、
ＭＡＣエンティティーのＩＤ情報に対応する１つまたは複数のＤＲＢ  ＩＤ、
ＭＡＣエンティティーのＩＤ情報に対応する１つまたは複数のデータストリームＩＤ、および、
ＭＡＣエンティティーのＩＤ情報に対応する１つまたは複数のセッションＩＤ、のうちの少なくとも１つを含む。
【０１４１】
本開示の実施例におけるネットワーク機器では、前記伝送キャリアＩＤは、同期信号ブロックＳＳＢ  ＩＤ、チャネル状態情報基準信号ＣＳＩ−ＲＳ  ＩＤ、および、基準信号に対応するポート番号ＩＤのうちの少なくとも１つを含み、前記基準信号がＳＳＢ及び／又はＣＳＩ−ＲＳを含む。
【０１４２】
本開示の実施例におけるネットワーク機器では、前記伝送キャリアに対応する制御チャネルＩＤは、制御チャネルタイプＩＤ、制御チャネルのリソース位置ＩＤ、制御チャネルの基準信号ＩＤ、および、制御チャネルの基準信号に対応するポート番号ＩＤのうちの少なくとも１つを含む。
【０１４３】
本開示の実施例におけるネットワーク機器では、前記第２の伝送モジュールは、下りリンクデータの送信を行う場合、各前記伝送キャリアに対して送信されるデータを、前記伝送キャリアに対応するＭＡＣエンティティー及びＨＡＲＱエンティティーに伝送して処理するために用いられ、及び／又は、
上りリンクデータの受信を行う場合、各前記伝送キャリアが受信したデータを、前記伝送キャリアに対応するＭＡＣエンティティー及びＨＡＲＱエンティティーに伝送して処理するために用いられる。
【０１４４】
本開示の実施例におけるネットワーク機器では、前記第２の伝送モジュールは、下りリンクデータの送信を行う場合、第３のターゲット伝送キャリアの関連情報を取得し、前記第３のターゲット伝送キャリアの関連情報に基づいて、第３のターゲット伝送キャリアを特定するとともに、前記第３の伝送キャリアに対して送信されるデータを、前記第３の伝送キャリアに対応するＭＡＣエンティティー及びＨＡＲＱエンティティーに伝送して処理するために用いられ、及び／又は、
上りリンクデータの受信を行う場合、第４のターゲット伝送キャリアの関連情報を取得し、前記第４のターゲット伝送キャリアの関連情報に基づいて、第４のターゲット伝送キャリアを特定するとともに、前記第４の伝送キャリアが受信したデータを、前記第４の伝送キャリアに対応するＭＡＣエンティティー及びＨＡＲＱエンティティーに伝送して処理するために用いられる。
【０１４５】
本開示の実施例は、メモリと、プロセッサと、メモリに記憶されているとともに、プロセッサにて運行できるコンピュータプログラムを含み、前記コンピュータプログラムが前記プロセッサによって実行されると、上記ネットワーク機器に用いられるデータ伝送方法についての方法実施例における各プロセスが実現され、かつ、同様な技術的効果が実現される、ネットワーク機器をさらに提供する。説明の重複を回避するために、ここでは説明を省略する。
【０１４６】
本開示の実施例は、コンピュータプログラムが記憶されており、前記コンピュータプログラムがプロセッサによって実行されると、上記ネットワーク機器に用いられるデータ伝送方法についての実施例における各プロセスが実現され、かつ、同様な技術的効果が実現される、コンピュータ可読記憶媒体をさらに提供する。説明の重複を回避するために、ここでは説明を省略する。そのうち、前記コンピュータ可読記憶媒体は、例えば、ＲＯＭ、ＲＡＭ、磁気ディスク、又は光ディスクなどである。
【０１４７】
図１１に示されるように、本開示の実施例は、プロセッサ１２０１、送受信機１２０２、メモリ２６０３、および、バスインターフェースを含むネットワーク機器１２００をさらに提供し、
プロセッサ１２０１は、メモリ１２０３におけるプログラムを読み取るために用いられ、
複数の、ビーム又は伝送ノードを含む伝送キャリアに対応するハイブリッド自動再送要求ＨＡＲＱエンティティーおよびメディアアクセス制御ＭＡＣエンティティーを取得することと、
前記伝送キャリアと、前記伝送キャリアに対応するＨＡＲＱエンティティーおよびＭＡＣエンティティーとの間にデータ伝送を行うこととを実行するために用いられる。
【０１４８】
図１１では、バスアーキテクチャには、任意の数の相互接続されたバスとブリッジが含まれてもよい。具体的には、プロセッサ１２０１をはじめとする１つまたは複数のプロセッサは、メモリ１２０３をはじめとするメモリの種々の回路と接続されている。バスアーキテクチャは、さらに、周辺デバイス、電圧調整器、および電力管理回路等のような種々の他の回路を接続することができる。それは、当分野で公知されたものである。そのため、本明細書では、更なる説明を省略する。バスインターフェースは、インターフェースを提供する。送受信機１２０２は、複数の素子であってもよく、すなわち、送信機と受信機を含み、伝送媒体において種々の他の装置と通信するためのユニットを提供する。
【０１４９】
プロセッサ１２０１は、バスアーキテクチャの管理や一般的な処理を行う役割を果たし、メモリ１２０３は、プロセッサ１２０１の操作時に用いられるデータを記憶することができる。
【０１５０】
選択的に、前記プロセッサ１２０１は、メモリ１２０３におけるプログラムを読み取ることによって、さらに、
ネットワーク機器によって配置され、又は、プロトコルによって約束された、ハイブリッド自動再送要求ＨＡＲＱと伝送キャリアとの対応関係情報に基づいて、複数の前記伝送キャリアに対して対応するＨＡＲＱエンティティーおよびＭＡＣエンティティーを配置すること、
又は、端末によって複数の前記伝送キャリアに対して配置されたＨＡＲＱエンティティーおよびＭＡＣエンティティーを取得することを実行するために用いられる。
【０１５１】
選択的に、前記ハイブリッド自動再送要求ＨＡＲＱと伝送キャリアとの対応関係情報は、
伝送キャリアの関連情報と、
伝送キャリアの関連情報に対応するＨＡＲＱ配置情報とを含み、
そのうち、伝送キャリアの関連情報は、伝送キャリアＩＤ、伝送キャリアに対応するセルＩＤ、伝送キヤリアに対応する周波数ビンＩＤ、伝送キャリアに対応する帯域幅部分ＢＷＰ  ＩＤ、伝送キャリアに対応する制御チャネル情報ＩＤ、および、伝送キャリアに対応するＭＡＣエンティティーＩＤのうちの少なくとも１つを含む。
【０１５２】
選択的に、複数の伝送キャリアに対して対応するＨＡＲＱエンティティーおよびＭＡＣエンティティーを配置することは、
異なる伝送キャリアに対して異なるＨＡＲＱエンティティーを配置することを含む。
【０１５３】
選択的に、前記伝送キャリアの関連情報に対応するＨＡＲＱ配置情報は、ＨＡＲＱプロセスの数を含む。
【０１５４】
選択的に、前記プロセッサ１２０１は、メモリ１２０３におけるプログラムを読み取ることによって、さらに、
前記複数の伝送キャリアに対して同一のＨＡＲＱエンティティーを配置し、かつ、異なる前記伝送キャリアに対して異なるＨＡＲＱプロセス番号を配置することを実行するために用いられる。
【０１５５】
前記伝送キャリアの関連情報に対応するＨＡＲＱ配置情報は、伝送キャリアに対応するＨＡＲＱエンティティーＩＤ、伝送キャリアが利用可能なＨＡＲＱプロセス番号、伝送キャリアに対応するＨＡＲＱエンティティーの利用可能なＨＡＲＱプロセスの合計数、および、前記伝送キャリアが利用可能なＨＡＲＱプロセスの数のうちの少なくとも１つを含む。
【０１５６】
選択的に、前記プロセッサ１２０１は、メモリ１２０３におけるプログラムを読み取ることによって、さらに、
異なる前記伝送キャリアに対して異なるＨＡＲＱエンティティーを配置し、かつ、異なる前記伝送キャリアに対して異なるＭＡＣエンティティーを配置するために用いられる。
【０１５７】
選択的に、前記ハイブリッド自動再送要求ＨＡＲＱと伝送キャリアとの対応関係情報は、さらに、伝送キャリアに対応するＭＡＣ配置情報を含み、かつ、前記伝送キャリアの関連情報に対応するＨＡＲＱ配置情報はＨＡＲＱプロセスの数を含む。
【０１５８】
選択的に、前記伝送キャリアに対応するＭＡＣ配置情報は、
ＭＡＣエンティティーのＩＤ情報、
ＭＡＣエンティティーのＩＤ情報に対応する１つまたは複数の論理チャネルＩＤ、
ＭＡＣエンティティーのＩＤ情報に対応する１つまたは複数のＤＲＢ  ＩＤ、
ＭＡＣエンティティーのＩＤ情報に対応する１つまたは複数のデータストリームＩＤ、および、
ＭＡＣエンティティーのＩＤ情報に対応する１つまたは複数のセッションＩＤ、のうちの少なくとも１つを含む。
【０１５９】
選択的に、前記伝送キャリアＩＤは、同期信号ブロックＳＳＢ  ＩＤ、チャネル状態情報基準信号ＣＳＩ−ＲＳ  ＩＤ、および、基準信号に対応するポート番号ＩＤのうちの少なくとも１つを含み、前記基準信号がＳＳＢ及び／又はＣＳＩ−ＲＳを含む。
【０１６０】
選択的に、前記伝送キャリアに対応する制御チャネルＩＤは、制御チャネルタイプＩＤ、制御チャネルのリソース位置ＩＤ、制御チャネルの基準信号ＩＤ、および、制御チャネルの基準信号に対応するポート番号ＩＤのうちの少なくとも１つを含む。
【０１６１】
選択的に、前記プロセッサ１２０１は、メモリ１２０３におけるプログラムを読み取ることによって、さらに、
下りリンクデータの送信を行う場合、各前記伝送キャリアに対して送信されるデータを、前記伝送キャリアに対応するＭＡＣエンティティー及びＨＡＲＱエンティティーに伝送して処理すること、及び／又は、
上りリンクデータの受信を行う場合、各前記伝送キャリアが受信したデータを、前記伝送キャリアに対応するＭＡＣエンティティー及びＨＡＲＱエンティティーに伝送して処理することを実行するために用いられる。
【０１６２】
選択的に、前記プロセッサ１２０１は、メモリ１２０３におけるプログラムを読み取ることによって、さらに、
下りリンクデータの送信を行う場合、第３のターゲット伝送キャリアの関連情報を取得し、前記第３のターゲット伝送キャリアの関連情報に基づいて、第３のターゲット伝送キャリアを特定するとともに、前記第３の伝送キャリアに対して送信されるデータを、前記第３の伝送キャリアに対応するＭＡＣエンティティー及びＨＡＲＱエンティティーに伝送して処理すること、および、
上りリンクデータの受信を行う場合、第４のターゲット伝送キャリアの関連情報を取得し、前記第４のターゲット伝送キャリアの関連情報に基づいて、第４のターゲット伝送キャリアを特定するとともに、前記第４の伝送キャリアが受信したデータを、前記第４の伝送キャリアに対応するＭＡＣエンティティー及びＨＡＲＱエンティティーに伝送して処理することを実行するために用いられる。
【０１６３】
ここに説明すべきなのは、本明細書では、「含む」、「包含」という用語又は他の変形は、非排除性の「含む」を意図的にカバーするものであり、それにより、一連の要素を含むプロセス、方法、物品または装置はそれらの要素を含むだけではなく、明確に挙げられていない他の要素、又は、そのようなプロセス、方法、物品または装置の固有の要素も含む。あまり多くの制限がない場合、「１つの・・・を含む」という文章で限定された要素について、当該要素を含むプロセス、方法、物品または装置には、他の同様の要素がさらに存在することが排除できない。
【０１６４】
上記実施の形態の記載により、当業者は、上記実施例の方法がソフトウェアと必要な汎用ハードウェアのプラットフォームの方式によって実現されてもよいことを明確に知っているはずである。勿論、ハードウェアによっても実現されるが、しかし、多くの場合、前者が好適な実施の形態である。そのような理解を踏まえて、本開示の技術案は、実質上、又は、関連技術に対して貢献した部分が、ソフトウェア製品の形式によって表されてもよい。当該コンピュータソフトウェア製品は一記憶媒体（例えば、ＲＯＭ／ＲＡＭ、磁気ディスク、光ディスク）に記憶され、若干のコマンドを含み、また、本開示の各実施例に記載の方法を一端末機器（携帯電話、コンピュータ、サーバ、空気調和器、又は、ネットワーク側機器などであってもよい）に実行させる。
【０１６５】
当業者であれば、本明細書に開示の実施例に記述の各例示を組み合わせたユニットやアルゴリズムステップは、電子ハードウェア、又は、コンピュータソフトウェアと電子ハードウェアとの組み合わせによって実現されてもよいことを意識しているはずである。それらの機能がハードウェアかソフトウェアかによって実行されることは、技術案の特定の応用や設計拘束条件によって決められる。専門技術者は、各特定の応用に対して異なる方法を用いて記述される機能を実現させることができるが、しかし、そのような実現が本開示の範囲を超えたものとして認定されてはならない。
【０１６６】
当業界の技術者は、記述の便宜上や簡潔上、上記記述されるシステム、装置、および、ユニットの具体的な作動プロセスについて、前に記載の方法実施例における対応プロセスを参照されてもよいことを明確に把握できる。ここでは説明を省略する。
【０１６７】
本開示が提供する実施例では、開示された装置や方法は、他の方式によって実現されてもよいことが理解すべきである。例えば、以上に記述されている装置実施例は、例示的なものに過ぎない。上記ユニットのグループ化を例にすると、論理的機能に基づくグループ化に過ぎず、実際な実現方式として、別のグループ化する方式が用いられてもよい。例えば、複数のユニット又は部品は組み合わせられ、又は、別の１つのシステムに集積されてもよい。あるいは、いくつかの特徴を見逃し、又は、実行しなくてもよい。ところで、表示または検討されている相互に結合され、又は、直接に結合され、又は、通信接続されたことは、いくつかのインターフェースによって実現されてもよいが、装置またはユニットの間接的結合又は通信接続は、電気的、機械的、又は、他の形式のものであってもよい。
【０１６８】
離間している部材として説明されていたユニットは、物理的に離間しているものであってもよいが、そのようなものでなくてもよい。ユニットとして表示される部材は、物理的ユニットであってもよいが、そのようなものでなくてもよい。すなわち、一箇所に位置するものであってもよく、又は、複数のネットワークユニットに分布しているものであってもよい。実際な必要に応じて、その中の一部又は全部のユニットを選択して本実施例の方案の目的を実現させることができる。
【０１６９】
また、本開示の各実施例における各機能ユニットは１つの処理ユニットに集積されてもよく、各ユニットが物理的に個別に存在してもよく、２つ以上のユニットが１つのユニットに集積されてもよい。
【０１７０】
上記機能は、ソフトウェア機能ユニットの形式で実現されて、独立した製品として販売や使用される場合、１つのコンピュータ可読記憶媒体に記憶されてもよい。そのような理解を踏まえて、本開示の技術案は、実質上、又は、従来技術に対して貢献した部分が、ソフトウェア製品の形式によって表されてもよい。当該コンピュータソフトウェア製品は一記憶媒体に記憶され、若干のコマンドを含み、それにより、本開示の各実施例に記載の方法における全部または一部のステップを一コンピュータ機器（パソコン、サーバ、又は、ネットワーク側機器などであってもよい）に実行させる。上述した記憶媒体は、Ｕディスク、リムーバブルディスク、ＲＯＭ、ＲＡＭ、磁気ディスク、又は、光ディスクなどの種々のプログラムコードを記憶することができる媒体を含む。
【０１７１】
理解すべきなのは、本開示の実施例に記載のそれらの実施例は、ハードウェア、ソフトウェア、ファームウェア、ミドルウェア、マイクロコードまたはそれらの組み合わせによって実現されてもよい。ハードウェアの実現について、処理ユニットは、１つ又は複数の専用集積回路（Ａｐｐｌｉｃａｔｉｏｎ  Ｓｐｅｃｉｆｉｃ  Ｉｎｔｅｇｒａｔｅｄ  Ｃｉｒｃｕｉｔｓ、ＡＳＩＣ）、デジタル信号プロセッサ（Ｄｉｇｉｔａｌ  Ｓｉｇｎａｌ  Ｐｒｏｃｅｓｓｉｎｇ、ＤＳＰ）、デジタル信号処理装置（ＤＳＰ  Ｄｅｖｉｃｅ、ＤＳＰＤ）、プログラマブル論理デバイス（Ｐｒｏｇｒａｍｍａｂｌｅ  Ｌｏｇｉｃ  Ｄｅｖｉｃｅ  、ＰＬＤ）、フィールドプログラマブルゲートアレイ（Ｆｉｅｌｄ−Ｐｒｏｇｒａｍｍａｂｌｅ  Ｇａｔｅ  Ａｒｒａｙ、ＦＰＧＡ）、汎用プロセッサ、コントローラ、マイクロコントローラ、マイクロプロセッサ、本開示に記載の機能を実行するための他の電子素子またはそれらの組み合わせに実現されてもよい。
【０１７２】
ソフトウェアの実現について、本開示の実施例に記載の機能を実行するモジュール（例えば、プロセス、関数など）によって、本開示の実施例に記載の技術が実現されてもよい。ソフトウェアコードは、メモリに記憶されているとともに、プロセッサによって実行される。メモリは、プロセッサ内またはプロセッサの外部に実現されてもよい。
【０１７３】
当業者であれば、上記実施例における方法の全部または一部を実現するプロセスが、コンピュータプログラムによって関連したハードウェアを制御することで完成してもよく、上記プログラムが一コンピュータ可読記憶媒体に記憶されてもよく、当該プログラムが実行されるとき、上記各方法の実施例のプロセスが含まれてもよいことを理解できるはずである。そのうち、前記記憶媒体は磁気ディスク、光ディスク、ＲＯＭ、又は、ＲＡＭなどであってもよい。
【０１７４】
以上は、添付図面を組み合わせながら、本開示の実施例を記述していたが、しかし、本開示は、上記具体的な実施の形態に限らず、上記具体的な実施の形態は例示的なものに過ぎず、制限性のあるものではない。当業者は、本開示による示唆を基にして、本開示の趣旨や特許請求の範囲から逸脱しない限り、多くの形式上の変更を行うことができ、それらのいずれも本開示の保護範囲に入っている。
【０１７５】
〔関連出願の相互参照〕
【０１７６】
本出願は、２０１８年９月２１日に中国で提出された中国特許出願番号Ｎｏ．２０１８１１１１００３２．１の優先権を主張しており、同出願の内容の全ては、ここに参照として取り込まれる。
【図１】
2022500948.tif 000003
【図２】
2022500948.tif 000004
【図３】
2022500948.tif 000005
【図４】
2022500948.tif 000006
【図５】
2022500948.tif 000007
【図６】
2022500948.tif 000008
【図７】
2022500948.tif 000009
【図８】
2022500948.tif 000010
【図９】
2022500948.tif 000011
【図１０】
2022500948.tif 000012
【図１１】
2022500948.tif 000013
【手続補正書】
【提出日】令和3年3月19日(2021.3.19)
【手続補正１】
【補正対象書類名】明細書
【補正対象項目名】全文
【補正方法】変更
【補正の内容】
【発明の詳細な説明】
【技術分野】
【０００１】
本開示は、通信応用の技術分野に関し、特に、データ伝送方法、端末、及び、ネットワーク機器に関する。
【背景技術】
【０００２】
長期進化（Ｌｏｎｇ  Ｔｅｒｍ  Ｅｖｏｌｕｔｉｏｎ、ＬＴＥ）又は５Ｇ新無線アクセス技術（Ｎｅｗ  Ｒａｄｉｏ、ＮＲ）システムにおいて、上りリンクデータと下りリンクデータの伝送は、ハイブリッド自動再送要求（Ｈｙｂｒｉｄ  Ａｕｔｏｍａｔｉｃ  Ｒｅｐｅａｔ  Ｒｅｑｕｅｓｔ、ＨＡＲＱ）によって実現される。図１に示されるように、ユーザ機器又は端末（Ｕｓｅｒ  Ｅｑｕｉｐｍｅｎｔ、ＵＥ）は、複数のメディアアクセス制御（Ｍｅｄｉｕｍ  Ａｃｃｅｓｓ  Ｃｏｎｔｒｏｌ、ＭＡＣ）エンティティー（例えば、マスタセル（Ｍａｓｔｅｒ  Ｃｅｌｌ  Ｇｒｏｕｐ、ＭＣＧ）ＭＡＣ及びセカンドセル（Ｓｅｃｏｎｄａｒｙ  Ｃｅｌｌ  Ｇｒｏｕｐ、ＳＣＧ）ＭＡＣ）を有してもよく、各ＭＡＣエンティティーが自体の独立したＨＡＲＱエンティティー（Ｅｎｔｉｔｙ）を有する。各ＨＡＲＱエンティティーは、１つのセル又は周波数ビン（例えば、図１におけるユニットキャリアＣＣ１）のデータの送受信を制御するために用いられ、すなわち１つのＣＣのデータの送信及び再送は、何れもＨＡＲＱエンティティーによって実現される。各ＨＡＲＱエンティティーは、複数のＨＡＲＱプロセス（ｐｒｏｃｅｓｓ）を有し、異なるデータが異なるＨＡＲＱプロセスによって送受信される。ここで、各ＣＣにおけるＨＡＲＱ  ｐｒｏｃｅｓｓの数は、ＨＡＲＱラウンドトリップタイム（Ｒｏｕｎｄ  Ｔｒｉｐ  Ｔｉｍｅ、ＲＴＴ）によって決められる（すなわち、データの送信から当該データに対するフィードバックの受信までの時間である。例えば、ラウンドトリップタイムが８ミリ秒で、各データの送信時間が１ミリ秒であれば、各時点でのデータ送信を可能にするために、ＨＡＲＱ  ｐｒｏｃｅｓｓの数を８にする）。ここで、ＭＡＣエンティティーと上位レイヤエンティティーとの間のデータインタフェースは、論理チャネル（Ｌｏｇｉｃａｌ  Ｃｈａｎｎｅｌ、ＬＣＨ）であり、例えば、図１におけるＬＣＨ１が考えられる。また、複数の論理チャネルのデータは、多重化（すなわち、ｍｕｌｔｉｐｌｅｘｉｎｇ）機能により、同一のＭＡＣプロトコルデータユニット（Ｐｒｏｔｏｃｏｌ  Ｄａｔａ  Ｕｎｉｔ、ＰＤＵ）として、ＨＡＲＱ  ｐｒｏｃｅｓｓにて送信されることができる。
【０００３】
５Ｇ（５  Ｇｅｎｅｒａｔｉｏｎ、第５世代）移動通信システムにおいて、下りリンク伝送速度を２０Ｇｂｐｓに、上りリンク伝送速度を１０Ｇｂｐｓにする目標を達成させるために、高周波通信や大規模アンテナ技術が導入される。高周波通信は、より広いシステム帯域幅を提供することができ、アンテナのサイズもより小さくすることができ、基地局やＵＥにおける大規模アンテナの配置により有利なである。基地局側は、Ｍｕｌｔｉ−ｂｅａｍ（マルチビーム）又はＭｕｌｔｉ−ＴＲＰ  Ｔｒａｎｓｍｉｓｓｉｏｎ  Ｐｏｉｎｔ（マルチ送受信ポイント）を用いてデータの送受信を行い、ＵＥ側におけるＭｕｌｔｉ−ｂｅａｍ又はＭｕｌｔｉ−ＴＲＰ  Ｔｒａｎｓｍｉｓｓｉｏｎ  Ｐｏｉｎｔの送受信は、幅広く適用されつつある。
【０００４】
しかしながら、複数の異なるビーム又は伝送ノードを用いてＵＥに対するデータの送受信を行う場合、どのようなＨＡＲＱによる伝送方式が用いられるかについては、明確な方法がまだない。
【発明の概要】
【発明が解決しようとする課題】
【０００５】
本開示は、複数の異なるビーム又は伝送ノードを用いてＵＥに対するデータの送受信を行う場合、どのようなＨＡＲＱによる伝送方式が用いられるかについての明確な手段がまだないという問題を解決する、データ伝送方法、端末、及びネットワーク機器を提供することを目的にしている。
【課題を解決するための手段】
【０００６】
第１の態様では、本開示の実施例は、端末に用いられるデータ伝送方法であって、
複数の、ビーム又は伝送ノードを含む伝送キャリアに対応するハイブリッド自動再送要求ＨＡＲＱエンティティーおよびメディアアクセス制御ＭＡＣエンティティーを取得することと、
前記伝送キャリアと、前記伝送キャリアに対応するＨＡＲＱエンティティーおよびＭＡＣエンティティーとの間にデータ伝送を行うこととを含むデータ伝送方法を提供する。
【０００７】
第２の態様では、本開示の実施例は、さらに、ネットワーク機器に用いられるデータ伝送方法であって、
複数の、ビーム又は伝送ノードを含む伝送キャリアに対応するハイブリッド自動再送要求ＨＡＲＱエンティティーおよびメディアアクセス制御ＭＡＣエンティティーを取得することと、
前記伝送キャリアと、前記伝送キャリアに対応するＨＡＲＱエンティティーおよびＭＡＣエンティティーとの間にデータ伝送を行うこととを含むデータ伝送方法を提供する。
【０００８】
第３の態様では、本開示の実施例は、さらに、
複数の、ビーム又は伝送ノードを含む伝送キャリアに対応するハイブリッド自動再送要求ＨＡＲＱエンティティーおよびメディアアクセス制御ＭＡＣエンティティーを取得するための第１の取得モジュールと、
前記伝送キャリアと、前記伝送キャリアに対応するＨＡＲＱエンティティーおよびＭＡＣエンティティーとの間にデータ伝送を行うための第１の伝送モジュールと、を備える端末を提供する。
【０００９】
第４の態様では、本開示の実施例は、さらに、メモリと、プロセッサと、メモリに記憶されているとともに、プロセッサにて運行できるコンピュータプログラムと、を含み、前記コンピュータプログラムが前記プロセッサによって実行されると、上述したようなデータ伝送方法のステップを実現させる、端末を提供する。
【００１０】
第５の態様では、本開示の実施例は、さらに、
複数の、ビーム又は伝送ノードを含む伝送キャリアに対応するハイブリッド自動再送要求ＨＡＲＱエンティティーおよびメディアアクセス制御ＭＡＣエンティティーを取得するための第２の取得モジュールと、
前記伝送キャリアと、前記伝送キャリアに対応するＨＡＲＱエンティティーおよびＭＡＣエンティティーとの間にデータ伝送を行うための第２の伝送モジュールと、を備えるネットワーク機器を提供する。
【００１１】
第６の態様では、本開示の実施例は、さらに、メモリと、プロセッサと、メモリに記憶されているとともに、プロセッサにて運行できるコンピュータプログラムと、を含み、前記コンピュータプログラムが前記プロセッサによって実行されると、上述したようなデータ伝送方法のステップを実現させる、ネットワーク機器を提供する。
【００１２】
第７の態様では、本発明の実施例は、さらに、コンピュータプログラムが記憶されており、前記コンピュータプログラムがプロセッサによって実行されると、上述したようなデータ伝送方法のステップを実現させる、コンピュータ可読記憶媒体を提供する。
【発明の効果】
【００１３】
本開示の実施例は、以下のような有益な効果を有する。
【００１４】
本開示の実施例における上記技術案では、複数の、ビーム又は伝送ノードを含む伝送キャリアに対応するハイブリッド自動再送要求ＨＡＲＱエンティティーおよびメディアアクセス制御ＭＡＣエンティティーを取得し、前記伝送キャリアと、前記伝送キャリアに対応するＨＡＲＱエンティティーおよびＭＡＣエンティティーとの間にデータ伝送を行うことにより、端末が複数の異なる伝送キャリアによって異なるＨＡＲＱプロセスを用いてデータの送受信を行うことを可能にし、ＨＡＲＱプロセスの数が足りないことに起因した呼び出し遅延を回避するとともに、異なる伝送キャリアをサポートできるＨＡＲＱ伝送によれば、データ伝送の確実性が向上した。
【図面の簡単な説明】
【００１５】
【図１】ＭＡＣエンティティー及びＨＡＲＱエンティティーの構造ブロック図である。
【図２】本開示の実施例が応用できるネットワークシステムの構造図である。
【図３】本開示の実施例におけるデータ伝送方法のフローチャートである。
【図４】本開示の実施例における伝送キャリアと、対応するＭＡＣエンティティーおよびＨＡＲＱエンティティーとの第１の概略図である。
【図５】本開示の実施例における伝送キャリアと、対応するＭＡＣエンティティーおよびＨＡＲＱエンティティーとの第２の概略図である。
【図６】本開示の実施例における伝送キャリアと、対応するＭＡＣエンティティーおよびＨＡＲＱエンティティーとの第３の概略図である。
【図７】本開示の実施例における端末のブロック概略図である。
【図８】本発明の実施例における端末の構造ブロック図のその１である。
【図９】本発明の実施例における端末の構造ブロック図のその２である。
【図１０】本開示の実施例におけるネットワーク機器のブロック概略図である。
【図１１】本発明の実施例におけるネットワーク機器の構造ブロック図である。
【発明を実施するための形態】
【００１６】
本開示の実施例における技術案をさらに明確に説明するために、以下は、本開示における実施例の記述に使用すべき添付図面を簡単に紹介する。自明なことに、後述する添付図面はただ本開示のいくつかの実施例に過ぎず、当業者にとって、それらの添付図面に基づいて、他の添付図面を取得することができる。
【００１７】
以下は、添付図面を参照しながら、本開示の例示的な実施例をより詳しく説明する。添付図面には、本開示の例示的な実施例が示されたが、本開示は、種々な形式で実現することができ、ここに記載の実施例により限られたものではないと、理解すべきである。逆に、それらの実施例を提供する目的は、本開示をさらに明確に理解できるようにすることであって、本開示の範囲を当業者に伝えることができることである。
【００１８】
本願の明細書及び特許請求の範囲における用語である「第１の」、「第２の」などは、類似した対象を区別させるためのものであり、必ずしも特定の順序又は前後順序を記述するために用いられるものではない。理解すべきなのは、そのように用いられるデータは、適宜な場合に交換されることが可能であり、それにより、ここに記載の本願の実施例が、例えば、ここに図示又は記述されたもの以外の順序に従って実施されることもできる。また、用語である「含む」、「備える」及びそれらの任意の変形は、非排他的な「含む」をカバーするためのものであり、例えば、一連のステップまたはユニットのプロセス、方法、システム、製品又は装置を含むことは、これらのステップまたはユニットを明確にリストすることに限らず、明確にリストされていない、または、これらのプロセス、方法、製品または装置の固有の他のステップまたはユニットを含んでもよいことを意味している。明細書及び特許請求の範囲における「及び／又は」は、接続される対象の少なくとも１つを表す。
【００１９】
以下に記載や提供された例示は、特許請求の範囲、適用性、または、配置を限定するためのものではない。本開示の範囲から逸脱することなく、検討される要素の機能や配置を変化させることができる。各例示では、種々のルールやプロセス又はアセンブリを適切に省略、置き換え、又は、添加することができる。例えば、記述される順序とは異なる順序に従って記述される方法を実行するとともに、種々のステップを添加、省略、組み合わせすることができる。また、いくつかの例示を参照して記述される特徴は、他の例示に組み合わせられることも可能である。
【００２０】
図２を参照して、図２は、本開示の実施例が応用できるネットワークシステムの構造図である。図２に示されるように、ユーザ端末１１と基地局１２を含み、そのうち、ユーザ端末１１は、ユーザ機器（Ｕｓｅｒ  Ｅｑｕｉｐｍｅｎｔ、ＵＥ）であってもよく、例えば、携帯電話、タブレットパソコン（Ｔａｂｌｅｔ  Ｐｅｒｓｏｎａｌ  Ｃｏｍｐｕｔｅｒ）、ラップトップコンピュータ（Ｌａｐｔｏｐ  Ｃｏｍｐｕｔｅｒ）、パーソナルデジタルアシスタント（Ｐｅｒｓｏｎａｌ  Ｄｉｇｉｔａｌ  Ａｓｓｉｓｔａｎｔ、ＰＤＡと略称）、モバイルインターネット装置（Ｍｏｂｉｌｅ  Ｉｎｔｅｒｎｅｔ  Ｄｅｖｉｃｅ、ＭＩＤ）、又は、ウェアラブル装置（Ｗｅａｒａｂｌｅ  Ｄｅｖｉｃｅ）などの端末側機器であってもよい。ここに説明すべきなのは、本開示の実施例では、ユーザ端末１１の具体的なタイプについて限定されていない。上記基地局１２は、５Ｇ及びその後続のバージョンの基地局（例えば、ｇＮＢ、５Ｇ  ＮＲ  ＮＢ）であってもよく、又は、他の通信システムにおける基地局であってもよく、又は、ノードＢ、進化型ノードＢ、送受信ノード（ｔｒａｎｓｍｉｔｔｉｎｇ  ｒｅｃｅｉｖｉｎｇ  ｐｏｉｎｔ、ＴＲＰ）又は当分野における他の言葉として呼ばれてもよい。同様な技術的効果を実現できれば、上記基地局は必ずしも特定の技術用語で表されたものではない。ここに説明すべきなのは、本開示の実施例では、５Ｇ基地局のみを例として説明しているが、しかし、基地局１２の具体的なタイプについて限定されていない。
【００２１】
図３は、本開示の実施例におけるデータ伝送方法のフローチャートである。図３に示されるように、本開示の実施例は、端末に用いられるデータ伝送方法を提供し、以下のステップを含む。
【００２２】
ステップ３０１：複数の、ビーム又は伝送ノードを含む伝送キャリアに対応するハイブリッド自動再送要求ＨＡＲＱエンティティーおよびメディアアクセス制御ＭＡＣエンティティーを取得すること。
【００２３】
本開示の実施例では、異なる伝送キャリアは同一のＭＡＣエンティティーに対応するとともに、異なるＨＡＲＱエンティティーに対応することができる。その場合、ＨＡＲＱエンティティーによって、異なる伝送キャリアを区別させることができる。また、異なる伝送キャリアは同一のＭＡＣエンティティーに対応するとともに、同一のＨＡＲＱエンティティーに対応することもできる。その場合、ＨＡＲＱプロセス番号によって、異なる伝送キャリアのデータを区別させることができる。さらに、異なる伝送キャリアは異なるＭＡＣエンティティーに対応するとともに、異なるＨＡＲＱエンティティーに対応することができる。その場合、ＭＡＣエンティティーのＩＤ情報によって、異なる伝送キャリアのデータを区別させることができる。
【００２４】
しかも、本開示の実施例では、複数の伝送キャリアに対応するハイブリッド自動再送要求ＨＡＲＱエンティティーおよびメディアアクセス制御ＭＡＣエンティティーは、端末またはネットワーク機器がハイブリッド自動再送要求ＨＡＲＱと伝送キャリアとの対応関係情報に基づいて得られたものである。
【００２５】
そのうち、ハイブリッド自動再送要求ＨＡＲＱと伝送キャリアとの対応関係情報は、伝送キャリアの関連情報、および伝送キャリアの関連情報に対応するＨＡＲＱ配置情報を含む。
【００２６】
上記伝送キャリアの関連情報は、伝送キャリアＩＤ、伝送キャリアに対応するセルＩＤ、伝送キヤリアに対応する周波数ビンＩＤ、伝送キャリアに対応する帯域幅部分（Ｂａｎｄｗｉｄｔｈ  Ｐａｒｔ、ＢＷＰ）ＩＤ、伝送キャリアに対応する制御チャネルＩＤ、および、伝送キャリアに対応するＭＡＣエンティティーＩＤのうちの少なくとも１つを含む。
【００２７】
ステップ３０２：前記伝送キャリアと、前記伝送キャリアに対応するＨＡＲＱエンティティーおよびＭＡＣエンティティーとの間にデータ伝送を行うこと。
【００２８】
具体的には、当該ステップ３０２では、下りリンクデータの受信を行う場合、各前記伝送キャリアが受信したデータを、前記伝送キャリアに対応するＭＡＣエンティティー及びＨＡＲＱエンティティーに伝送して処理すること、及び／又は、
上りリンクデータの送信を行う場合、各前記伝送キャリアに対して送信されるデータを、前記伝送キャリアに対応するＭＡＣエンティティー及びＨＡＲＱエンティティーに伝送して処理すること、を含む。
【００２９】
そのうち、下りリンクデータの受信を行う場合、各前記伝送キャリアが受信したデータを、前記伝送キャリアに対応するＭＡＣエンティティー及びＨＡＲＱエンティティーに伝送して処理することは、
下りリンクデータの受信を行う場合、第１のターゲット伝送キャリアの関連情報を取得することと、前記第１のターゲット伝送キャリアの関連情報に基づいて、第１のターゲット伝送キャリアを特定するとともに、前記第１の伝送キャリアが受信したデータを、前記第１の伝送キャリアに対応するＭＡＣエンティティー及びＨＡＲＱエンティティーに伝送して処理することとを含む。
【００３０】
ここでは、第１のターゲット伝送キャリアは、複数の伝送キャリアのうち、下りリンクデータの受信を行う任意の１つの伝送キャリアである。第１のターゲット伝送キャリアが受信したデータは、第１のターゲット伝送キャリアの関連情報によってＩＤを付けられ、さらに、当該第１のターゲット伝送キャリアの関連情報に基づいて、当該第１のターゲット伝送キャリアを識別するとともに、上記対応関係情報に基づいて、データを対応するＭＡＣエンティティー及びＨＡＲＱエンティティーに送信して処理する。
【００３１】
例えば、ＵＥは物理下りリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）の下りリンク制御情報（Ｄｏｗｎｌｉｎｋ  Ｃｏｎｔｒｏｌ  Ｉｎｆｏｒｍａｔｉｏｎ、ＤＣＩ）の下りリンクリソース割当情報における下りリンクデータに基づき、第１のターゲット伝送キャリアの関連情報を取得するとともに、データを当該第１のターゲット伝送キャリアに対応するＭＡＣエンティティー及びＨＡＲＱエンティティーに送信して処理する。又は、ＵＥは、物理下りリンク共有チャネル（Ｐｈｙｓｉｃａｌ  Ｄｏｗｎｌｉｎｋ  Ｓｈａｒｅｄ  Ｃｈａｎｎｅｌ、ＰＤＳＣＨ）の基準信号（例えば、同期信号ブロック（Ｓｙｎｃｈｒｏｎｉｚａｔｉｏｎ  Ｓｉｇｎａｌ  Ｂｌｏｃｋ、ＳＳＢ）及び／又はチャネル状態情報基準信号（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ、ＣＳＩ−ＲＳ）情報における下りリンクデータに基づき、第１のターゲット伝送キャリアの関連情報を取得するとともに、データを当該第１のターゲット伝送キャリアに対応するＭＡＣエンティティー及びＨＡＲＱエンティティーに送信して処理する。
【００３２】
そのうち、上りリンクデータの送信を行う場合、各前記伝送キャリアに対して送信されるデータを、前記伝送キャリアに対応するＭＡＣエンティティー及びＨＡＲＱエンティティーに伝送して処理することは、
上りリンクデータの送信を行う場合、第２のターゲット伝送キャリアの関連情報を取得することと、前記第２のターゲット伝送キャリアの関連情報に基づいて、第２のターゲット伝送キャリアを特定するとともに、前記第２の伝送キャリアに対して送信されるデータを、前記第２の伝送キャリアに対応するＭＡＣエンティティー及びＨＡＲＱエンティティーに伝送して処理することとを含む。
【００３３】
端末は、上りリンクデータの送信を行うとき、伝送キャリアの関連情報を所持することができ、それにより、ネットワーク機器は当該伝送キャリアの関連情報に基づいて相応な伝送キャリアを識別することができる。
【００３４】
ここでは、第２のターゲット伝送キャリアは、複数の伝送キャリアのうち、上りリンクデータの受信を行う任意の１つの伝送キャリアである。第２のターゲット伝送キャリアによって送信されたデータは、第２のターゲット伝送キャリアの関連情報によってＩＤを付けられる。
【００３５】
例えば、ＵＥは、物理下りリンク制御チャネルＰＤＣＣＨの下りリンク制御情報ＤＣＩの上りリンクリソース割当情報における上りリンクデータに基づき、第２のターゲット伝送キャリアの関連情報を取得するとともに、データを当該第２のターゲット伝送キャリアに対応するＭＡＣエンティティー及びＨＡＲＱエンティティーに送信して処理する。又は、ＵＥは、物理下りリンク共有チャネルＰＤＳＣＨの基準信号情報における上りリンクデータに基づき、第２のターゲット伝送キャリアの関連情報を取得するとともに、データを当該第２のターゲット伝送キャリアに対応するＭＡＣエンティティー及びＨＡＲＱエンティティーに送信して処理する。
【００３６】
本開示の実施例におけるデータ伝送方法では、複数の、ビーム又は伝送ノードを含む伝送キャリアに対応するハイブリッド自動再送要求ＨＡＲＱエンティティーおよびメディアアクセス制御ＭＡＣエンティティーを取得し、下りリンクデータの受信を行う場合、各前記伝送キャリアが受信したデータを、前記伝送キャリアに対応するＭＡＣエンティティー及びＨＡＲＱエンティティーに伝送して処理するが、上りリンクデータの送信を行う場合、各前記伝送キャリアに対して送信されるデータを、前記伝送キャリアに対応するＭＡＣエンティティー及びＨＡＲＱエンティティーに伝送して処理することにより、端末が複数の異なる伝送キャリアによって異なるＨＡＲＱプロセスを用いてデータの送受信を行うことを可能にし、ＨＡＲＱプロセスの数が足りないことに起因した呼び出し遅延を回避するとともに、異なる伝送キャリアをサポートできるＨＡＲＱ伝送によれば、データ伝送の確実性が向上した。
【００３７】
さらに、上記ステップ３０１における複数の伝送キャリアに対応するハイブリッド自動再送要求ＨＡＲＱエンティティーおよびメディアアクセス制御ＭＡＣエンティティーを取得することは、
ネットワーク機器によって配置され、又は、プロトコルによって約束された、ハイブリッド自動再送要求ＨＡＲＱと伝送キャリアとの対応関係情報に基づいて、複数の前記伝送キャリアに対して対応するＨＡＲＱエンティティーおよびＭＡＣエンティティーを配置すること、
又は、ネットワーク機器によって複数の前記伝送キャリアに対して配置されたＨＡＲＱエンティティーおよびＭＡＣエンティティーを取得することを含む。
【００３８】
具体的には、ネットワーク機器は、ハイブリッド自動再送要求ＨＡＲＱと伝送キャリアとの対応関係情報に基づいて、複数の伝送キャリアに対してＨＡＲＱエンティティーおよびＭＡＣエンティティーを配置する。
【００３９】
上記ＨＡＲＱと伝送キャリアとの対応関係情報は、
伝送キャリアの関連情報と、
伝送キャリアの関連情報に対応するＨＡＲＱ配置情報とを含み、
そのうち、伝送キャリアの関連情報は、伝送キャリアＩＤ、伝送キャリアに対応するセルＩＤ、伝送キヤリアに対応する周波数ビンＩＤ、伝送キャリアに対応する帯域幅部分ＢＷＰ  ＩＤ、伝送キャリアに対応する制御チャネルＩＤ、および、伝送キャリアに対応するＭＡＣエンティティーＩＤのうちの少なくとも１つを含む。
【００４０】
例えば、上記伝送キャリアに対応するセルＩＤは、セル１として具体化され、上記伝送キャリアに対応する周波数ビンＩＤは、周波数ビン１として具体化され、上記伝送キャリアに対応する帯域幅部分ＢＷＰ  ＩＤは、ＢＷＰ＿１として具体化され、上記伝送キャリアに対応するＭＡＣエンティティーＩＤは、ＭＡＣ＿１として具体化されてもよい。
【００４１】
上記伝送キャリアＩＤは、同期信号ブロックＳＳＢ  ＩＤ、チャネル状態情報基準信号ＣＳＩ−ＲＳ  ＩＤ、および、基準信号に対応するポート番号ＩＤのうちの少なくとも１つを含み、前記基準信号がＳＳＢ及び／又はＣＳＩ−ＲＳを含む。
【００４２】
上記伝送キャリアＩＤは、ＳＳＢ  ＩＤ及び／又はＣＳＩ−ＲＳ  ＩＤ以外、他の信号ＩＤであってもよいが、ここでは具体的に限定されていない。
【００４３】
上記基準信号に対応するポート番号ＩＤは、ｐｏｒｔ＿１として具体化されてもよく、また、当該基準信号がＳＳＢとＣＳＩ−ＲＳ以外、他の基準信号であってもよいが、ここでは具体的に限定されていない。
【００４４】
上記伝送キャリアに対応する制御チャネルＩＤは、制御チャネルタイプＩＤ、制御チャネルのリソース位置ＩＤ、制御チャネルの基準信号ＩＤ、および、制御チャネルの基準信号に対応するポート番号ＩＤのうちの少なくとも１つを含む。
【００４５】
そのうち、制御チャネルタイプＩＤは、マスタセルセルＰＣｅｌｌのＰＤＣＣＨ＿１として具体化されてもよく、制御チャネルのリソース位置ＩＤは、制御リソースグループ（ＣＯＲＥＳＥＴ）及び／又は検索空間ＩＤ（ｓｅａｒｃｈ  ｓｐａｃｅ）であってもよく、制御チャネルの基準信号ＩＤはＳＳＢ  ＩＤ及び／又はＣＳＩ−ＲＳ  ＩＤであってもよい。
【００４６】
第１の選択肢である実現方式として、上記複数の伝送キャリアに対して対応するＨＡＲＱエンティティーおよびＭＡＣエンティティーを配置することは、
異なる伝送キャリアに対して異なるＨＡＲＱエンティティーを配置することを含む。
【００４７】
選択的に、上記配置された異なるＨＡＲＱエンティティーは同一のＭＡＣエンティティーに該当する。
【００４８】
当該実現方式では、上記伝送キャリアの関連情報に対応するＨＡＲＱ配置情報は、ＨＡＲＱプロセスの数を含み、例えば、上りリンクデータの送信及び／又は下りリンクデータの受信に対応するＨＡＲＱプロセスの数を含む。
【００４９】
図４に示されるように、ユニットキャリア１の伝送キャリア１（ＴＲＰ１  ｏｆ  ＣＣ１）とユニットキャリア１の伝送キャリア２（ＴＲＰ２  ｏｆ  ＣＣ１）は同一のＭＡＣエンティティー（ＭＣＧ  ＭＡＣ）に対応するとともに、異なるＨＡＲＱエンティティーに対応する。
【００５０】
第２の選択肢である実現方式として、
複数の伝送キャリアに対して対応するＨＡＲＱエンティティーおよびＭＡＣエンティティーを配置することは、
前記複数の伝送キャリアに対して同一のＨＡＲＱエンティティーを配置し、かつ、異なる前記伝送キャリアに対して異なるＨＡＲＱプロセス番号を配置することを含む。
【００５１】
当該実現方式では、上記伝送キャリアの関連情報に対応するＨＡＲＱ配置情報は、伝送キャリアに対応するＨＡＲＱエンティティーＩＤ、伝送キャリアが利用可能なＨＡＲＱプロセス番号、伝送キャリアに対応するＨＡＲＱエンティティーの利用可能なＨＡＲＱプロセスの合計数、および、前記伝送キャリアが利用可能なＨＡＲＱプロセスの数のうちの少なくとも１つを含む。
【００５２】
選択的に、上記伝送キャリアの関連情報に対応するＨＡＲＱ配置情報は、第１情報と第２情報のうちの少なくとも１つを含み、前記第１情報は伝送キャリアが利用可能なＨＡＲＱプロセス番号を含み、前記第２情報は伝送キャリアに対応するＨＡＲＱエンティティーの利用可能なＨＡＲＱプロセスの合計数、および、前記伝送キャリアが利用可能なＨＡＲＱプロセスの数を含む。
【００５３】
例えば、上記伝送キャリアが利用可能なＨＡＲＱプロセス番号はビーム１が利用可能なＨＡＲＱプロセス番号［０、３］であり、ビーム２が利用可能なＨＡＲＱプロセス番号［１、７］である。又は、ビットマップによって当該ビーム又は伝送ノードが利用可能なＨＡＲＱプロセス番号に対してＩＤを付け、上記伝送キャリアが利用可能なＨＡＲＱプロセスの数は上りリンクデータの送信及び／又は下りリンクデータの受信に対応するＨＡＲＱプロセスの数である。
【００５４】
図５に示されるように、ユニットキャリア１の伝送キャリア１と伝送キャリア２（ＴＲＰ１＋ＴＲＰ２  ｏｆ  ＣＣ１）は同一のＭＡＣエンティティー（ＭＣＧ  ＭＡＣ）に対応するとともに、同一のＨＡＲＱエンティティーに対応し、ユニットキャリア２の伝送キャリア３と伝送キャリア４（ＴＲＰ３＋ＴＲＰ４  ｏｆ  ＣＣ２）は同一のＭＡＣエンティティー（ＭＣＧ  ＭＡＣ）に対応するとともに、同一のＨＡＲＱエンティティーに対応する。
【００５５】
第３の選択肢である実現方式として、
複数の伝送キャリアに対して対応するＨＡＲＱエンティティーおよびＭＡＣエンティティーを配置することは、
異なる前記伝送キャリアに対して異なるＨＡＲＱエンティティーを配置し、かつ、異なる前記伝送キャリアに対して異なるＭＡＣエンティティーを配置することを含む。
【００５６】
当該実現方式では、上記ハイブリッド自動再送要求ＨＡＲＱと伝送キャリアとの対応関係情報は、さらに、伝送キャリアに対応するＭＡＣ配置情報を含み、かつ、前記伝送キャリアの関連情報に対応するＨＡＲＱ配置情報はＨＡＲＱプロセスの数を含む。
【００５７】
図６に示されるように、ユニットキャリア１の伝送キャリア１（ＴＲＰ１  ｏｆ  ＣＣ１）は１つのＭＡＣエンティティーに対応し、ユニットキャリア１の伝送キャリア２（ＴＲＰ２  ｏｆ  ＣＣ１）はもう１つのＭＡＣエンティティーに対応し、かつ、両者が異なるＨＡＲＱエンティティーに対応する。
【００５８】
上記伝送キャリアに対応するＭＡＣ配置情報は、
ＭＡＣエンティティーのＩＤ情報、
前記ＭＡＣエンティティーに対応する１つまたは複数の論理チャネルＩＤ（例えば、ＬＣＨ＿１）、
ＭＡＣエンティティーのＩＤ情報に対応する１つまたは複数のデータ無線ベアラ（Ｄａｔａ  Ｒａｄｉｏ  Ｂｅａｒｅｒ、ＤＲＢ）ＩＤ（例えば、ＤＲＢ＿１）、
前記ＭＡＣエンティティーのＩＤ情報に対応する１つまたは複数のデータストリームＩＤ、および、
前記ＭＡＣエンティティーのＩＤ情報に対応する１つまたは複数のセッションＩＤ（例えば、Ｓｅｓｓｉｏｎ＿１）、のうちの少なくとも１つを含む。
【００５９】
選択的に、上記伝送キャリアに対応するＭＡＣ配置情報は、ＭＡＣエンティティーのＩＤ情報を含む。
【００６０】
本開示の実施例におけるデータ伝送方法によれば、端末が複数の異なる伝送キャリアによって異なるＨＡＲＱプロセスを用いてデータの送受信を行うことを可能にし、ＨＡＲＱプロセスの数が足りないことに起因した呼び出し遅延を回避するとともに、異なる伝送キャリアをサポートできるＨＡＲＱ伝送によれば、データ伝送の確実性が向上した。
【００６１】
図３に示されるように、本開示の実施例は、さらに、ネットワーク機器に用いられるデータ伝送方法を提供し、以下のステップが含まれる。
【００６２】
ステップ３０１：複数の、ビーム又は伝送ノードを含む伝送キャリアに対応するハイブリッド自動再送要求ＨＡＲＱエンティティーおよびメディアアクセス制御ＭＡＣエンティティーを取得すること。
【００６３】
本開示の実施例では、異なる伝送キャリアは同一のＭＡＣエンティティーに対応するとともに、異なるＨＡＲＱエンティティーに対応することができる。その場合、ＨＡＲＱエンティティーによって、異なる伝送キャリアを区別させることができる。また、異なる伝送キャリアは同一のＭＡＣエンティティーに対応するとともに、同一のＨＡＲＱエンティティーに対応することもできる。その場合、ＨＡＲＱプロセス番号によって、異なる伝送キャリアのデータを区別させることができる。さらに、異なる伝送キャリアは異なるＭＡＣエンティティーに対応するとともに、異なるＨＡＲＱエンティティーに対応することができる。その場合、ＭＡＣエンティティーのＩＤ情報によって、異なる伝送キャリアのデータを区別させることができる。
【００６４】
しかも、本開示の実施例では、複数の伝送キャリアに対応するハイブリッド自動再送要求ＨＡＲＱエンティティーおよびメディアアクセス制御ＭＡＣエンティティーは、端末またはネットワーク機器がハイブリッド自動再送要求ＨＡＲＱと伝送キャリアとの対応関係情報に基づいて得られたものである。
【００６５】
そのうち、ハイブリッド自動再送要求ＨＡＲＱと伝送キャリアとの対応関係情報は、伝送キャリアの関連情報、および伝送キャリアの関連情報に対応するＨＡＲＱ配置情報を含む。
【００６６】
上記伝送キャリアの関連情報は、伝送キャリアＩＤ、伝送キャリアに対応するセルＩＤ、伝送キヤリアに対応する周波数ビンＩＤ、伝送キャリアに対応する帯域幅部分（Ｂａｎｄｗｉｄｔｈ  Ｐａｒｔ、ＢＷＰ）ＩＤ、伝送キャリアに対応する制御チャネルＩＤ、および、伝送キャリアに対応するＭＡＣエンティティーＩＤのうちの少なくとも１つを含む。
【００６７】
ステップ３０２：前記伝送キャリアと、前記伝送キャリアに対応するＨＡＲＱエンティティーおよびＭＡＣエンティティーとの間にデータ伝送を行うこと。
【００６８】
当該ステップ３０２では、具体的には、下りリンクデータの送信を行う場合、各前記伝送キャリアに対して送信されるデータを、前記伝送キャリアに対応するＭＡＣエンティティー及びＨＡＲＱエンティティーに伝送して処理すること、及び／又は、
上りリンクデータの受信を行う場合、各前記伝送キャリアが受信したデータを、前記伝送キャリアに対応するＭＡＣエンティティー及びＨＡＲＱエンティティーに伝送して処理すること、を含む。
【００６９】
そのうち、下りリンクデータの送信を行う場合、各前記伝送キャリアに対して送信されるデータを、前記伝送キャリアに対応するＭＡＣエンティティー及びＨＡＲＱエンティティーに伝送して処理することは、具体的に、
下りリンクデータの送信を行う場合、第３のターゲット伝送キャリアの関連情報を取得することと、前記第３のターゲット伝送キャリアの関連情報に基づいて、第３のターゲット伝送キャリアを特定するとともに、前記第３の伝送キャリアに対して送信されるデータを、前記第３の伝送キャリアに対応するＭＡＣエンティティー及びＨＡＲＱエンティティーに伝送して処理することとを含む。
【００７０】
ここでは、第３のターゲット伝送キャリアは、複数の伝送キャリアのうち、下りリンクデータの受信を行う任意の１つの伝送キャリアである。第３のターゲット伝送キャリアによって送信されたデータは、第３のターゲット伝送キャリアの関連情報によってＩＤを付けられる。
【００７１】
ネットワーク機器は、下りリンクデータの送信を行うとき、伝送キャリアの関連情報を所持することができ、それにより、端末は当該伝送キャリアの関連情報に基づいて相応な伝送キャリアを識別することができる。
【００７２】
そのうち、上りリンクデータの受信を行う場合、各前記伝送キャリアが受信したデータを、前記伝送キャリアに対応するＭＡＣエンティティー及びＨＡＲＱエンティティーに伝送して処理することは、
上りリンクデータの受信を行う場合、第４のターゲット伝送キャリアの関連情報を取得し、前記第４のターゲット伝送キャリアの関連情報に基づいて、第４のターゲット伝送キャリアを特定するとともに、前記第４の伝送キャリアが受信したデータを、前記第４の伝送キャリアに対応するＭＡＣエンティティー及びＨＡＲＱエンティティーに伝送して処理するために用いられる。
【００７３】
ここでは、第４のターゲット伝送キャリアは、複数の伝送キャリアのうち、上りリンクデータの受信を行う任意の１つの伝送キャリアである。第４のターゲット伝送キャリアが受信したデータは、第４のターゲット伝送キャリアの関連情報によってＩＤを付けられ、当該第４のターゲット伝送キャリアの関連情報に基づいて、当該第４のターゲット伝送キャリアを識別するとともに、上記対応関係情報に基づいて、データを対応するＭＡＣエンティティー及びＨＡＲＱエンティティーに送信して処理する。
【００７４】
本開示の実施例におけるデータ伝送方法では、複数の、ビーム又は伝送ノードを含む伝送キャリアに対応するハイブリッド自動再送要求ＨＡＲＱエンティティーおよびメディアアクセス制御ＭＡＣエンティティーを取得し、下りリンクデータの送信を行う場合、各前記伝送キャリアに対して送信されるデータを、前記伝送キャリアに対応するＭＡＣエンティティー及びＨＡＲＱエンティティーに伝送して処理するが、上りリンクデータの受信を行う場合、各前記伝送キャリアが受信したデータを、前記伝送キャリアに対応するＭＡＣエンティティー及びＨＡＲＱエンティティーに伝送して処理することにより、複数の異なる伝送キャリアによって異なるＨＡＲＱプロセスを用いてデータの送受信を行うことを可能にし、ＨＡＲＱプロセスの数が足りないことに起因した呼び出し遅延を回避するとともに、異なる伝送キャリアをサポートできるＨＡＲＱ伝送によれば、データ伝送の確実性が向上した。
【００７５】
さらに、上記ステップ３０１における複数の伝送キャリアに対応するハイブリッド自動再送要求ＨＡＲＱエンティティーおよびメディアアクセス制御ＭＡＣエンティティーを取得することは、
ネットワーク機器によって配置され、又は、プロトコルによって約束された、ハイブリッド自動再送要求ＨＡＲＱと伝送キャリアとの対応関係情報に基づいて、複数の前記伝送キャリアに対して対応するＨＡＲＱエンティティーおよびＭＡＣエンティティーを配置すること、
又は、端末によって複数の前記伝送キャリアに対して配置されたＨＡＲＱエンティティーおよびＭＡＣエンティティーを取得することを含む。
【００７６】
具体的には、端末は、ハイブリッド自動再送要求ＨＡＲＱと伝送キャリアとの対応関係情報に基づいて、複数の伝送キャリアに対してＨＡＲＱエンティティーおよびＭＡＣエンティティーを配置する。
【００７７】
上記ＨＡＲＱと伝送キャリアとの対応関係情報は、
伝送キャリアの関連情報と、
伝送キャリアの関連情報に対応するＨＡＲＱ配置情報とを含み、
そのうち、伝送キャリアの関連情報は、伝送キャリアＩＤ、伝送キャリアに対応するセルＩＤ、伝送キヤリアに対応する周波数ビンＩＤ、伝送キャリアに対応する帯域幅部分ＢＷＰ  ＩＤ、伝送キャリアに対応する制御チャネルＩＤ、および、伝送キャリアに対応するＭＡＣエンティティーＩＤのうちの少なくとも１つを含む。
【００７８】
例えば、上記伝送キャリアに対応するセルＩＤは、セル１として具体化され、上記伝送キャリアに対応する周波数ビンＩＤは、周波数ビン１として具体化され、上記伝送キャリアに対応する帯域幅部分ＢＷＰ  ＩＤは、ＢＷＰ＿１として具体化され、上記伝送キャリアに対応するＭＡＣエンティティーＩＤは、ＭＡＣ＿１として具体化されてもよい。
【００７９】
上記伝送キャリアＩＤは、同期信号ブロックＳＳＢ  ＩＤ、チャネル状態情報基準信号ＣＳＩ−ＲＳ  ＩＤ、および、基準信号に対応するポート番号ＩＤのうちの少なくとも１つを含み、前記基準信号がＳＳＢ及び／又はＣＳＩ−ＲＳを含む。
【００８０】
上記伝送キャリアＩＤは、ＳＳＢ  ＩＤ及び／又はＣＳＩ−ＲＳ  ＩＤ以外、他の信号ＩＤであってもよいが、ここでは具体的に限定されていない。
【００８１】
上記基準信号に対応するポート番号ＩＤは、ｐｏｒｔ＿１として具体化されてもよく、また、当該基準信号がＳＳＢとＣＳＩ−ＲＳ以外、他の基準信号であってもよいが、ここでは具体的に限定されていない。
【００８２】
上記伝送キャリアに対応する制御チャネルＩＤは、制御チャネルタイプＩＤ、制御チャネルのリソース位置ＩＤ、制御チャネルの基準信号ＩＤ、および、制御チャネルの基準信号に対応するポート番号ＩＤのうちの少なくとも１つを含む。
【００８３】
そのうち、制御チャネルタイプＩＤは、一次セルＰＣｅｌｌのＰＤＣＣＨ＿１として具体化されてもよく、制御チャネルのリソース位置ＩＤは、制御リソースグループ（ＣＯＲＥＳＥＴ）及び／又は検索空間ＩＤ（ｓｅａｒｃｈ  ｓｐａｃｅ）であってもよく、制御チャネルの基準信号ＩＤはＳＳＢ  ＩＤ及び／又はＣＳＩ−ＲＳ  ＩＤであってもよい。
【００８４】
第１の選択肢である実現方式として、複数の伝送キャリアに対して対応するＨＡＲＱエンティティーおよびＭＡＣエンティティーを配置することは、
異なる伝送キャリアに対して異なるＨＡＲＱエンティティーを配置することを含む。
【００８５】
選択的に、上記配置された異なるＨＡＲＱエンティティーは同一のＭＡＣエンティティーに該当する。
【００８６】
当該実現方式では、上記伝送キャリアの関連情報に対応するＨＡＲＱ配置情報は、ＨＡＲＱプロセスの数を含み、例えば、上りリンクデータの受信及び／又は下りリンクデータの送信に対応するＨＡＲＱプロセスの数を含む。
【００８７】
第２の選択肢である実現方式として、
複数の伝送キャリアに対して対応するＨＡＲＱエンティティーおよびＭＡＣエンティティーを配置することは、
前記複数の伝送キャリアに対して同一のＨＡＲＱエンティティーを配置し、かつ、異なる前記伝送キャリアに対して異なるＨＡＲＱプロセス番号を配置することを含む。
【００８８】
当該実現方式では、上記伝送キャリアの関連情報に対応するＨＡＲＱ配置情報は、伝送キャリアに対応するＨＡＲＱエンティティーＩＤ、伝送キャリアが利用可能なＨＡＲＱプロセス番号、伝送キャリアに対応するＨＡＲＱエンティティーの利用可能なＨＡＲＱプロセスの合計数、および、前記伝送キャリアが利用可能なＨＡＲＱプロセスの数のうちの少なくとも１つを含む。
【００８９】
選択的に、上記伝送キャリアの関連情報に対応するＨＡＲＱ配置情報は、第１情報と第２情報のうちの少なくとも１つを含み、前記第１情報は伝送キャリアが利用可能なＨＡＲＱプロセス番号を含み、前記第２情報は伝送キャリアに対応するＨＡＲＱエンティティーの利用可能なＨＡＲＱプロセスの合計数、および、前記伝送キャリアが利用可能なＨＡＲＱプロセスの数を含む。
【００９０】
例えば、上記伝送キャリアが利用可能なＨＡＲＱプロセス番号はビーム１が利用可能なＨＡＲＱプロセス番号［０，  ３］であり、ビーム２が利用可能なＨＡＲＱプロセス番号［１，  ７］である。又は、ビットマップによって当該ビーム又は伝送ノードがＨＡＲＱ利用可能なプロセス番号に対してＩＤを付け、上記伝送キャリアが利用可能なＨＡＲＱプロセスの数は上りリンクデータの送信及び／又は下りリンクデータの受信に対応するＨＡＲＱプロセスの数である。
【００９１】
第３の選択肢である実現方式として、上記複数の伝送キャリアに対して対応するＨＡＲＱエンティティーおよびＭＡＣエンティティーを配置することは、
異なる前記伝送キャリアに対して異なるＨＡＲＱエンティティーを配置し、かつ、異なる前記伝送キャリアに対して異なるＭＡＣエンティティーを配置することを含む。
【００９２】
当該実現方式では、上記ハイブリッド自動再送要求ＨＡＲＱと伝送キャリアとの対応関係情報は、さらに、伝送キャリアに対応するＭＡＣ配置情報を含み、かつ、前記伝送キャリアの関連情報に対応するＨＡＲＱ配置情報はＨＡＲＱプロセスの数を含む。
【００９３】
上記伝送キャリアに対応するＭＡＣ配置情報は、
ＭＡＣエンティティーのＩＤ情報、
前記ＭＡＣエンティティーに対応する１つまたは複数のロジックチャネルＩＤ（例えば、ＬＣＨ＿１）、
ＭＡＣエンティティーのＩＤ情報に対応する１つまたは複数のＤＲＢ  ＩＤ（例えば、ＤＲＢ＿１）、
前記ＭＡＣエンティティーのＩＤ情報に対応する１つまたは複数のデータストリームＩＤ、および、
前記ＭＡＣエンティティーのＩＤ情報に対応する１つまたは複数のセッションＩＤ（例えば、Ｓｅｓｓｉｏｎ＿１）、のうちの少なくとも１つを含む。
【００９４】
選択的に、上記伝送キャリアに対応するＭＡＣ配置情報は、ＭＡＣエンティティーのＩＤ情報を含む。
【００９５】
本開示の実施例におけるデータ伝送方法によれば、端末が複数の異なる伝送キャリアによって異なるＨＡＲＱプロセスを用いてデータの送受信を行うことを可能にし、ＨＡＲＱプロセスの数が足りないことに起因した呼び出し遅延を回避するとともに、異なる伝送キャリアをサポートできるＨＡＲＱ伝送によれば、データ伝送の確実性が向上した。
【００９６】
図７は、本開示の実施例における端末のブロック概略図である。図７に示されるように、本開示の実施例は、端末８００をさらに提供し、
複数の、ビーム又は伝送ノードを含む伝送キャリアに対応するハイブリッド自動再送要求ＨＡＲＱエンティティーおよびメディアアクセス制御ＭＡＣエンティティーを取得するための第１の取得モジュール８０１と、
前記伝送キャリアと、前記伝送キャリアに対応するＨＡＲＱエンティティーおよびＭＡＣエンティティーとの間にデータ伝送を行うための第１の伝送モジュール８０２と、を備える。
【００９７】
本開示の実施例における端末では、前記第１の伝送モジュールは、下りリンクデータの受信を行う場合、各前記伝送キャリアが受信したデータを、前記伝送キャリアに対応するＭＡＣエンティティー及びＨＡＲＱエンティティーに伝送して処理するために用いられ、及び／又は、
上りリンクデータの送信を行う場合、各前記伝送キャリアに対して送信されるデータを、前記伝送キャリアに対応するＭＡＣエンティティー及びＨＡＲＱエンティティーに伝送して処理するために用いられる。
【００９８】
本開示の実施例における端末では、前記第１の取得モジュールは、ネットワーク機器によって配置され、又は、プロトコルによって約束された、ハイブリッド自動再送要求ＨＡＲＱと伝送キャリアとの対応関係情報に基づいて、複数の前記伝送キャリアに対して対応するＨＡＲＱエンティティーおよびＭＡＣエンティティーを配置するために用いられ、
又は、ネットワーク機器によって複数の前記伝送キャリアに対して配置されたＨＡＲＱエンティティーおよびＭＡＣエンティティーを取得するために用いられる。
【００９９】
本開示の実施例における端末では、前記ハイブリッド自動再送要求ＨＡＲＱと伝送キャリアとの対応関係情報は、
伝送キャリアの関連情報と、
伝送キャリアの関連情報に対応するＨＡＲＱ配置情報とを含み、
そのうち、伝送キャリアの関連情報は、伝送キャリアＩＤ、伝送キャリアに対応するセルＩＤ、伝送キャリアに対応する周波数ビンＩＤ、伝送キャリアに対応する帯域幅部分ＢＷＰ  ＩＤ、伝送キャリアに対応する制御チャネル情報ＩＤ、および、伝送キャリアに対応するＭＡＣエンティティーＩＤのうちの少なくとも１つを含む。
本開示の実施例における端末では、
前記第１の取得モジュールは、異なる伝送キャリアに対して異なるＨＡＲＱエンティティーを配置するために用いられる。
本開示の実施例における端末では、前記伝送キャリアの関連情報に対応するＨＡＲＱ配置情報は、ＨＡＲＱプロセスの数を含む。
本開示の実施例における端末では、前記第１の取得モジュールは、前記複数の伝送キャリアに対して同一のＨＡＲＱエンティティーを配置し、かつ、異なる前記伝送キャリアに対して異なるＨＡＲＱプロセス番号を配置するために用いられる。
本開示の実施例における端末では、前記伝送キャリアの関連情報に対応するＨＡＲＱ配置情報は、伝送キャリアに対応するＨＡＲＱエンティティーＩＤ、伝送キャリアが利用可能なＨＡＲＱプロセス番号、伝送キャリアに対応するＨＡＲＱエンティティーの利用可能なＨＡＲＱプロセスの合計数、および、前記伝送キャリアが利用可能なＨＡＲＱプロセスの数のうちの少なくとも１つを含む。
本開示の実施例における端末では、
前記第１の取得モジュールは、異なる前記伝送キャリアに対して異なるＨＡＲＱエンティティーを配置し、かつ、異なる前記伝送キャリアに対して異なるＭＡＣエンティティーを配置するために用いられる。
本開示の実施例における端末では、前記ハイブリッド自動再送要求ＨＡＲＱと伝送キャリアとの対応関係情報は、さらに、伝送キャリアに対応するＭＡＣ配置情報を含み、かつ、前記伝送キャリアの関連情報に対応するＨＡＲＱ配置情報はＨＡＲＱプロセスの数を含む。
本開示の実施例における端末では、前記伝送キャリアに対応するＭＡＣ配置情報は、
ＭＡＣエンティティーのＩＤ情報、
ＭＡＣエンティティーのＩＤ情報に対応する１つまたは複数の論理チャネルＩＤ、
ＭＡＣエンティティーのＩＤ情報に対応する１つまたは複数のＤＲＢ  ＩＤ、
ＭＡＣエンティティーのＩＤ情報に対応する１つまたは複数のデータストリームＩＤ、および、
ＭＡＣエンティティーのＩＤ情報に対応する１つまたは複数のセッションＩＤ、のうちの少なくとも１つを含む。
本開示の実施例における端末では、前記伝送キャリアＩＤは、同期信号ブロックＳＳＢ  ＩＤ、チャネル状態情報基準信号ＣＳＩ−ＲＳ  ＩＤ、および、基準信号に対応するポート番号ＩＤのうちの少なくとも１つを含み、前記基準信号がＳＳＢ及び／又はＣＳＩ−ＲＳを含む。
【０１００】
本開示の実施例における端末では、前記伝送キャリアに対応する制御チャネルＩＤは、制御チャネルタイプＩＤ、制御チャネルのリソース位置ＩＤ、制御チャネルの基準信号ＩＤ、および、制御チャネルの基準信号に対応するポート番号ＩＤのうちの少なくとも１つを含む。
【０１０１】
本開示の実施例における端末では、前記第１の伝送モジュールは、下りリンクデータの受信を行う場合、第１のターゲット伝送キャリアの関連情報を取得し、前記第１のターゲット伝送キャリアの関連情報に基づいて、第１のターゲット伝送キャリアを特定するとともに、前記第１の伝送キャリアが受信したデータを、前記第１の伝送キャリアに対応するＭＡＣエンティティー及びＨＡＲＱエンティティーに伝送して処理するために用いられ、及び／又は、
上りリンクデータの送信を行う場合、第２のターゲット伝送キャリアの関連情報を取得し、前記第２のターゲット伝送キャリアの関連情報に基づいて、第２のターゲット伝送キャリアを特定するとともに、前記第２の伝送キャリアに対して送信されるデータを、前記第２の伝送キャリアに対応するＭＡＣエンティティー及びＨＡＲＱエンティティーに伝送して処理するために用いられる。
【０１０２】
本開示の実施例は、メモリと、プロセッサと、メモリに記憶されているとともに、プロセッサにて運行できるコンピュータプログラムを含み、前記コンピュータプログラムが前記プロセッサによって実行されると、上記端末に用いられるデータ伝送方法についての実施例における各プロセスが実現され、かつ、同様な技術的効果が実現される、端末をさらに提供する。説明の重複を回避するために、ここでは説明を省略する。
【０１０３】
本開示の実施例は、コンピュータプログラムが記憶されており、前記コンピュータプログラムがプロセッサによって実行されると、上記端末に用いられるデータ伝送方法についての実施例における各プロセスが実現され、かつ、同様な技術的効果が実現される、コンピュータ可読記憶媒体をさらに提供する。説明の重複を回避するために、ここでは説明を省略する。ただし、上記コンピュータ可読記憶媒体は、例えば、リードオンリーメモリ（Ｒｅａｄ−Ｏｎｌｙ  Ｍｅｍｏｒｙ、ＲＯＭと略称）、ランダムアクセスメモリ（Ｒａｎｄｏｍ  Ａｃｃｅｓｓ  Ｍｅｍｏｒｙ、ＲＡＭと略称）、磁気ディスクまたは光ディスクなどであってもよい。
【０１０４】
上記目的をよりよく達成させるために、図８に示されるように、本開示の実施例は、メモリ９２０、プロセッサ９００、送受信機９１０、ユーザインタフェース９３０、バスインターフェース及びメモリ９２０に記憶されているとともに、プロセッサ９００にて運行できるコンピュータプログラムを含み、前記プロセッサ９００がメモリ９２０におけるプログラムを読み取るために用いられる端末であって、
複数の、ビーム又は伝送ノードを含む伝送キャリアに対応するハイブリッド自動再送要求ＨＡＲＱエンティティーおよびメディアアクセス制御ＭＡＣエンティティーを取得することと、
前記伝送キャリアと、前記伝送キャリアに対応するＨＡＲＱエンティティーおよびＭＡＣエンティティーとの間にデータ伝送を行うこととを実行する端末をさらに提供する。
【０１０５】
なお、図８では、バスアーキテクチャには、任意の数の相互接続されたバスとブリッジが含まれてもよい。具体的には、プロセッサ９００をはじめとする１つまたは複数のプロセッサは、メモリ９２０をはじめとするメモリの種々の回路と接続されている。バスアーキテクチャは、さらに、周辺デバイス、電圧調整器、および電力管理回路等のような種々の他の回路を接続することができる。それは、当分野で公知されたものであるため、本明細書では、更なる説明を省略する。バスインターフェースは、インターフェースを提供する。送受信機９１０は、複数の素子であってもよく、すなわち、送信機と送受信機を含み、伝送媒体において種々の他の装置と通信するためのユニットを提供する。異なるユーザ機器に対し、ユーザインタフェース９３０は、さらに、必要な機器との外部接続も内部接続も可能なインターフェースであってもよい。接続される機器は、キーパッド、ディスプレイ、スピーカ、マイクロホン、ジョイスティックなどを含んでもよいが、それらに限らない。
【０１０６】
プロセッサ９００は、バスアーキテクチャの管理や一般的な処理を行う役割を果たし、メモリ９２０は、プロセッサ９００の操作時に用いられるデータを記憶することができる。
【０１０７】
選択的に、前記プロセッサ９００は、メモリ９２０におけるプログラムを読み取ることによって、さらに、
ハイブリッド自動再送要求ＨＡＲＱと伝送キャリアとの対応関係情報に基づいて、複数の前記伝送キャリアに対して対応するＨＡＲＱエンティティーおよびＭＡＣエンティティーを配置すること、
又は、ネットワーク機器によって複数の前記伝送キャリアに対して配置されたＨＡＲＱエンティティーおよびＭＡＣエンティティーを取得することを実行するために用いられる。
【０１０８】
選択的に、前記ハイブリッド自動再送要求ＨＡＲＱと伝送キャリアとの対応関係情報は、
伝送キャリアの関連情報と、
伝送キャリアの関連情報に対応するＨＡＲＱ配置情報とを含み、
そのうち、伝送キャリアの関連情報は、伝送キャリアＩＤ、伝送キャリアに対応するセルＩＤ、伝送キヤリアに対応する周波数ビンＩＤ、伝送キャリアに対応する帯域幅部分ＢＷＰ  ＩＤ、伝送キャリアに対応する制御チャネルＩＤ、および、伝送キャリアに対応するＭＡＣエンティティーＩＤのうちの少なくとも１つを含む。
【０１０９】
選択的に、前記プロセッサ９００は、メモリ９２０におけるプログラムを読み取ることによって、さらに、
異なる伝送キャリアに対して異なるＨＡＲＱエンティティーを配置することを実行するために用いられる。
【０１１０】
選択的に、前記伝送キャリアの関連情報に対応するＨＡＲＱ配置情報は、ＨＡＲＱプロセスの数を含む。
【０１１１】
選択的に、前記プロセッサ９００は、メモリ９２０におけるプログラムを読み取ることによって、さらに、
前記複数の伝送キャリアに対して同一のＨＡＲＱエンティティーを配置し、かつ、異なる前記伝送キャリアに対して異なるＨＡＲＱプロセス番号を配置することを実行するために用いられる。
【０１１２】
選択的に、前記伝送キャリアの関連情報に対応するＨＡＲＱ配置情報は、伝送キャリアに対応するＨＡＲＱエンティティーＩＤ、伝送キャリアが利用可能なＨＡＲＱプロセス番号、伝送キャリアに対応するＨＡＲＱエンティティーの利用可能なＨＡＲＱプロセスの合計数、および、前記伝送キャリアが利用可能なＨＡＲＱプロセスの数のうちの少なくとも１つを含む。
【０１１３】
選択的に、前記プロセッサ９００は、メモリ９２０におけるプログラムを読み取ることによって、さらに、
異なる前記伝送キャリアに対して異なるＨＡＲＱエンティティーを配置し、かつ、異なる前記伝送キャリアに対して異なるＭＡＣエンティティーを配置することを実行するために用いられる。
【０１１４】
選択的に、前記ハイブリッド自動再送要求ＨＡＲＱと伝送キャリアとの対応関係情報は、さらに、伝送キャリアに対応するＭＡＣ配置情報を含み、かつ、前記伝送キャリアの関連情報に対応するＨＡＲＱ配置情報はＨＡＲＱプロセスの数を含む。
【０１１５】
選択的に、前記伝送キャリアに対応するＭＡＣ配置情報は、
ＭＡＣエンティティーのＩＤ情報、
ＭＡＣエンティティーのＩＤ情報に対応する１つまたは複数の論理チャネルＩＤ、
ＭＡＣエンティティーのＩＤ情報に対応する１つまたは複数のＤＲＢ  ＩＤ、
ＭＡＣエンティティーのＩＤ情報に対応する１つまたは複数のデータストリームＩＤ、および、
ＭＡＣエンティティーのＩＤ情報に対応する１つまたは複数のセッションＩＤ、のうちの少なくとも１つを含む。
【０１１６】
選択的に、前記伝送キャリアＩＤは、同期信号ブロックＳＳＢ  ＩＤ、チャネル状態情報基準信号ＣＳＩ−ＲＳ  ＩＤ、および、基準信号に対応するポート番号ＩＤのうちの少なくとも１つを含み、前記基準信号がＳＳＢ及び／又はＣＳＩ−ＲＳを含む。
【０１１７】
選択的に、前記伝送キャリアに対応する制御チャネルＩＤは、制御チャネルタイプＩＤ、制御チャネルのリソース位置ＩＤ、制御チャネルの基準信号ＩＤ、および、制御チャネルの基準信号に対応するポート番号ＩＤのうちの少なくとも１つを含む。
【０１１８】
選択的に、前記プロセッサ９００は、メモリ９２０におけるプログラムを読み取ることによって、さらに、
下りリンクデータの受信を行う場合、各前記伝送キャリアが受信したデータを、前記伝送キャリアに対応するＭＡＣエンティティー及びＨＡＲＱエンティティーに伝送して処理すること、及び／又は、
上りリンクデータの送信を行う場合、各前記伝送キャリアに対して送信されるデータを、前記伝送キャリアに対応するＭＡＣエンティティー及びＨＡＲＱエンティティーに伝送して処理することを実行するために用いられる。
【０１１９】
選択的に、前記プロセッサ９００は、メモリ９２０におけるプログラムを読み取ることによって、さらに、
下りリンクデータの受信を行う場合、第１のターゲット伝送キャリアの関連情報を取得することと、
前記第１のターゲット伝送キャリアの関連情報に基づいて、第１のターゲット伝送キャリアを特定するとともに、前記第１の伝送キャリアが受信したデータを、前記第１の伝送キャリアに対応するＭＡＣエンティティー及びＨＡＲＱエンティティーに伝送して処理することとを実行するために用いられる。
【０１２０】
選択的に、前記プロセッサ９００は、メモリ９２０におけるプログラムを読み取ることによって、さらに、
上りリンクデータの送信を行う場合、第２のターゲット伝送キャリアの関連情報を取得することと、
端末１０００によって実行される特定の機能に関する音声（例えば、呼び信号受信音、メッセージ着信音など）の出力を提供することができる。音声出力ユニット１００３は、スピーカー、ブザー、および、受話器などを含む。
【０１２１】
入力ユニット１００４は、音声または映像信号を受信するために用いられる。入力ユニット１００４は、グラフィックスプロセッサ（Ｇｒａｐｈｉｃｓ  Ｐｒｏｃｅｓｓｉｎｇ  Ｕｎｉｔ、ＧＰＵ）１００４１とマイクロホン１００４２を含んでもよく、グラフィックスプロセッサ１００４１は、映像取得モードまたは画像取得モードにおいて、画像取得装置（例えば、カメラ）によって得られた静止画像又は映像の画像データを処理する。処理後の画像フレームは、表示ユニット１００６に表示されてもよい。グラフィックスプロセッサ１００４１によって処理された画像フレームは、メモリ１００９（又は他の記憶媒体）に記憶されてもよく、又は、無線周波数ユニット１００１又はネットワークモジュール１００２によって送信されてもよい。マイクロホン１００４２は、音響を受信するとともに、そのような音響を音声データとして処理することができる。処理後の音声データは、電話の通話モードにおいて、無線周波数ユニット１００１によって移動通信ネットワーク機器へ送信されることが可能な形式の出力として変換されてもよい。
【０１２２】
端末１０００は、さらに、少なくとも１つのセンサ１００５、例えば、光センサ、運動センサ、又は、他のセンサを含んでもよい。具体的には、光センサは、環境光センサと接近センサを含み、ただし、環境光センサは環境光の明暗に応じて表示パネル１００６１の輝度を調整することができ、接近センサは端末１０００が耳元に移動したとき、表示パネル１００６１及び／又はバックライトをオフにすることができる。運動センサの１種として、加速度計センサは、各方向（通常、３軸）での加速度の大きさを検出することができ、静止の場合、重力の大きさ及び方向を検出することができ、端末の姿勢（例えば、縦横画面切り替え、関連ゲーム、磁力計姿勢校正）への識別、関連機能への振動識別（例えば、歩数計、タップ）などのために用いられてもよい。センサ１００５は、さらに、指紋センサ、圧力センサ、虹彩センサ、分子センサ、ジャイロ、気圧計、湿度計、温度計、赤外線センサなどを含んでもよいが、ここではその説明を省略する。
【０１２３】
表示ユニット１００６は、ユーザによって入力された情報またはユーザのために提供される情報を表示するために用いられる。表示ユニット１００６は、表示パネル１００６１を含んでもよく、液晶ディスプレイ（Ｌｉｑｕｉｄ  Ｃｒｙｓｔａｌ  Ｄｉｓｐｌａｙ、ＬＣＤ）、有機発光ダイオード（Ｏｒｇａｎｉｃ  Ｌｉｇｈｔ−Ｅｍｉｔｔｉｎｇ  Ｄｉｏｄｅ、ＯＬＥＤ）などの形式で、表示パネル１００６１を配置してもよい。
【０１２４】
ユーザ入力ユニット１００７は、入力された数字または文字情報を受信し、端末でのユーザの設置や機能制御に関するキー信号入力を発生するために用いられてもよい。具体的には、ユーザ入力ユニット１００７は、タッチパネル１００７１及び他の入力機器１００７２を含む。タッチパネル１００７１は、タッチスクリーンとも呼ばれ、その上又はその近傍でのユーザによるタッチ操作（例えば、ユーザが指、タッチペンなどの任意の適切な物体又はアタッチメントを用いて、タッチパネル１００７１の上またはタッチパネル１００７１の近傍で行う操作）を収集することができる。タッチパネル１００７１は、タッチ検出装置とタッチコントローラの２部分を含んでもよい。そのうち、タッチ検出装置は、ユーザによるタッチの方向を検出するとともに、タッチ操作による信号を検出し、信号をタッチコントローラに伝送する。タッチコントローラは、タッチ検出装置からタッチ情報を受信して、タッチポイント座標に変換してから、プロセッサ１０１０に送信し、また、プロセッサ１０１０から送信されたコマンドを受信して実行する。また、タッチパネル１００７１は、抵抗式、静電容量式、赤外線及び表面音声波などの種々のタイプのものとして実現されてもよい。タッチパネル１００７１以外、ユーザ入力ユニット１００７は、他の入力機器１００７２をさらに含んでもよい。具体的には、他の入力機器１００７２は、物理的キーボード、機能キー（例えば、音量制御キー、スイッチキーなど）、トラックボール、マウス、操作レバーを含んでもよいが、それらに限らない。ここではその説明を省略する。
【０１２５】
さらに、タッチパネル１００７１は、表示パネル１００６１に覆われてもよい。タッチパネル１００７１は、その上または近傍でのタッチ操作を検出した場合、プロセッサ１０１０に送信してタッチイベントのタイプを特定し、その後、プロセッサ１０１０は、タッチイベントのタイプに応じて相応な視覚出力を表示パネル１００６１に提供する。図９では、タッチパネル１００７１と表示パネル１００６１は２つの独立した部材として、端末の入力と出力機能を実現するために用いられることが示されるが、しかし、いくつかの実施例では、タッチパネル１００７１と表示パネル１００６１を集積して端末の入力・出力機能を実現させてもよい。具体的には、ここでは限定しない。
【０１２６】
インターフェースユニット１００８は、外部装置と端末１０００との接続のためのインタフェースである。例えば、外部装置は、有線または無線頭部装着型ヘッドフォンポート、外部電源（またはバッテリ充電器）ポート、有線または無線データポート、メモリカードポート、識別モジュールを有する装置への接続用のポート、音声入力／出力（Ｉｎｐｕｔ／Ｏｕｔｐｕｔ、Ｉ／Ｏ）ポート、映像Ｉ／Ｏポート、ヘッドフォンポートなどを含んでもよい。インタフェースユニット１００８は、外部装置からの入力（例えば、データ情報、電力など）を受信するとともに、受信した入力を端末１０００内の１つまたは複数の素子に伝送し、または、端末１０００と外部装置の間にデータを伝送するために用いられてもよい。
【０１２７】
メモリ１００９は、ソフトウェアプログラム及び種々のデータを記憶するために用いられてもよい。メモリ１００９は、主に、オペレーティングシステム、少なくとも１つの機能に必要なアプリケーションプログラム（例えば、音響放送機能、画像放送機能など）などを記憶することができるプログラム記憶エリアと、携帯電話の利用によって作成したデータ（例えば、音声データ、電話帳など）などを記憶することができるデータ記憶エリアを含んでもよい。また、メモリ１００９は、高速ランダムアクセスメモリを含んでもよく、例えば、少なくとも１つのディスクメモリ、フラッシュメモリのような不揮発性メモリ、又は、他の揮発性固体記憶デバイスをさらに含んでもよい。
【０１２８】
プロセッサ１０１０は、端末の制御センターであり、種々のインターフェースや回線によって端末全体の各部分に接続され、メモリ１００９内に記憶されたソフトウェアプログラム及び／又はモジュールを運行または実行させること、および、メモリ１００９内に記憶されたデータを呼び出すことにより、端末の種々の機能を実行し、データを処理することで、端末全体をモニタする。プロセッサ１０１０は、１つまたは複数の処理ユニットを含んでもよい。選択的に、プロセッサ１０１０は、アプリケーションプロセッサと変復調プロセッサとを集積したものであってもよい。アプリケーションプロセッサは主にオペレーティングシステム、ユーザインタフェース、および、アプリケーションプログラムなどを処理するためのものであり、変復調プロセッサは主に無線通信を処理するためのものである。理解すべきなのは、上記変復調プロセッサは、プロセッサ１０１０に集積されなくてもよい。
【０１２９】
端末１０００は、各部材に対して電力を供給する電源１０１１（たとえば、バッテリー）をさらに含んでもよい。選択的に、電源１０１１は、電源管理システムによってプロセッサ１０１０に論理的に接続されてもよい。それにより、電源管理システムによって、充放電の管理や電力消耗管理などの機能を実現させることができる。
【０１３０】
また、端末１０００は、図示されない幾つかの機能モジュールを含んでもよいが、ここではその説明を省略する。
【０１３１】
図１０に示されるように、本開示の実施例は、さらに、
複数の、ビーム又は伝送ノードを含む伝送キャリアに対応するハイブリッド自動再送要求ＨＡＲＱエンティティーおよびメディアアクセス制御ＭＡＣエンティティーを取得するための第２の取得モジュール１１０１と、
前記伝送キャリアと、前記伝送キャリアに対応するＨＡＲＱエンティティーおよびＭＡＣエンティティーとの間にデータ伝送を行うための第２の伝送モジュール１１０２と、を備えるネットワーク機器１１００を提供する。
【０１３２】
本開示の実施例におけるネットワーク機器では、前記第２の取得モジュールは、ハイブリッド自動再送要求ＨＡＲＱと伝送キャリアとの対応関係情報に基づいて、複数の前記伝送キャリアに対して対応するＨＡＲＱエンティティーおよびＭＡＣエンティティーを配置するために用いられ、
又は、前記第２の取得モジュールは、端末によって複数の前記伝送キャリアに対して配置されたＨＡＲＱエンティティーおよびＭＡＣエンティティーを取得するために用いられる。
【０１３３】
本開示の実施例におけるネットワーク機器では、前記ハイブリット自動再送要求ＨＡＲＱと伝送キャリアとの対応関係情報は、
伝送キャリアの関連情報と、
伝送キャリアの関連情報に対応するＨＡＲＱ配置情報とを含み、
そのうち、伝送キャリアの関連情報は、伝送キャリアＩＤ、伝送キャリアに対応するセルＩＤ、伝送キヤリアに対応する周波数ビンＩＤ、伝送キャリアに対応する帯域幅部分ＢＷＰ  ＩＤ、伝送キャリアに対応する制御チャネルＩＤ、および、伝送キャリアに対応するＭＡＣエンティティーＩＤのうちの少なくとも１つを含む。
【０１３４】
本開示の実施例におけるネットワーク機器では、前記第２の取得モジュールは、異なる伝送キャリアに対して異なるＨＡＲＱエンティティーを配置するために用いられる。
【０１３５】
本開示の実施例におけるネットワーク機器では、前記伝送キャリアの関連情報に対応するＨＡＲＱ配置情報は、ＨＡＲＱプロセスの数を含む。
【０１３６】
本開示の実施例におけるネットワーク機器では、前記第２の取得モジュールは、前記複数の伝送キャリアに対して同一のＨＡＲＱエンティティーを配置し、かつ、異なる前記伝送キャリアに対して異なるＨＡＲＱプロセス番号を配置するために用いられる。
【０１３７】
本開示の実施例におけるネットワーク機器では、前記伝送キャリアの関連情報に対応するＨＡＲＱ配置情報は、伝送キャリアに対応するＨＡＲＱエンティティーＩＤ、伝送キャリアが利用可能なＨＡＲＱプロセス番号、伝送キャリアに対応するＨＡＲＱエンティティーの利用可能なＨＡＲＱプロセスの合計数、および、前記伝送キャリアが利用可能なＨＡＲＱプロセスの数のうちの少なくとも１つを含む。
【０１３８】
本開示の実施例におけるネットワーク機器では、前記第２の取得モジュールは、異なる前記伝送キャリアに対して異なるＨＡＲＱエンティティーを配置し、かつ、異なる前記伝送キャリアに対して異なるＭＡＣエンティティーを配置するために用いられる。
【０１３９】
前記ハイブリッド自動再送要求ＨＡＲＱと伝送キャリアとの対応関係情報は、さらに、伝送キャリアに対応するＭＡＣ配置情報を含み、かつ、前記伝送キャリアの関連情報に対応するＨＡＲＱ配置情報はＨＡＲＱプロセスの数を含む。
【０１４０】
本開示の実施例におけるネットワーク機器では、前記伝送キャリアに対応するＭＡＣ配置情報は、
ＭＡＣエンティティーのＩＤ情報、
ＭＡＣエンティティーのＩＤ情報に対応する１つまたは複数の論理チャネルＩＤ、
ＭＡＣエンティティーのＩＤ情報に対応する１つまたは複数のＤＲＢ  ＩＤ、
ＭＡＣエンティティーのＩＤ情報に対応する１つまたは複数のデータストリームＩＤ、および、
ＭＡＣエンティティーのＩＤ情報に対応する１つまたは複数のセッションＩＤ、のうちの少なくとも１つを含む。
【０１４１】
本開示の実施例におけるネットワーク機器では、前記伝送キャリアＩＤは、同期信号ブロックＳＳＢ  ＩＤ、チャネル状態情報基準信号ＣＳＩ−ＲＳ  ＩＤ、および、基準信号に対応するポート番号ＩＤのうちの少なくとも１つを含み、前記基準信号がＳＳＢ及び／又はＣＳＩ−ＲＳを含む。
【０１４２】
本開示の実施例におけるネットワーク機器では、前記伝送キャリアに対応する制御チャネルＩＤは、制御チャネルタイプＩＤ、制御チャネルのリソース位置ＩＤ、制御チャネルの基準信号ＩＤ、および、制御チャネルの基準信号に対応するポート番号ＩＤのうちの少なくとも１つを含む。
【０１４３】
本開示の実施例におけるネットワーク機器では、前記第２の伝送モジュールは、下りリンクデータの送信を行う場合、各前記伝送キャリアに対して送信されるデータを、前記伝送キャリアに対応するＭＡＣエンティティー及びＨＡＲＱエンティティーに伝送して処理するために用いられ、及び／又は、
上りリンクデータの受信を行う場合、各前記伝送キャリアが受信したデータを、前記伝送キャリアに対応するＭＡＣエンティティー及びＨＡＲＱエンティティーに伝送して処理するために用いられる。
【０１４４】
本開示の実施例におけるネットワーク機器では、前記第２の伝送モジュールは、下りリンクデータの送信を行う場合、第３のターゲット伝送キャリアの関連情報を取得し、前記第３のターゲット伝送キャリアの関連情報に基づいて、第３のターゲット伝送キャリアを特定するとともに、前記第３の伝送キャリアに対して送信されるデータを、前記第３の伝送キャリアに対応するＭＡＣエンティティー及びＨＡＲＱエンティティーに伝送して処理するために用いられ、及び／又は、
上りリンクデータの受信を行う場合、第４のターゲット伝送キャリアの関連情報を取得し、前記第４のターゲット伝送キャリアの関連情報に基づいて、第４のターゲット伝送キャリアを特定するとともに、前記第４の伝送キャリアが受信したデータを、前記第４の伝送キャリアに対応するＭＡＣエンティティー及びＨＡＲＱエンティティーに伝送して処理するために用いられる。
【０１４５】
本開示の実施例は、メモリと、プロセッサと、メモリに記憶されているとともに、プロセッサにて運行できるコンピュータプログラムを含み、前記コンピュータプログラムが前記プロセッサによって実行されると、上記ネットワーク機器に用いられるデータ伝送方法についての方法実施例における各プロセスが実現され、かつ、同様な技術的効果が実現される、ネットワーク機器をさらに提供する。説明の重複を回避するために、ここでは説明を省略する。
【０１４６】
本開示の実施例は、コンピュータプログラムが記憶されており、前記コンピュータプログラムがプロセッサによって実行されると、上記ネットワーク機器に用いられるデータ伝送方法についての実施例における各プロセスが実現され、かつ、同様な技術的効果が実現される、コンピュータ可読記憶媒体をさらに提供する。説明の重複を回避するために、ここでは説明を省略する。そのうち、前記コンピュータ可読記憶媒体は、例えば、ＲＯＭ、ＲＡＭ、磁気ディスク、又は光ディスクなどである。
【０１４７】
図１１に示されるように、本開示の実施例は、プロセッサ１２０１、送受信機１２０２、メモリ２６０３、および、バスインターフェースを含むネットワーク機器１２００をさらに提供し、
プロセッサ１２０１は、メモリ１２０３におけるプログラムを読み取るために用いられ、
複数の、ビーム又は伝送ノードを含む伝送キャリアに対応するハイブリッド自動再送要求ＨＡＲＱエンティティーおよびメディアアクセス制御ＭＡＣエンティティーを取得することと、
前記伝送キャリアと、前記伝送キャリアに対応するＨＡＲＱエンティティーおよびＭＡＣエンティティーとの間にデータ伝送を行うこととを実行するために用いられる。
【０１４８】
図１１では、バスアーキテクチャには、任意の数の相互接続されたバスとブリッジが含まれてもよい。具体的には、プロセッサ１２０１をはじめとする１つまたは複数のプロセッサは、メモリ１２０３をはじめとするメモリの種々の回路と接続されている。バスアーキテクチャは、さらに、周辺デバイス、電圧調整器、および電力管理回路等のような種々の他の回路を接続することができる。それは、当分野で公知されたものである。そのため、本明細書では、更なる説明を省略する。バスインターフェースは、インターフェースを提供する。送受信機１２０２は、複数の素子であってもよく、すなわち、送信機と受信機を含み、伝送媒体において種々の他の装置と通信するためのユニットを提供する。
【０１４９】
プロセッサ１２０１は、バスアーキテクチャの管理や一般的な処理を行う役割を果たし、メモリ１２０３は、プロセッサ１２０１の操作時に用いられるデータを記憶することができる。
【０１５０】
選択的に、前記プロセッサ１２０１は、メモリ１２０３におけるプログラムを読み取ることによって、さらに、
ネットワーク機器によって配置され、又は、プロトコルによって約束された、ハイブリッド自動再送要求ＨＡＲＱと伝送キャリアとの対応関係情報に基づいて、複数の前記伝送キャリアに対して対応するＨＡＲＱエンティティーおよびＭＡＣエンティティーを配置すること、
又は、端末によって複数の前記伝送キャリアに対して配置されたＨＡＲＱエンティティーおよびＭＡＣエンティティーを取得することを実行するために用いられる。
【０１５１】
選択的に、前記ハイブリッド自動再送要求ＨＡＲＱと伝送キャリアとの対応関係情報は、
伝送キャリアの関連情報と、
伝送キャリアの関連情報に対応するＨＡＲＱ配置情報とを含み、
そのうち、伝送キャリアの関連情報は、伝送キャリアＩＤ、伝送キャリアに対応するセルＩＤ、伝送キヤリアに対応する周波数ビンＩＤ、伝送キャリアに対応する帯域幅部分ＢＷＰ  ＩＤ、伝送キャリアに対応する制御チャネルＩＤ、および、伝送キャリアに対応するＭＡＣエンティティーＩＤのうちの少なくとも１つを含む。
【０１５２】
選択的に、前記プロセッサ１２０１は、メモリ１２０３におけるプログラムを読み取ることによって、さらに、
異なる伝送キャリアに対して異なるＨＡＲＱエンティティーを配置することを含む。
【０１５３】
選択的に、前記伝送キャリアの関連情報に対応するＨＡＲＱ配置情報は、ＨＡＲＱプロセスの数を含む。
【０１５４】
選択的に、前記プロセッサ１２０１は、メモリ１２０３におけるプログラムを読み取ることによって、さらに、
前記複数の伝送キャリアに対して同一のＨＡＲＱエンティティーを配置し、かつ、異なる前記伝送キャリアに対して異なるＨＡＲＱプロセス番号を配置することを実行するために用いられる。
【０１５５】
前記伝送キャリアの関連情報に対応するＨＡＲＱ配置情報は、伝送キャリアに対応するＨＡＲＱエンティティーＩＤ、伝送キャリアが利用可能なＨＡＲＱプロセス番号、伝送キャリアに対応するＨＡＲＱエンティティーの利用可能なＨＡＲＱプロセスの合計数、および、前記伝送キャリアが利用可能なＨＡＲＱプロセスの数のうちの少なくとも１つを含む。
【０１５６】
選択的に、前記プロセッサ１２０１は、メモリ１２０３におけるプログラムを読み取ることによって、さらに、
異なる前記伝送キャリアに対して異なるＨＡＲＱエンティティーを配置し、かつ、異なる前記伝送キャリアに対して異なるＭＡＣエンティティーを配置するために用いられる。
【０１５７】
選択的に、前記ハイブリッド自動再送要求ＨＡＲＱと伝送キャリアとの対応関係情報は、さらに、伝送キャリアに対応するＭＡＣ配置情報を含み、かつ、前記伝送キャリアの関連情報に対応するＨＡＲＱ配置情報はＨＡＲＱプロセスの数を含む。
【０１５８】
選択的に、前記伝送キャリアに対応するＭＡＣ配置情報は、
ＭＡＣエンティティーのＩＤ情報、
ＭＡＣエンティティーのＩＤ情報に対応する１つまたは複数の論理チャネルＩＤ、
ＭＡＣエンティティーのＩＤ情報に対応する１つまたは複数のＤＲＢ  ＩＤ、
ＭＡＣエンティティーのＩＤ情報に対応する１つまたは複数のデータストリームＩＤ、および、
ＭＡＣエンティティーのＩＤ情報に対応する１つまたは複数のセッションＩＤ、のうちの少なくとも１つを含む。
【０１５９】
選択的に、前記伝送キャリアＩＤは、同期信号ブロックＳＳＢ  ＩＤ、チャネル状態情報基準信号ＣＳＩ−ＲＳ  ＩＤ、および、基準信号に対応するポート番号ＩＤのうちの少なくとも１つを含み、前記基準信号がＳＳＢ及び／又はＣＳＩ−ＲＳを含む。
【０１６０】
選択的に、前記伝送キャリアに対応する制御チャネルＩＤは、制御チャネルタイプＩＤ、制御チャネルのリソース位置ＩＤ、制御チャネルの基準信号ＩＤ、および、制御チャネルの基準信号に対応するポート番号ＩＤのうちの少なくとも１つを含む。
【０１６１】
選択的に、前記プロセッサ１２０１は、メモリ１２０３におけるプログラムを読み取ることによって、さらに、
下りリンクデータの送信を行う場合、各前記伝送キャリアに対して送信されるデータを、前記伝送キャリアに対応するＭＡＣエンティティー及びＨＡＲＱエンティティーに伝送して処理すること、及び／又は、
上りリンクデータの受信を行う場合、各前記伝送キャリアが受信したデータを、前記伝送キャリアに対応するＭＡＣエンティティー及びＨＡＲＱエンティティーに伝送して処理することを実行するために用いられる。
【０１６２】
選択的に、前記プロセッサ１２０１は、メモリ１２０３におけるプログラムを読み取ることによって、さらに、
下りリンクデータの送信を行う場合、第３のターゲット伝送キャリアの関連情報を取得し、前記第３のターゲット伝送キャリアの関連情報に基づいて、第３のターゲット伝送キャリアを特定するとともに、前記第３の伝送キャリアに対して送信されるデータを、前記第３の伝送キャリアに対応するＭＡＣエンティティー及びＨＡＲＱエンティティーに伝送して処理すること、および、
上りリンクデータの受信を行う場合、第４のターゲット伝送キャリアの関連情報を取得し、前記第４のターゲット伝送キャリアの関連情報に基づいて、第４のターゲット伝送キャリアを特定するとともに、前記第４の伝送キャリアが受信したデータを、前記第４の伝送キャリアに対応するＭＡＣエンティティー及びＨＡＲＱエンティティーに伝送して処理することを実行するために用いられる。
【０１６３】
ここに説明すべきなのは、本明細書では、「含む」、「包含」という用語又は他の変形は、非排除性の「含む」を意図的にカバーするものであり、それにより、一連の要素を含むプロセス、方法、物品または装置はそれらの要素を含むだけではなく、明確に挙げられていない他の要素、又は、そのようなプロセス、方法、物品または装置の固有の要素も含む。あまり多くの制限がない場合、「１つの・・・を含む」という文章で限定された要素について、当該要素を含むプロセス、方法、物品または装置には、他の同様の要素がさらに存在することが排除できない。
【０１６４】
上記実施の形態の記載により、当業者は、上記実施例の方法がソフトウェアと必要な汎用ハードウェアのプラットフォームの方式によって実現されてもよいことを明確に知っているはずである。勿論、ハードウェアによっても実現されるが、しかし、多くの場合、前者が好適な実施の形態である。そのような理解を踏まえて、本開示の技術案は、実質上、又は、関連技術に対して貢献した部分が、ソフトウェア製品の形式によって表されてもよい。当該コンピュータソフトウェア製品は一記憶媒体（例えば、ＲＯＭ／ＲＡＭ、磁気ディスク、光ディスク）に記憶され、若干のコマンドを含み、また、本開示の各実施例に記載の方法を一端末機器（携帯電話、コンピュータ、サーバ、空気調和器、又は、ネットワーク側機器などであってもよい）に実行させる。
【０１６５】
当業者であれば、本明細書に開示の実施例に記述の各例示を組み合わせたユニットやアルゴリズムステップは、電子ハードウェア、又は、コンピュータソフトウェアと電子ハードウェアとの組み合わせによって実現されてもよいことを意識しているはずである。それらの機能がハードウェアかソフトウェアかによって実行されることは、技術案の特定の応用や設計拘束条件によって決められる。専門技術者は、各特定の応用に対して異なる方法を用いて記述される機能を実現させることができるが、しかし、そのような実現が本開示の範囲を超えたものとして認定されてはならない。
【０１６６】
当業界の技術者は、記述の便宜上や簡潔上、上記記述されるシステム、装置、および、ユニットの具体的な作動プロセスについて、前に記載の方法実施例における対応プロセスを参照されてもよいことを明確に把握できる。ここでは説明を省略する。
【０１６７】
本開示が提供する実施例では、開示された装置や方法は、他の方式によって実現されてもよいことが理解すべきである。例えば、以上に記述されている装置実施例は、例示的なものに過ぎない。上記ユニットのグループ化を例にすると、論理的機能に基づくグループ化に過ぎず、実際な実現方式として、別のグループ化する方式が用いられてもよい。例えば、複数のユニット又は部品は組み合わせられ、又は、別の１つのシステムに集積されてもよい。あるいは、いくつかの特徴を見逃し、又は、実行しなくてもよい。ところで、表示または検討されている相互に結合され、又は、直接に結合され、又は、通信接続されたことは、いくつかのインターフェースによって実現されてもよいが、装置またはユニットの間接的結合又は通信接続は、電気的、機械的、又は、他の形式のものであってもよい。
【０１６８】
離間している部材として説明されていたユニットは、物理的に離間しているものであってもよいが、そのようなものでなくてもよい。ユニットとして表示される部材は、物理的ユニットであってもよいが、そのようなものでなくてもよい。すなわち、一箇所に位置するものであってもよく、又は、複数のネットワークユニットに分布しているものであってもよい。実際な必要に応じて、その中の一部又は全部のユニットを選択して本実施例の方案の目的を実現させることができる。
【０１６９】
また、本開示の各実施例における各機能ユニットは１つの処理ユニットに集積されてもよく、各ユニットが物理的に個別に存在してもよく、２つ以上のユニットが１つのユニットに集積されてもよい。
【０１７０】
上記機能は、ソフトウェア機能ユニットの形式で実現されて、独立した製品として販売や使用される場合、１つのコンピュータ可読記憶媒体に記憶されてもよい。そのような理解を踏まえて、本開示の技術案は、実質上、又は、従来技術に対して貢献した部分が、ソフトウェア製品の形式によって表されてもよい。当該コンピュータソフトウェア製品は一記憶媒体に記憶され、若干のコマンドを含み、それにより、本開示の各実施例に記載の方法における全部または一部のステップを一コンピュータ機器（パソコン、サーバ、又は、ネットワーク側機器などであってもよい）に実行させる。上述した記憶媒体は、Ｕディスク、リムーバブルディスク、ＲＯＭ、ＲＡＭ、磁気ディスク、又は、光ディスクなどの種々のプログラムコードを記憶することができる媒体を含む。
【０１７１】
理解すべきなのは、本開示の実施例に記載のそれらの実施例は、ハードウェア、ソフトウェア、ファームウェア、ミドルウェア、マイクロコードまたはそれらの組み合わせによって実現されてもよい。ハードウェアの実現について、処理ユニットは、１つ又は複数の専用集積回路（Ａｐｐｌｉｃａｔｉｏｎ  Ｓｐｅｃｉｆｉｃ  Ｉｎｔｅｇｒａｔｅｄ  Ｃｉｒｃｕｉｔｓ、ＡＳＩＣ）、デジタル信号プロセッサ（Ｄｉｇｉｔａｌ  Ｓｉｇｎａｌ  Ｐｒｏｃｅｓｓｉｎｇ、ＤＳＰ）、デジタル信号処理装置（ＤＳＰ  Ｄｅｖｉｃｅ、ＤＳＰＤ）、プログラマブル論理デバイス（Ｐｒｏｇｒａｍｍａｂｌｅ  Ｌｏｇｉｃ  Ｄｅｖｉｃｅ  、ＰＬＤ）、フィールドプログラマブルゲートアレイ（Ｆｉｅｌｄ−Ｐｒｏｇｒａｍｍａｂｌｅ  Ｇａｔｅ  Ａｒｒａｙ、ＦＰＧＡ）、汎用プロセッサ、コントローラ、マイクロコントローラ、マイクロプロセッサ、本開示に記載の機能を実行するための他の電子素子またはそれらの組み合わせに実現されてもよい。
【０１７２】
ソフトウェアの実現について、本開示の実施例に記載の機能を実行するモジュール（例えば、プロセス、関数など）によって、本開示の実施例に記載の技術が実現されてもよい。ソフトウェアコードは、メモリに記憶されているとともに、プロセッサによって実行される。メモリは、プロセッサ内またはプロセッサの外部に実現されてもよい。
【０１７３】
当業者であれば、上記実施例における方法の全部または一部を実現するプロセスが、コンピュータプログラムによって関連したハードウェアを制御することで完成してもよく、上記プログラムが一コンピュータ可読記憶媒体に記憶されてもよく、当該プログラムが実行されるとき、上記各方法の実施例のプロセスが含まれてもよいことを理解できるはずである。そのうち、前記記憶媒体は磁気ディスク、光ディスク、ＲＯＭ、又は、ＲＡＭなどであってもよい。
【０１７４】
以上は、添付図面を組み合わせながら、本開示の実施例を記述していたが、しかし、本開示は、上記具体的な実施の形態に限らず、上記具体的な実施の形態は例示的なものに過ぎず、制限性のあるものではない。当業者は、本開示による示唆を基にして、本開示の趣旨や特許請求の範囲から逸脱しない限り、多くの形式上の変更を行うことができ、それらのいずれも本開示の保護範囲に入っている。
【０１７５】
〔関連出願の相互参照〕
【０１７６】
本出願は、２０１８年９月２１日に中国で提出された中国特許出願番号Ｎｏ．２０１８１１１１００３２．１の優先権を主張しており、同出願の内容の全ては、ここに参照として取り込まれる。
【手続補正２】
【補正対象書類名】特許請求の範囲
【補正対象項目名】全文
【補正方法】変更
【補正の内容】
【特許請求の範囲】
【請求項１】
端末に適用されるデータ伝送方法であって、
ビーム又は伝送ノードを含む複数の伝送キャリアに対応するハイブリッド自動再送要求（ＨＡＲＱ）エンティティーおよびメディアアクセス制御（ＭＡＣ）エンティティーを取得するステップと、
前記伝送キャリアと、前記伝送キャリアに対応するＨＡＲＱエンティティーおよびＭＡＣエンティティーとの間にデータ伝送を行うステップとを含むデータ伝送方法。
【請求項２】
前記複数の伝送キャリアに対応するＨＡＲＱエンティティーおよびＭＡＣエンティティーを取得するステップは、
ＨＡＲＱと伝送キャリアとの対応関係情報に基づいて、複数の前記伝送キャリアに対して対応するＨＡＲＱエンティティーおよびＭＡＣエンティティーを設定すること、又は、
ネットワーク機器が複数の前記伝送キャリアに対して設定したＨＡＲＱエンティティーおよびＭＡＣエンティティーを取得することを含む、請求項１に記載のデータ伝送方法。
【請求項３】
前記ＨＡＲＱと伝送キャリアとの対応関係情報は、
伝送キャリアの関連情報と、
伝送キャリアの関連情報に対応するＨＡＲＱ設定情報とを、含み、
前記伝送キャリアの関連情報は、伝送キャリア識別子、伝送キャリアに対応するセル識別子、伝送キヤリアに対応する周波数ビン識別子、伝送キャリアに対応する帯域幅部分（ＢＷＰ）識別子、伝送キャリアに対応する制御チャネル情報識別子、および、伝送キャリアに対応するＭＡＣエンティティー識別子のうちの少なくとも１つを含む、請求項２に記載のデータ伝送方法。
【請求項４】
複数の伝送キャリアに対して対応するＨＡＲＱエンティティーおよびＭＡＣエンティティーを設定するステップは、
異なる伝送キャリアに対して異なるＨＡＲＱエンティティーを設定することを含む、請求項３に記載のデータ伝送方法。
【請求項５】
前記伝送キャリアの関連情報に対応するＨＡＲＱ設定情報は、ＨＡＲＱプロセスの数を含む、請求項４に記載のデータ伝送方法。
【請求項６】
複数の伝送キャリアに対して対応するＨＡＲＱエンティティーおよびＭＡＣエンティティーを設定するステップは、
前記複数の伝送キャリアに対して同一のＨＡＲＱエンティティーを設定し、かつ、異なる前記伝送キャリアに対して異なるＨＡＲＱプロセス番号を設定することを含む、請求項３に記載のデータ伝送方法。
【請求項７】
前記伝送キャリアの関連情報に対応するＨＡＲＱ設定情報は、伝送キャリアに対応するＨＡＲＱエンティティー識別子、伝送キャリアが利用可能なＨＡＲＱプロセス番号、伝送キャリアに対応するＨＡＲＱエンティティーの利用可能なＨＡＲＱプロセスの合計数、および、前記伝送キャリアが利用可能なＨＡＲＱプロセスの数のうちの少なくとも１つを含む、請求項６に記載のデータ伝送方法。
【請求項８】
複数の伝送キャリアに対して対応するＨＡＲＱエンティティーおよびＭＡＣエンティティーを設定するステップは、
異なる前記伝送キャリアに対して異なるＨＡＲＱエンティティーを設定し、かつ、異なる前記伝送キャリアに対して異なるＭＡＣエンティティーを設定することを含む、請求項３に記載のデータ伝送方法。
【請求項９】
前記ＨＡＲＱと伝送キャリアとの対応関係情報は、さらに、伝送キャリアに対応するＭＡＣ設定情報を含み、かつ、前記伝送キャリアの関連情報に対応するＨＡＲＱ設定情報はＨＡＲＱプロセスの数を含む、請求項８に記載のデータ伝送方法。
【請求項１０】
前記伝送キャリアに対応するＭＡＣ設定情報は、
ＭＡＣエンティティーの識別子情報、
ＭＡＣエンティティーの識別子情報に対応する１つまたは複数の論理チャネルＩＤ、
ＭＡＣエンティティーの識別子情報に対応する１つまたは複数のデータ無線ベアラ（ＤＲＢ）ＩＤ、
ＭＡＣエンティティーの識別子情報に対応する１つまたは複数のデータストリームＩＤ、および、
ＭＡＣエンティティーの識別子情報に対応する１つまたは複数のセッションＩＤ、のうちの少なくとも１つを含む、請求項９に記載のデータ伝送方法。
【請求項１１】
前記伝送キャリア識別子は、同期信号ブロックＳＳＢ識別子、チャネル状態情報基準信号（ＣＳＩ−ＲＳ）識別子、および、基準信号に対応するポート番号識別子のうちの少なくとも１つを含み、前記基準信号がＳＳＢ及び／又はＣＳＩ−ＲＳを含む、請求項３に記載のデータ伝送方法。
【請求項１２】
前記伝送キャリアに対応する制御チャネル識別子は、制御チャネルタイプ識別子、制御チャネルのリソース位置識別子、制御チャネルの基準信号識別子、および、制御チャネルの基準信号に対応するポート番号識別子のうちの少なくとも１つを含む、請求項３に記載のデータ伝送方法。
【請求項１３】
前記伝送キャリアと、前記伝送キャリアに対応するＨＡＲＱエンティティーおよびＭＡＣエンティティーとの間にデータ伝送を行うステップは、
下りリンクデータの受信を行う場合、各前記伝送キャリアが受信したデータを、前記伝送キャリアに対応するＭＡＣエンティティー及びＨＡＲＱエンティティーに伝送して処理する段階、及び／又は、
上りリンクデータの送信を行う場合、各前記伝送キャリアに対して送信されるデータを、前記伝送キャリアに対応するＭＡＣエンティティー及びＨＡＲＱエンティティーに伝送して処理する段階、を含む、
請求項３に記載のデータ伝送方法。
【請求項１４】
下りリンクデータの受信を行う場合、各前記伝送キャリアが受信したデータを、前記伝送キャリアに対応するＭＡＣエンティティー及びＨＡＲＱエンティティーに伝送して処理する段階は、
下りリンクデータの受信を行う場合、第１のターゲット伝送キャリアの関連情報を取得することと、
前記第１のターゲット伝送キャリアの関連情報に基づいて、第１のターゲット伝送キャリアを特定するとともに、第１の伝送キャリアが受信したデータを、前記第１の伝送キャリアに対応するＭＡＣエンティティー及びＨＡＲＱエンティティーに伝送して処理することとを含み、
上りリンクデータの送信を行う場合、各前記伝送キャリアに対して送信されるデータを、前記伝送キャリアに対応するＭＡＣエンティティー及びＨＡＲＱエンティティーに伝送して処理する段階は、
上りリンクデータの送信を行う場合、第２のターゲット伝送キャリアの関連情報を取得することと、
前記第２のターゲット伝送キャリアの関連情報に基づいて、第２のターゲット伝送キャリアを特定するとともに、第２の伝送キャリアに対して送信されるデータを、前記第２の伝送キャリアに対応するＭＡＣエンティティー及びＨＡＲＱエンティティーに伝送して処理することとを含む、請求項１３に記載のデータ伝送方法。
【請求項１５】
ネットワーク機器に適用されるデータ伝送方法であって、
ビーム又は伝送ノードを含む複数の伝送キャリアに対応するハイブリッド自動再送要求ＨＡＲＱエンティティーおよびメディアアクセス制御ＭＡＣエンティティーを取得するステップと、
前記伝送キャリアと、前記伝送キャリアに対応するＨＡＲＱエンティティーおよびＭＡＣエンティティーとの間にデータ伝送を行うステップとを含むデータ伝送方法。
【請求項１６】
ビーム又は伝送ノードを含む複数の伝送キャリアに対応するハイブリッド自動再送要求ＨＡＲＱエンティティーおよびメディアアクセス制御ＭＡＣエンティティーを取得するための第１の取得モジュールと、
前記伝送キャリアと、前記伝送キャリアに対応するＨＡＲＱエンティティーおよびＭＡＣエンティティーとの間にデータ伝送を行うための第１の伝送モジュールと、を備える端末。
【請求項１７】
ビーム又は伝送ノードを含む複数の伝送キャリアに対応するハイブリッド自動再送要求ＨＡＲＱエンティティーおよびメディアアクセス制御ＭＡＣエンティティーを取得するための第２の取得モジュールと、
前記伝送キャリアと、前記伝送キャリアに対応するＨＡＲＱエンティティーおよびＭＡＣエンティティーとの間にデータ伝送を行うための第２の伝送モジュールと、を備えるネットワーク機器。
【国際調査報告】
2022500948.tif 000014
2022500948.tif 000015
2022500948.tif 000016
2022500948.tif 000017